(57)【要約】  基地局の伝送方法が提供される。前記基地局は、ＰＤＣＣＨ（ｐｈｙｓｉｃａｌ  ｄｏｗｎｌｉｎｋ  ｃｏｎｔｒｏｌ  ｃｈａｎｎｅｌ）のための第１リソースを設定する。前記基地局は、前記第１リソースの設定情報を第１ＰＢＣＨ（ｐｈｙｓｉｃａｌ  ｂｒｏａｄｃａｓｔ  ｃｈａｎｎｅｌ）に含ませる。そして、前記基地局は、前記第１ＰＢＣＨを伝送する。
2019517201.tif 000002
【特許請求の範囲】
【請求項１】
ＰＤＣＣＨ（ｐｈｙｓｉｃａｌ  ｄｏｗｎｌｉｎｋ  ｃｏｎｔｒｏｌ  ｃｈａｎｎｅｌ）のための第１リソースを設定する段階、
前記第１リソースの設定情報を第１ＰＢＣＨ（ｐｈｙｓｉｃａｌ  ｂｒｏａｄｃａｓｔ  ｃｈａｎｎｅｌ）に含ませる段階、および、
前記第１ＰＢＣＨを伝送する段階を含む、
基地局の伝送方法。
【請求項２】
前記第１リソースの設定情報は、前記第１リソースが始まるＲＢ（ｒｅｓｏｕｒｃｅ  ｂｌｏｃｋ）のインデックスと前記ＰＤＣＣＨによって獲得される帯域幅を含む、
請求項１に記載の基地局の伝送方法。
【請求項３】
端末によって伝送されるアップリンク（ＵＬ：ｕｐｌｉｎｋ）ＤＲＳ（ｄｉｓｃｏｖｅｒｙ  ｒｅｆｅｒｅｎｃｅ  ｓｉｇｎａｌ）のための第２リソースを設定する段階、および、
前記第２リソースの設定情報を前記第１ＰＢＣＨに含ませる段階をさらに含む、
請求項１に記載の基地局の伝送方法。
【請求項４】
前記第２リソースを設定する段階は、
前記基地局によって使用される仮想セクターの個数と同じ個数に前記第２リソースを設定する段階を含む、
請求項３に記載の基地局の伝送方法。
【請求項５】
前記第２リソースの設定情報を前記第１ＰＢＣＨに含ませる段階は、
前記第１ＰＢＣＨがセルを特定（ｃｅｌｌ−ｓｐｅｃｉｆｉｃ）して伝送される場合に、前記基地局によって使用される仮想セクターの個数に対応するビット幅（ｂｉｔ  ｗｉｄｔｈ）を有する一つの第１ＰＢＣＨを生成する段階、および、
前記第１ＰＢＣＨが仮想セクターを特定（ｖｉｒｔｕａｌ  ｓｅｃｔｏｒ−ｓｐｅｃｉｆｉｃ）して伝送される場合に、前記仮想セクターのための多数の第１ＰＢＣＨを生成する段階を含む、
請求項３に記載の基地局の伝送方法。
【請求項６】
前記第１ＰＢＣＨを伝送する段階は、
前記第１ＰＢＣＨ、第１ＰＳＳ（ｐｒｉｍａｒｙ  ｓｙｎｃｈｒｏｎｉｚａｔｉｏｎ  ｓｉｇｎａｌ）および第１ＳＳＳ（ｓｅｃｏｎｄａｒｙ  ｓｙｎｃｈｒｏｎｉｚａｔｉｏｎ  ｓｉｇｎａｌ）を含む第１ＳＳ（ｓｙｎｃｈｒｏｎｉｚａｔｉｏｎ  ｓｉｇｎａｌ）バースト（ｂｕｒｓｔ）を伝送する段階、および、
前記第１ＰＢＣＨのＲＶ（ｒｅｄｕｎｄａｎｃｙ  ｖｅｒｓｉｏｎ）と同じＲＶを有する第２ＰＢＣＨ、第２ＰＳＳおよび第２ＳＳＳを含む第２ＳＳバーストを伝送する段階を含む、
請求項３に記載の基地局の伝送方法。
【請求項７】
前記第１ＰＢＣＨを伝送する段階は、
前記第１ＰＢＣＨ、第１ＰＳＳ（ｐｒｉｍａｒｙ  ｓｙｎｃｈｒｏｎｉｚａｔｉｏｎ  ｓｉｇｎａｌ）および第１ＳＳＳ（ｓｅｃｏｎｄａｒｙ  ｓｙｎｃｈｒｏｎｉｚａｔｉｏｎ  ｓｉｇｎａｌ）を含む第１ＳＳ（ｓｙｎｃｈｒｏｎｉｚａｔｉｏｎ  ｓｉｇｎａｌ）バースト（ｂｕｒｓｔ）を伝送する段階、および、
前記第１ＰＢＣＨのＲＶ（ｒｅｄｕｎｄａｎｃｙ  ｖｅｒｓｉｏｎ）と異なるＲＶを有する第２ＰＢＣＨ、第２ＰＳＳおよび第２ＳＳＳを含む第２ＳＳバーストを伝送する段階を含む、
請求項３に記載の基地局の伝送方法。
【請求項８】
前記第１ＰＢＣＨのためのスクランブリング（ｓｃｒａｍｂｌｉｎｇ）リソースは、前記第２ＰＢＣＨのためのスクランブリングリソースと異なる、
請求項７に記載の基地局の伝送方法。
【請求項９】
前記第１ＰＢＣＨのためのＣＲＣ（ｃｙｃｌｉｃ  ｒｅｄｕｎｄａｎｃｙ  ｃｈｅｃｋ）マスクは、前記第２ＰＢＣＨのためのＣＲＣマスクと異なる、
請求項７に記載の基地局の伝送方法。
【請求項１０】
スロットのタイプを指示する第１指示子を生成する段階、
前記第１指示子をＰＤＣＣＨ（ｐｈｙｓｉｃａｌ  ｄｏｗｎｌｉｎｋ  ｃｏｎｔｒｏｌ  ｃｈａｎｎｅｌ）に含ませる段階、および、
前記ＰＤＣＣＨを固定されたＤＬ（ｄｏｗｎｌｉｎｋ）リソースを通じて、端末に伝送する段階を含む、
基地局の伝送方法。
【請求項１１】
前記第１指示子は、前記スロットがＤＬスロットであるか、ＤＬ−中心的（ｃｅｎｔｒｉｃ）スロットであるか、ＵＬスロットであるか、ＵＬ（ｕｐｌｉｎｋ）−中心的スロットであるかを示し、
前記スロットが前記ＤＬスロットである場合に、前記スロットにはＵＬ領域（ｒｅｇｉｏｎ）が存在せず、
前記スロットが前記ＵＬスロットである場合に、前記スロットにはＤＬ領域が存在せず、
前記スロットが前記ＤＬ−中心的スロットである場合に、前記スロットのＤＬ領域が前記スロットのＵＬ領域より大きく、
前記スロットが前記ＵＬ−中心的スロットである場合に、前記スロットのＵＬ領域が前記スロットのＤＬ領域より大きい、
請求項１０に記載の基地局の伝送方法。
【請求項１２】
前記ＰＤＣＣＨを伝送する段階は、
前記固定されたＤＬリソースに属するＲＥＧ（ｒｅｓｏｕｒｃｅ  ｅｌｅｍｅｎｔ  ｇｒｏｕｐ）のうち、前記基地局の識別情報に対応する一つ以上の第１ＲＥＧを利用して前記第１指示子を伝送する段階を含む、
請求項１０に記載の基地局の伝送方法。
【請求項１３】
前記ＰＤＣＣＨと異なるＰＤＣＣＨ候補（ｃａｎｄｉｄａｔｅ）を、前記ＲＥＧのうち前記一つ以上の第１ＲＥＧを除いた残りのＲＥＧにマッピングする段階をさらに含む、
請求項１２に記載の基地局の伝送方法。
【請求項１４】
前記一つ以上の第１ＲＥＧを利用して前記第１指示子を伝送する段階は、
前記スロットに属する時間ドメインシンボルのうち、最も前にある時間ドメインシンボルに前記一つ以上の第１ＲＥＧを位置させる段階を含む、
請求項１２に記載の基地局の伝送方法。
【請求項１５】
前記一つ以上の第１ＲＥＧを利用して前記第１指示子を伝送する段階は、
前記一つ以上の第１ＲＥＧを多数の周波数にマッピングする段階を含む、
請求項１２に記載の基地局の伝送方法。
【請求項１６】
スロットに属する時間ドメインシンボルのうちダウンリンク（ＤＬ：ｄｏｗｎｌｉｎｋ）のための時間ドメインシンボルの個数を決定する段階、
前記スロットのタイプを決定する段階、および、
前記決定された個数と前記決定されたタイプを含む第１チャネルを、制御チャネルのための共通探索空間（ｃｏｍｍｏｎ  ｓｅａｒｃｈ  ｓｐａｃｅ）を通じて伝送する段階を含む、
基地局の伝送方法。
【請求項１７】
前記第１チャネルは、前記基地局にＲＲＣ（ｒａｄｉｏ  ｒｅｓｏｕｒｃｅ  ｃｏｎｔｒｏｌ）連結されていない端末によっても復号可能である、
請求項１６に記載の基地局の伝送方法。
【請求項１８】
前記第１チャネルを伝送する段階は、
前記制御チャネルのためのリソースに属するＲＥＧ（ｒｅｓｏｕｒｃｅ  ｅｌｅｍｅｎｔ  ｇｒｏｕｐ）のうち、前記決定されたタイプを指示する第１指示子を伝送するための一つ以上の第１ＲＥＧを、前記ＤＬのための時間ドメインシンボルのうち、最も前にある時間ドメインシンボルに位置させる段階を含む、
請求項１６に記載の基地局の伝送方法。
【請求項１９】
前記第１チャネルを伝送する段階は、
前記制御チャネルのためのリソースに属するＲＥＧ（ｒｅｓｏｕｒｃｅ  ｅｌｅｍｅｎｔ  ｇｒｏｕｐ）のうち、前記決定されたタイプを指示する第１指示子を伝送するための一つ以上の第１ＲＥＧを、多数の周波数にマッピングする段階を含む、
請求項１６に記載の基地局の伝送方法。
【請求項２０】
前記ＤＬのための時間ドメインシンボルは、ＲＲＭ（ｒａｄｉｏ  ｒｅｓｏｕｒｃｅ  ｍａｎａｇｅｍｅｎｔ）測定またはＣＳＩ（ｃｈａｎｎｅｌ  ｓｔａｔｅ  ｉｎｆｏｒｍａｔｉｏｎ）測定のために使用される、
請求項１６に記載の基地局の伝送方法。
【発明の詳細な説明】
【技術分野】
【０００１】
本発明は、制御チャネルのためのリソースの設定情報を伝送する方法および装置に関するものである。
【０００２】
また、本発明は、アップリンクＤＲＳ（ｄｉｓｃｏｖｅｒｙ  ｒｅｆｅｒｅｎｃｅ  ｓｉｇｎａｌ）のためのリソースの設定情報を伝送する方法および装置に関するものである。
【０００３】
また、本発明は、サブフレーム／スロットのタイプを指示する指示子を伝送する方法および装置に関するものである。
【０００４】
また、本発明は、ダウンリンクシンボルの個数を伝送する方法および装置に関するものである。
【背景技術】
【０００５】
無線通信システムは、規格に沿ったフレーム構造を支援する。例えば、３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）システムは、三つのタイプのフレーム構造を支援する。三つのタイプのフレーム構造とは、ＦＤＤ（ｆｒｅｑｕｅｎｃｙ  ｄｉｖｉｓｉｏｎ  ｄｕｐｌｅｘｉｎｇ）に適用可能なタイプ１フレーム構造、ＴＤＤ（ｔｉｍｅ  ｄｉｖｉｓｉｏｎ  ｄｕｐｌｅｘｉｎｇ）に適用可能なタイプ２フレーム構造、および、非免許周波数帯域の伝送のためのタイプ３フレーム構造である。
【０００６】
ＬＴＥシステムのような無線通信システムにおいて、ＴＴＩ（ｔｒａｎｓｍｉｓｓｉｏｎ  ｔｉｍｅ  ｉｎｔｅｒｖａｌ）は、符号化されたデータパケットが物理階層信号を通じて伝送される基本時間単位を意味する。
【０００７】
ＬＴＥシステムのＴＴＩは、一つのサブフレームで構成される。すなわち、リソース割り当ての最小単位であるＰＲＢ（ｐｈｙｓｉｃａｌ  ｒｅｓｏｕｒｃｅ  ｂｌｏｃｋ）ペア（ｐａｉｒ）の時間軸の長さは、１ｍｓである。１ｍｓのＴＴＩ単位の伝送を支援するために、物理信号とチャネルも殆どサブフレーム単位で定義される。例えば、ＣＲＳ（ｃｅｌｌ−ｓｐｅｃｉｆｉｃ  ｒｅｆｅｒｅｎｃｅ  ｓｉｇｎａｌ）は、サブフレーム毎に固定的に伝送され、ＰＤＣＣＨ（ｐｈｙｓｉｃａｌ  ｄｏｗｎｌｉｎｋ  ｃｏｎｔｒｏｌ  ｃｈａｎｎｅｌ）、ＰＤＳＣＨ（ｐｈｙｓｉｃａｌ  ｄｏｗｎｌｉｎｋ  ｓｈａｒｅｄ  ｃｈａｎｎｅｌ）、ＰＵＣＣＨ（ｐｈｙｓｉｃａｌ  ｕｐｌｉｎｋ  ｃｏｎｔｒｏｌ  ｃｈａｎｎｅｌ）およびＰＵＳＣＨ（ｐｈｙｓｉｃａｌ  ｕｐｌｉｎｋ  ｓｈａｒｅｄ  ｃｈａｎｎｅｌ）は、サブフレーム毎に伝送される。その反面、ＰＳＳ（ｐｒｉｍａｒｙ  ｓｙｎｃｈｒｏｎｉｚａｔｉｏｎ  ｓｉｇｎａｌ）とＳＳＳ（ｓｅｃｏｎｄａｒｙ  ｓｙｎｃｈｒｏｎｉｚａｔｉｏｎ  ｓｉｇｎａｌ）は、５番目のサブフレーム毎に存在し、ＰＢＣＨ（ｐｈｙｓｉｃａｌ  ｂｒｏａｄｃａｓｔ  ｃｈａｎｎｅｌ）は、１０番目のサブフレーム毎に存在する。
【０００８】
一方、次世代通信システムのための研究が進行されている。次世代通信システムのための送受信方法が必要である。
【発明の概要】
【発明が解決しようとする課題】
【０００９】
本発明が解決しようとする課題は、制御チャネルリソースの設定情報を伝送する方法および装置を提供することである。
【００１０】
また、本発明が解決しようとする課題は、ＵＬ  ＤＲＳリソースの設定情報を伝送する方法および装置を提供することである。
【００１１】
また、本発明が解決しようとする課題は、サブフレーム／スロットのタイプを指示する指示子を伝送する方法および装置を提供することである。
【００１２】
また、本発明が解決しようとする課題は、ＤＬシンボルの個数を伝送する方法および装置を提供することである。
【課題を解決するための手段】
【００１３】
本発明の実施例によると、基地局の伝送方法が提供される。前記基地局の伝送方法は、ＰＤＣＣＨ（ｐｈｙｓｉｃａｌ  ｄｏｗｎｌｉｎｋ  ｃｏｎｔｒｏｌ  ｃｈａｎｎｅｌ）のための第１リソースを設定する段階、前記第１リソースの設定情報を第１ＰＢＣＨ（ｐｈｙｓｉｃａｌ  ｂｒｏａｄｃａｓｔ  ｃｈａｎｎｅｌ）に含ませる段階、および、前記第１ＰＢＣＨを伝送する段階を含む。
【００１４】
前記第１リソースの設定情報は、前記第１リソースが始まるＲＢ（ｒｅｓｏｕｒｃｅ  ｂｌｏｃｋ）のインデックスと前記ＰＤＣＣＨによって獲得される帯域幅を含むことができる。
【００１５】
前記基地局の伝送方法は、端末によって伝送されるアップリンク（ＵＬ：ｕｐｌｉｎｋ）ＤＲＳ（ｄｉｓｃｏｖｅｒｙ  ｒｅｆｅｒｅｎｃｅ  ｓｉｇｎａｌ）のための第２リソースを設定する段階、および、前記第２リソースの設定情報を前記第１ＰＢＣＨに含ませる段階をさらに含むことができる。
【００１６】
前記第２リソースを設定する段階は、前記基地局によって使用される仮想セクターの個数と同じ個数に前記第２リソースを設定する段階を含むことができる。
【００１７】
前記第２リソースの設定情報を前記第１ＰＢＣＨに含ませる段階は、前記第１ＰＢＣＨがセルを特定して（ｃｅｌｌ−ｓｐｅｃｉｆｉｃ）伝送する場合に、前記基地局によって使用される仮想セクターの個数に対応するビット幅（ｂｉｔ  ｗｉｄｔｈ）を有する一つの第１ＰＢＣＨを生成する段階、および、前記第１ＰＢＣＨが仮想セクターを特定して（ｖｉｒｔｕａｌ  ｓｅｃｔｏｒ−ｓｐｅｃｉｆｉｃ）伝送する場合に、前記仮想セクターのための多数の第１ＰＢＣＨを生成する段階を含むことができる。
【００１８】
前記第１ＰＢＣＨを伝送する段階は、前記第１ＰＢＣＨ、第１ＰＳＳ（ｐｒｉｍａｒｙ  ｓｙｎｃｈｒｏｎｉｚａｔｉｏｎ  ｓｉｇｎａｌ）および第１ＳＳＳ（ｓｅｃｏｎｄａｒｙ  ｓｙｎｃｈｒｏｎｉｚａｔｉｏｎ  ｓｉｇｎａｌ）を含む第１ＳＳ（ｓｙｎｃｈｒｏｎｉｚａｔｉｏｎ  ｓｉｇｎａｌ）バースト（ｂｕｒｓｔ）を伝送する段階、および、前記第１ＰＢＣＨのＲＶ（ｒｅｄｕｎｄａｎｃｙ  ｖｅｒｓｉｏｎ）と同じＲＶを有する第２ＰＢＣＨ、第２ＰＳＳおよび第２ＳＳＳを含む第２ＳＳバーストを伝送する段階を含むことができる。
【００１９】
前記第１ＰＢＣＨを伝送する段階は、前記第１ＰＢＣＨ、第１ＰＳＳ（ｐｒｉｍａｒｙ  ｓｙｎｃｈｒｏｎｉｚａｔｉｏｎ  ｓｉｇｎａｌ）、および第１ＳＳＳ（ｓｅｃｏｎｄａｒｙ  ｓｙｎｃｈｒｏｎｉｚａｔｉｏｎ  ｓｉｇｎａｌ）を含む第１ＳＳ（ｓｙｎｃｈｒｏｎｉｚａｔｉｏｎ  ｓｉｇｎａｌ）バースト（ｂｕｒｓｔ）を伝送する段階；および前記第１ＰＢＣＨのＲＶ（ｒｅｄｕｎｄａｎｃｙ  ｖｅｒｓｉｏｎ）と異なるＲＶを有する第２ＰＢＣＨ、第２ＰＳＳ、および第２ＳＳＳを含む第２ＳＳバーストを伝送する段階を含むことができる。
【００２０】
前記第１ＰＢＣＨのためのスクランブリング（ｓｃｒａｍｂｌｉｎｇ）リソースは、前記第２ＰＢＣＨのためのスクランブリングリソースと異なり得る。
【００２１】
前記第１ＰＢＣＨのためのＣＲＣ（ｃｙｃｌｉｃ  ｒｅｄｕｎｄａｎｃｙ  ｃｈｅｃｋ）マスクは、前記第２ＰＢＣＨのためのＣＲＣマスクと異なり得る。
【００２２】
また、本発明の他の実施例によると、基地局の伝送方法が提供される。前記基地局の伝送方法は、スロットのタイプを指示する第１指示子を生成する段階、前記第１指示子をＰＤＣＣＨ（ｐｈｙｓｉｃａｌ  ｄｏｗｎｌｉｎｋ  ｃｏｎｔｒｏｌ  ｃｈａｎｎｅｌ）に含ませる段階、および、前記ＰＤＣＣＨを固定されたＤＬ（ｄｏｗｎｌｉｎｋ）リソースを通じて、端末に伝送する段階を含む。
【００２３】
前記第１指示子は、前記スロットがＤＬスロットであるか、ＤＬ−中心的（ｃｅｎｔｒｉｃ）スロットであるか、ＵＬスロットであるか、ＵＬ（ｕｐｌｉｎｋ）−中心的スロットであるかを示すことができる。
【００２４】
前記スロットが前記ＤＬスロットである場合に、前記スロットにはＵＬ領域（ｒｅｇｉｏｎ）が存在しなくてもよい。
【００２５】
前記スロットが前記ＵＬスロットである場合に、前記スロットにはＤＬ領域が存在しなくてもよい。
【００２６】
前記スロットが前記ＤＬ−中心的スロットである場合に、前記スロットのＤＬ領域が前記スロットのＵＬ領域より大きくてもよい。
【００２７】
前記スロットが前記ＵＬ−中心的スロットである場合に、前記スロットのＵＬ領域が前記スロットのＤＬ領域より大きくてもよい。
【００２８】
前記ＰＤＣＣＨを伝送する段階は、前記固定されたＤＬリソースに属するＲＥＧ（ｒｅｓｏｕｒｃｅ  ｅｌｅｍｅｎｔ  ｇｒｏｕｐ）のうち、前記基地局の識別情報に対応する一つ以上の第１ＲＥＧを利用して前記第１指示子を伝送する段階を含むことができる。
【００２９】
前記基地局の伝送方法は、前記ＰＤＣＣＨと異なるＰＤＣＣＨ候補（ｃａｎｄｉｄａｔｅ）を、前記ＲＥＧのうち前記一つ以上の第１ＲＥＧを除いた残りのＲＥＧにマッピングする段階をさらに含むことができる。
【００３０】
前記一つ以上の第１ＲＥＧを利用して前記第１指示子を伝送する段階は、前記スロットに属する時間ドメインシンボルのうち、最も前にある時間ドメインシンボルに前記一つ以上の第１ＲＥＧを位置させる段階を含むことができる。
【００３１】
前記一つ以上の第１ＲＥＧを利用して前記第１指示子を伝送する段階は、前記一つ以上の第１ＲＥＧを多数の周波数にマッピングする段階を含むことができる。
【００３２】
また、本発明のさらに他の実施例によると、基地局の伝送方法が提供される。前記基地局の伝送方法は、スロットに属する時間ドメインシンボルのうちダウンリンク（ＤＬ：ｄｏｗｎｌｉｎｋ）のための時間ドメインシンボルの個数を決定する段階、前記スロットのタイプを決定する段階、および、前記決定された個数と前記決定されたタイプを含む第１チャネルを、制御チャネルのための共通探索空間（ｃｏｍｍｏｎ  ｓｅａｒｃｈ  ｓｐａｃｅ）を通じて伝送する段階を含む。
【００３３】
前記第１チャネルは、前記基地局にＲＲＣ（ｒａｄｉｏ  ｒｅｓｏｕｒｃｅ  ｃｏｎｔｒｏｌ）連結されていない端末によっても復号可能であり得る。
【００３４】
前記第１チャネルを伝送する段階は、前記制御チャネルのためのリソースに属するＲＥＧ（ｒｅｓｏｕｒｃｅ  ｅｌｅｍｅｎｔ  ｇｒｏｕｐ）のうち前記決定されたタイプを指示する第１指示子を伝送するための一つ以上の第１ＲＥＧを、前記ＤＬのための時間ドメインシンボルのうち、最も前にある時間ドメインシンボルに位置させる段階を含むことができる。
【００３５】
前記第１チャネルを伝送する段階は、前記制御チャネルのためのリソースに属するＲＥＧ（ｒｅｓｏｕｒｃｅ  ｅｌｅｍｅｎｔ  ｇｒｏｕｐ）のうち、前記決定されたタイプを指示する第１指示子を伝送するための一つ以上の第１ＲＥＧを、多数の周波数にマッピングする段階を含むことができる。
【００３６】
前記ＤＬのための時間ドメインシンボルは、ＲＲＭ（ｒａｄｉｏ  ｒｅｓｏｕｒｃｅ  ｍａｎａｇｅｍｅｎｔ）測定またはＣＳＩ（ｃｈａｎｎｅｌ  ｓｔａｔｅ  ｉｎｆｏｒｍａｔｉｏｎ）測定のために使用され得る。
【発明の効果】
【００３７】
本発明の実施例によると、制御チャネルリソースの設定情報を伝送する方法および装置が提供され得る。
【００３８】
また、本発明の実施例によると、ＵＬ  ＤＲＳリソースの設定情報を伝送する方法および装置が提供され得る。
【００３９】
また、本発明の実施例によると、サブフレーム／スロットのタイプを指示する指示子を伝送する方法および装置が提供され得る。
【００４０】
また、本発明の実施例によると、ＤＬシンボルの個数を伝送する方法および装置が提供され得る。
【００４１】
また、本発明の実施例によると、システム情報を送受信する方法および装置が提供され得る。
【００４２】
また、本発明の実施例によると、ＲＲＭ（ｒａｄｉｏ  ｒｅｓｏｕｒｃｅ  ｍａｎａｇｅｍｅｎｔ）測定方法および装置が提供され得る。
【図面の簡単な説明】
【００４３】
【図１】本発明の実施例に係る３ＧＰＰ  ＮＲ  ＴＤＤの場合にＲＲＭ測定に適用され得るサブフレーム／スロットタイプを示す図
【図２】本発明の実施例に係るＤＬ領域（ｒｅｇｉｏｎ）とＵＬ領域（ｒｅｇｉｏｎ）が共に割り当てられる特別サブフレーム／スロットで３ＧＰＰ  ＮＲ  ＴＤＤを構成した場合を示す図
【図３】本発明の実施例に係るＲＲＭ測定のために使用されるサブフレーム／スロットが端末を特定して（例、ＵＥ−ｓｐｅｃｉｆｉｃ）設定される場合を示す図
【図４】本発明の実施例に係る端末によって行われるＲＲＭ測定に関するシナリオを示す図
【図５】本発明の実施例に係るＤＬ  ＮＲ−ＤＲＳリソースのＲＥマッピングを示す図
【図６】３ＧＰＰ  ＮＲリファレンスシステムが一つのサブフレーム／スロットで有するリソースを示す図
【図７】本発明の実施例に係る方法ＲＳＳＩ０−１を示す図
【図８】本発明の実施例に係る方法ＲＳＳＩ０−１−１を示す図
【図９】本発明の実施例に係る方法ＲＳＳＩ０−１−２を示す図
【図１０】本発明の実施例に係る方法ＲＳＳＩ０−２を示す図
【図１１】本発明の実施例に係る方法ＲＳＳＩ０−２−１を示す図
【図１２】本発明の実施例に係る方法ＲＳＳＩ０−２のための方法ＲＳＳＩ０−２−２を示す図
【図１３】本発明の実施例に係る方法ＲＳＳＩ０−２−３を示す図
【図１４】本発明の実施例に係るＮＲ−ＳＩＢ伝送を示す図
【図１５】本発明の実施例に係る基地局の仮想セクターを示す図
【図１６ａ】本発明の実施例に係る基地局が端末にＮＲ−ＳＩＢを伝送するための手続きを示す図
【図１６ｂ】本発明の実施例に係る基地局が端末にＮＲ−ＳＩＢを伝送するための手続きを示す図
【図１７】本発明の実施例に係るコンピューティング装置を示す図
【発明を実施するための形態】
【００４４】
以下、添付した図面を参照して本発明の実施例について、本発明が属する技術分野で通常の知識を有する者が容易に実施できるように詳細に説明する。しかし、本発明は多様な異なる形態で具現され得、ここで説明する実施例に限定されない。そして、図面において本発明を明確に説明するために説明と関係のない部分は省略したし、明細書の全体を通じて類似する部分については類似の図面符号を付した。
【００４５】
本明細書で、同じ構成要素については重複する説明は省略する。
【００４６】
また、本明細書で、ある構成要素が他の構成要素に「連結されて」あるとか「接続されて」あると言及された時には、その他の構成要素に直接的に連結されているかまたは接続されていてもよいが、中間に他の構成要素が存在してもよいと理解されるべきである。その反面、本明細書で、ある構成要素が他の構成要素に「直接連結されて」あるとか「直接接続されて」あると言及された時には、中間に他の構成要素が存在しないと理解されるべきである。
【００４７】
また、本明細書で使用される用語は、単に特定の実施例を説明するために使用されるものであって、本発明を限定しようとする意図で使用されるものではない。
【００４８】
また、本明細書で、単数の表現は、文脈上明白に異なることを意味しない限り、複数の表現を含むことができる。
【００４９】
また、本明細書で、「含む」または「有する」等の用語は、明細書に記載された特徴、数字、段階、動作、構成要素、部品、またはこれらを組み合わせたものが存在することを指定しようとするものであって、一つまたはそれ以上の他の特徴、数字、段階、動作、構成要素、部品またはこれらを組み合わせたものの存在または付加の可能性をあらかじめ排除しないものと理解されるべきである。
【００５０】
また、本明細書で、「および／または」という用語は、複数の記載された項目の組み合わせまたは複数の記載された項目のいずれかの項目を含む。本明細書で、「ＡまたはＢ」とは、「Ａ」、「Ｂ」、または「ＡとＢのすべて」を含むことができる。
【００５１】
また、本明細書で、端末（ｔｅｒｍｉｎａｌ）は、移動端末（ｍｏｂｉｌｅ  ｔｅｒｍｉｎａｌ）、移動局（ｍｏｂｉｌｅ  ｓｔａｔｉｏｎ）、進歩した移動局（ａｄｖａｎｃｅｄ  ｍｏｂｉｌｅ  ｓｔａｔｉｏｎ）、高信頼性の移動局（ｈｉｇｈ  ｒｅｌｉａｂｉｌｉｔｙ  ｍｏｂｉｌｅ  ｓｔａｔｉｏｎ）、加入者局（ｓｕｂｓｃｒｉｂｅｒ  ｓｔａｔｉｏｎ）、携帯加入者局（ｐｏｒｔａｂｌｅ  ｓｕｂｓｃｒｉｂｅｒ  ｓｔａｔｉｏｎ）、接近端末（ａｃｃｅｓｓ  ｔｅｒｍｉｎａｌ）、ユーザー装備（ＵＥ：ｕｓｅｒ  ｅｑｕｉｐｍｅｎｔ）、機械型通信装備（ＭＴＣ：ｍａｃｈｉｎｅ  ｔｙｐｅ  ｃｏｍｍｕｎｉｃａｔｉｏｎ  ｄｅｖｉｃｅ）等を指し示してもよく、移動端末、移動局、進歩した移動局、高信頼性の移動局、加入者局、携帯加入者局、接近端末、ユーザー装備、ＭＴＣなどの全部または一部の機能を含んでもよい。
【００５２】
また、本明細書で、基地局（ＢＳ：ｂａｓｅ  ｓｔａｔｉｏｎ）は、進歩した基地局（ａｄｖａｎｃｅｄ  ｂａｓｅ  ｓｔａｔｉｏｎ）、高信頼性の基地局（ＨＲ−ＢＳ：ｈｉｇｈ  ｒｅｌｉａｂｉｌｉｔｙ  ｂａｓｅ  ｓｔａｔｉｏｎ）、ノードＢ（ＮＢ：ｎｏｄｅ  Ｂ）、高度化ノードＢ（ｅＮＢ：ｅｖｏｌｖｅｄ  ｎｏｄｅ  Ｂ）、ＮＲ（ｎｅｗ  ｒａｄｉｏ）ノードＢ（ｇＮＢ）、接近点（ａｃｃｅｓｓ  ｐｏｉｎｔ）、ラジオ接近局（ｒａｄｉｏ  ａｃｃｅｓｓ  ｓｔａｔｉｏｎ）、送受信基地局（ｂａｓｅ  ｔｒａｎｓｃｅｉｖｅｒ  ｓｔａｔｉｏｎ）、ＭＭＲ（ｍｏｂｉｌｅ  ｍｕｌｔｉｈｏｐ  ｒｅｌａｙ）−ＢＳ、基地局の役割を行う中継機（ｒｅｌａｙ  ｓｔａｔｉｏｎ）、基地局の役割を行う高信頼性中継機（ｈｉｇｈ  ｒｅｌｉａｂｉｌｉｔｙ  ｒｅｌａｙ  ｓｔａｔｉｏｎ）、リピーター、マクロ基地局、小型基地局、フェムト基地局、ホームノードＢ（ＨＮＢ：ｈｏｍｅ  ｎｏｄｅ  Ｂ）、ホームｅＮＢ（ＨｅＮＢ）、ピコ基地局（ｐｉｃｏ  ＢＳ）、マイクロ基地局（ｍｉｃｒｏ  ＢＳ）等を指し示してもよく、進歩した基地局、ＨＲ−ＢＳ、ノードＢ、ｅＮＢ、ｇＮＢ、接近点、無線接近局、送受信基地局、ＭＭＲ−ＢＳ、中継機、高信頼性中継機、リピーター、マクロ基地局、小型基地局、フェムト基地局、ＨＮＢ、ＨｅＮＢ、ピコ基地局、マイクロ基地局などの全部または一部の機能を含んでもよい。
【００５３】
以下では、移動通信システムでシステム情報を送受信する方法について説明する。そして、ＮＲ（ｎｅｗ  ｒａｄｉｏ）システムの初期セル探索（ｉｎｉｔｉａｌ  ｃｅｌｌ  ｓｅａｒｃｈ）のための方法について説明する。そして、ＲＲＭ（ｒａｄｉｏ  ｒｅｓｏｕｒｃｅ  ｍａｎａｇｅｍｅｎｔ）を測定する方法について説明する。そして、ＮＲ−ＰＤＣＣＨリソースをＮＲ−ＰＢＣＨ（ｐｈｙｓｉｃａｌ  ｂｒｏａｄｃａｓｔ  ｃｈａｎｎｅｌ）に含ませる方法について説明する。そして、ＵＬ（ｕｐｌｉｎｋ）ＮＲ−ＤＲＳ（ｄｉｓｃｏｖｅｒｙ  ｒｅｆｅｒｅｎｃｅ  ｓｉｇｎａｌ）リソースをＮＲ−ＰＢＣＨに含ませる方法について説明する。そして、ＮＲ−ＰＢＣＨのＲＶ（ｒｅｄｕｎｄａｎｃｙ  ｖｅｒｓｉｏｎ）を特定の組み合わせに基づいて伝送する方法について説明する。そして、サブフレーム／スロットタイプを指示（ｉｎｄｉｃａｔｅ）する方法について説明する。本明細書で、サブフレーム／スロットは、サブフレームまたはスロットを意味する。また、本明細書で、スロットは、スロットやサブフレームを意味してもよい。そして、ＰＳＴＩＣＨ（ｐｈｙｓｉｃａｌ  ｓｕｂｆｒａｍｅ／ｓｌｏｔ  ｔｙｐｅ  ｉｎｄｉｃａｔｏｒ  ｃｈａｎｎｅｌ）を設計する方法について説明する。そして、ＲＳＳＩ（ｒｅｃｅｉｖｅｄ  ｓｉｇｎａｌ  ｓｔｒｅｎｇｔｈ  ｉｎｄｉｃａｔｏｒ）を測定する方法について説明する。そして、ＲＳＳＩ測定リソースの領域について説明する。本明細書で、ＮＲ−ＰＤＣＣＨは、ＰＤＣＣＨで表現されてもよく、ＮＲ−ＤＲＳは、ＤＲＳで表現されてもよく、ＮＲ−ＰＢＣＨは、ＰＢＣＨで表現されてもよく、ＮＲ−ＰＨＩＣＨは、ＰＨＩＣＨで表現されてもよい。
【００５４】
無線通信システムでは、セルが周期的にＲＳ（ｒｅｆｅｒｅｎｃｅ  ｓｉｇｎａｌ）を伝送し、端末がＲＳを受信する。端末は、受信したＲＳからセルの存在を探知し、セルで端末で形成された無線リンクの品質を判断する。無線リンクの品質には、応用の目的により多様な方法が適用され得る。ＴＳ（ｔｅｃｈｎｉｃａｌ  ｓｐｅｃｉｆｉｃａｔｉｏｎ）３６．２１３で定義される端末測定（ｍｅａｓｕｒｅｍｅｎｔ）は、ＣＳＩ（ｃｈａｎｎｅｌ  ｓｔａｔｅ  ｉｎｆｏｒｍａｔｉｏｎ）測定を含む。ＴＳ３６．２１４で定義される端末測定は、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ）、ＲＳＳＩ（ｒｅｃｅｉｖｅｄ  ｓｉｇｎａｌ  ｓｔｒｅｎｇｔｈ  ｉｎｄｉｃａｔｏｒ）、およびＲＳ−ＳＩＮＲ（ｓｉｇｎａｌ  ｔｏ  ｉｎｔｅｒｆｅｒｅｎｃｅ  ｐｌｕｓ  ｎｏｉｓｅ  ｒａｔｉｏ）を含む。
【００５５】
ＣＳＩ測定は、基地局にＲＲＣ（ｒａｄｉｏ  ｒｅｓｏｕｒｃｅ  ｃｏｎｔｒｏｌ）連結されている端末（例、ＲＲＣ＿ＣＯＮＮＥＣＴＥＤ  ＵＥ）により行われる。ＣＳＩリファレンスリソース（ｒｅｆｅｒｅｎｃｅ  ｒｅｓｏｕｒｃｅ）でＰＤＳＣＨ（ｐｈｙｓｉｃａｌ  ｄｏｗｎｌｉｎｋ  ｓｈａｒｅｄ  ｃｈａｎｎｅｌ）が伝送される場合にＢＬＥＲ（ｂｌｏｃｋ  ｅｒｒｏｒ  ｒａｔｅ）が１０％に該当するように、ＣＳＩ報告（ｒｅｐｏｒｔ）が生成される。
【００５６】
サービングセル（またはサービングセル基地局）により設定されたＴＭ（ｔｒａｎｓｍｉｓｓｉｏｎ  ｍｏｄｅ）に対応するＲＳが異なる。例えば、ＴＭ５の場合にＲＳはＣＲＳ（ｃｅｌｌ−ｓｐｅｃｉｆｉｃ  ｒｅｆｅｒｅｎｃｅ  ｓｉｇｎａｌ）であり、ＴＭ１０の場合にＲＳはＣＳＩ−ＲＳである。これに伴い、ＰＭＩ（ｐｒｅｃｏｄｉｎｇ  ｍａｔｒｉｘ  ｉｎｄｉｃａｔｏｒ）、ＲＩ（ｒａｎｋ  ｉｎｄｉｃａｔｏｒ）、ＣＱＩ（ｃｈａｎｎｅｌ  ｑｕａｌｉｔｙ  ｉｎｄｉｃａｔｏｒ）、またはＣＲＩ（ＣＳＩ−ＲＳ  ｒｅｓｏｕｒｃｅ  ｉｎｄｉｃａｔｏｒ）が導き出される。本明細書で、セルはセルを提供またはサービスする基地局を意味し得る。
【００５７】
ＲＳＲＰ測定は、基地局にＲＲＣ連結されている端末（例、ＲＲＣ＿ＣＯＮＮＥＣＴＥＤ  ＵＥ）と基地局にＲＲＣ連結されていない端末（例、ＲＲＣ＿ＩＤＬＥ  ＵＥ）により行われる。このために、ＣＲＳアンテナポート（ｐｏｒｔ）０が使用され、ＣＲＳアンテナポート０とＣＲＳアンテナポート１も使用され得る。端末は、ＣＲＳを構成するシーケンス（数列）をすでに知っており、ＣＲＳを含むシンボルの時間ドメインの境界をすでに知っているため、ＣＲＳを含むＲＥで適切な受信アルゴリズムを通じてＲＳＲＰを測定する。本明細書で、時間ドメインシンボルは、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル、またはＳＣ（ｓｉｎｇｌｅ  ｃａｒｒｉｅｒ）−ＦＤＭＡ（ｆｒｅｑｕｅｎｃｙ  ｄｉｖｉｓｉｏｎ  ｍｕｌｔｉｐｌｅ  ａｃｃｅｓｓ）シンボルなどであり得る。ただし、これは例示に過ぎず、時間ドメインシンボルがＯＦＤＭシンボルやＳＣ−ＦＤＭＡシンボルと異なるシンボルである場合にも本発明は適用され得る。本明細書で、時間ドメインシンボルはシンボルで表現され得る。端末が活用するサブキャリア（ｓｕｂｃａｒｒｉｅｒ）の個数は、サービングセルによって許容された測定帯域幅（例、ＡｌｌｏｗｅｄＭｅａｓＢａｎｄｗｉｄｔｈ）を従う。端末は、ＲＳＲＰ測定のために、サービングセルによって設定された測定サブフレームパターン（例、ＭｅａｓＳｕｂｆｒａｍｅＰａｔｔｅｒｎ）が許容するサブフレーム／スロットのみを活用する。端末は、ＲＳＲＰ測定のために、ＤＭＴＣ（ｄｉｓｃｏｖｅｒｙ  ｒｅｆｅｒｅｎｃｅ  ｓｉｇｎａｌ  ｍｅａｓｕｒｅｍｅｎｔ  ｔｉｍｉｎｇ  ｃｏｎｆｉｇｕｒａｔｉｏｎ）に属するサブフレーム／スロットのみを活用する。ＲＳＲＰの単位はｄＢｍであり、ＴＳで定義された自然数に変換されて表現される。
【００５８】
ＲＳＲＱ測定は、基地局にＲＲＣ連結されている端末（例、ＲＲＣ＿ＣＯＮＮＥＣＴＥＤ  ＵＥ）と基地局にＲＲＣ連結されていない端末（例、ＲＲＣ＿ＩＤＬＥ  ＵＥ）により行われる。ＲＳＲＱは、ＲＳＲＰとＲＳＳＩ間の比率で定義される。ＲＳＳＩ測定は、ＣＲＳアンテナポート０を含むＯＦＤＭシンボルで行われるか、サービングセルによる別途の設定がある場合にすべてのＯＦＤＭシンボルがＲＳＳＩ測定のために活用される。ＲＳＲＰ測定のために活用されたＰＲＢ（ｐｈｙｓｉｃａｌ  ｒｅｓｏｕｒｃｅ  ｂｌｏｃｋ）に属するサブキャリアのみが、ＲＳＳＩ測定のために活用される。端末がＲＳＳＩ測定のために活用するサブフレーム／スロットは、ＲＳＲＰ測定のために活用されたサブフレーム／スロットに該当する。ＲＳＲＱの単位はｄＢであり、ＴＳで定義された整数に変換されて表現される。
【００５９】
端末がＲＳＳＩを別途に測定する場合には、基地局にＲＲＣ連結されている端末（例、ＲＲＣ＿ＣＯＮＮＥＣＴＥＤ  ＵＥ）がこれを行い、ＲＭＴＣ（ＲＳＳＩ  ｍｅａｓｕｒｅｍｅｎｔ  ｔｉｍｉｎｇ  ｃｏｎｆｉｇｕｒａｔｉｏｎ）により設定されたサブフレーム／スロットでのみＲＳＳＩを測定する。ＲＳＳＩ測定のために活用されるＯＦＤＭシンボルの個数は、ＲＭＴＣによって設定され得る。ＲＳＳＩ測定タイミングは、サービングセルのＤＬ（ｄｏｗｎｌｉｎｋ）タイミングを使用する。ＲＳＳＩの単位はｄＢｍであり、ＴＳで定義された自然数に変換されて表現される。
【００６０】
ＲＳ−ＳＩＮＲ測定は、基地局にＲＲＣ連結されている端末（例、ＲＲＣ＿ＣＯＮＮＥＣＴＥＤ  ＵＥ）により行われ、ＣＲＳアンテナポート０を含むＲＥで行われる。ＲＳ−ＳＩＮＲ測定は、サービングセルによって許容されるサブフレーム／スロットで行われる。ＲＳ−ＳＩＮＲの単位はｄＢであり、ＴＳで定義された自然数に変換されて表現される。
【００６１】
ＣＳＩ−ＲＳＲＰ測定は、基地局にＲＲＣ連結されている端末（例、ＲＲＣ＿ＣＯＮＮＥＣＴＥＤ  ＵＥ）により行われ、ＣＳＩ−ＲＳアンテナポート１５を含むＲＥで行われる。端末は、ＤＭＴＣによって設定されたサブフレーム／スロットに属するサブフレーム／スロットでＣＳＩ−ＲＳＲＰを測定する。サービングセルによって許容された帯域幅に属するサブキャリアがＣＳＩ−ＲＳＲＰ測定のために活用される。ＣＳＩ−ＲＳＲＰの単位はｄＢｍであり、ＴＳで定義された自然数に変換されて表現される。
【００６２】
サービングセルは、このような端末の測定を多用途に活用することができる。サービングセルのリンクアダプテーション（ｌｉｎｋ  ａｄａｐｔａｔｉｏｎ）は、基地局にＲＲＣ連結されている端末（例、ＲＲＣ＿ＣＯＮＮＥＣＴＥＤ  ＵＥ）のＣＱＩによりＤＬスケジューリング（ｓｃｈｅｄｕｌｉｎｇ）を行うことができる。端末に設定されたＴＭにより、ＳＵ（ｓｉｎｇｌｅ  ｕｓｅｒ）−ＭＩＭＯ（ｍｕｌｔｉｐｌｅ  ｉｎｐｕｔ  ｍｕｌｔｉｐｌｅ  ｏｕｔｐｕｔ）動作あるいはＭＵ（ｍｕｌｔｉｐｌｅ  ｕｓｅｒ）−ＭＩＭＯ動作が行われ得、オープンループ（ｏｐｅｎ  ｌｏｏｐ）ＭＩＭＯ動作が行われ得る。サービングセルのＤＬロードバランシング（ｌｏａｄ  ｂａｌａｎｃｉｎｇ）は、基地局にＲＲＣ連結されている端末（例、ＲＲＣ＿ＣＯＮＮＥＣＴＥＤ  ＵＥ）のＲＳＲＰあるいはＲＳＲＱによりセル再選択（ｃｅｌｌ  ｒｅｓｅｌｅｃｔｉｏｎ）が行われるように、端末にＲＲＣ連結（ｃｏｎｎｅｃｔｉｏｎ）を再設定する。サービングセルのハンドオーバー（ｈａｎｄｏｖｅｒ）は、基地局にＲＲＣ連結されている端末（例、ＲＲＣ＿ＣＯＮＮＥＣＴＥＤ  ＵＥ）の移動性を支援するために、ＲＳＲＰあるいはＲＳＲＱを利用する。
【００６３】
サービングセルが動作する周波数の場合に、端末は、ＤＬサブフレーム／スロットでのみＲＲＭ（ｒａｄｉｏ  ｒｅｓｏｕｒｃｅ  ｍａｎａｇｅｍｅｎｔ）測定を行うことができる。しかし、インター周波数（ｉｎｔｅｒ−ｆｒｅｑｕｅｎｃｙ）ＲＲＭ測定の場合、あるいはＬＴＥ（ｌｏｎｇ  ｔｅｒｍ  ｅｖｏｌｕｔｉｏｎ）ＴＤＤ（ｔｉｍｅ  ｄｉｖｉｓｉｏｎ  ｄｕｐｌｅｘｉｎｇ）で隣のセル（ｎｅｉｇｈｂｏｒ  ｃｅｌｌ）が考慮される場合に、端末は、特定のサブフレーム／スロットがＤＬサブフレーム／スロットであるかを判断することができなければならない。このために、サービングセルは、測定オブジェクト設定（ｍｅａｓｕｒｅｍｅｎｔ  ｏｂｊｅｃｔ  ｃｏｎｆｉｇｕｒａｔｉｏｎ）を通じて、セル識別子リスト（ｃｅｌｌ  ＩＤ  ｌｉｓｔ）とともに、ＴＤＤ  ＵＬ（ｕｐｌｉｎｋ）−ＤＬサブフレーム／スロット設定（ｃｏｎｆｉｇｕｒａｔｉｏｎ）とＭＢＳＦＮ（ｍｕｌｔｉｍｅｄｉａ  ｂｒｏａｄｃａｓｔ  ｍｕｌｔｉｃａｓｔ  ｓｅｒｖｉｃｅ  ｏｖｅｒ  ｓｉｎｇｌｅ  ｆｒｅｑｕｅｎｃｙ  ｎｅｔｗｏｒｋ）サブフレーム／スロット設定（ｃｏｎｆｉｇｕｒａｔｉｏｎ）を端末に設定する。端末は、これによって、有効なＤＬサブフレーム／スロットを抽出してＲＲＭ測定のために使用する。
【００６４】
３ＧＰＰ（３ｒｄ  ｇｅｎｅｒａｔｉｏｎ  ｐａｒｔｎｅｒｓｈｉｐ  ｐｒｏｊｅｃｔ）ＮＲ（ｎｅｗ  ｒａｄｉｏ）は、ｅＭＢＢ（ｅｎｈａｎｃｅｄ  ｍｏｂｉｌｅ  ｂｒｏａｄｂａｎｄ）のサービスシナリオ、ＵＲＬＬＣ（ｕｌｔｒａ−ｒｅｌｉａｂｌｅ  ｌｏｗ  ｌａｔｅｎｃｙ  ｃｏｍｍｕｎｉｃａｔｉｏｎ）のサービスシナリオ、そして、ｍＭＴＣ（ｍａｓｓｉｖｅ  ｍａｃｈｉｎｅ  ｔｙｐｅ  ｃｏｍｍｕｎｉｃａｔｉｏｎｓ）のサービスシナリオを支援するために、技術的な要求事項を研究している。
【００６５】
ｅＭＢＢは、大容量のトラフィックを処理しようとする。ＵＲＬＬＣは、Ｅ２Ｅ（ｅｎｄ−ｔｏ−ｅｎｄ）Ｌ２（ｌａｙｅｒ  ２）の遅延時間を減らし、Ｌ１（ｌａｙｅｒ  １）パケットエラー率（ｐａｃｋｅｔ  ｅｒｒｏｒ  ｒａｔｅ）を減らそうとする。ｍＭＴＣは、端末が地理的に高い密度で分布した状況で、時折発生するトラフィックを少数のサービングセル基地局を通じてサービスしようとする。本発明は、ｅＭＢＢとＵＲＬＬＣが少なくとも同時に支援され、可能な場合にｍＭＴＣも共に支援される場合を考慮し得る。特に、ＵＲＬＬＣを支援するためには、より短いＴＴＩ（ｔｒａｎｓｍｉｓｓｉｏｎ  ｔｉｍｅ  ｉｎｔｅｒｖａｌ）を定義する方法とより短いプロセシング時間（ｐｒｏｃｅｓｓｉｎｇ  ｔｉｍｅ）を有するように、チャネルエンコーダ（ｃｈａｎｎｅｌ  ｅｎｃｏｄｅｒ）とチャネルデコーダ（ｃｈａｎｎｅｌ  ｄｅｃｏｄｅｒ）を設計するか、コードワードのサイズ（ｃｏｄｅｗｏｒｄ  ｓｉｚｅ）を減らす方法がある。
【００６６】
より短いＴＴＩを定義する方法には、ＴＴＩを構成する時間ドメインシンボルの個数を減らす方法あるいはマルチキャリア（ｍｕｌｔｉｃａｒｒｉｅｒ）シンボルを構成するサブキャリア間隔（ｓｕｂｃａｒｒｉｅｒ  ｓｐａｃｉｎｇ）を広げてシンボル長（ｓｙｍｂｏｌ  ｌｅｎｇｔｈ）を減らす方法が適用され得る。
【００６７】
複数のサブキャリア間隔（ｓｕｂｃａｒｒｉｅｒ  ｓｐａｃｉｎｇ）を設定して運営するｍｉｘｅｄ  ｎｕｍｅｒｏｌｏｇｙは、３ＧＰＰ  ＮＲと３ＧＰＰ  ＬＴＥを区分する特徴の一つである。
【００６８】
単面スペクトル（ｕｎｐａｉｒｅｄ  ｓｐｅｃｔｒｕｍ）を有するオペレーター（ｏｐｅｒａｔｏｒ）が３ＧＰＰ  ＮＲシステムを配置（ｄｅｐｌｏｙ）する場合には、ＴＤＤでシステムを運営することができる。一つのシステムキャリアでＤＬサブバンド（ｓｕｂｂａｎｄ）とＵＬサブバンド（ｓｕｂｂａｎｄ）を分けてＦＤＤ（ｆｒｅｑｕｅｎｃｙ  ｄｉｖｉｓｉｏｎ  ｄｕｐｌｅｘｉｎｇ）のようにシステムを運営するためには、多くのガードバンド（ｇｕａｒｄ  ｂａｎｄ）が必要である。そして、少ないガードバンドだけが割り当てられると、帯域内放出（ｉｎ−ｂａｎｄ  ｅｍｉｓｓｉｏｎ）が大きいため、全二重プロセシング（ｆｕｌｌ  ｄｕｐｌｅｘ  ｐｒｏｃｅｓｓｉｎｇ）が考慮されるべきである。ところが、セル間のＵＬ−ＤＬミスマッチ（ｍｉｓｍａｔｃｈ）と端末間のＵＬ−ＤＬミスマッチによって、信号の強度よりも干渉の強度がはるかに大きな状況が時折発生する。しかし、ＡＤＣ（ａｎａｌｏｇ  ｔｏ  ｄｉｇｉｔａｌ  ｃｏｎｖｅｒｔｅｒ）解像度（ｒｅｓｏｌｕｔｉｏｎ）が有限であるため、大きな強度の干渉が受信されると、ＡＤＣが大きな大きさに合わせて動作しつつ、相対的に微弱な信号をＡＤＣが探知できない問題が発生し得る。このため、全二重プロセシングが常に使用されることは難しい。
【００６９】
一方、３ＧＰＰ  ＮＲは、６ＧＨｚ以上の高周波と６ＧＨｚ未満の低周波の活用をすべて考慮している。６ＧＨｚ以上の高周波帯域は帯域幅が広いため、３ＧＰＰ  ＮＲは、一つのシステムキャリアにおいても十分な保護帯域（ｇｕａｒｄ  ｂａｎｄ）を割り当ててＦＤＤのようにシステムを運営することができる。ところが、６ＧＨｚ以上の高周波領域で３ＧＰＰ  ＮＲシステムが配置（ｄｅｐｌｏｙ）される場合に、無線チャネル（ｗｉｒｅｌｅｓｓ  ｃｈａｎｎｅｌ）の伝播経路損失（ｐｒｏｐａｇａｔｉｏｎ  ｐａｔｈ  ｌｏｓｓ）が大きいため、ＭＩＭＯプロセシングが必須として考慮されなければならない。このようなＭＩＭＯは、フェイズドアレイ（ｐｈａｓｅｄ  ａｒｒａｙ）に基づいているため、チャネル推定正確度（ｃｈａｎｎｅｌ  ｅｓｔｉｍａｔｉｏｎ  ａｃｃｕｒａｃｙ）によりＭＩＭＯ利得（ｇａｉｎ）の量が大きく変わる。万一ＦＤＤが使用されると、多数のＤＬアンテナポートに対するアップリンクチャネルフィードバック（ｕｐｌｉｎｋ  ｃｈａｎｎｅｌ  ｆｅｅｄｂａｃｋ）は、アップリンク信号オーバーヘッドを必要とする。その反面、ＴＤＤでシステムが運営される場合には、チャネル可逆性（ｃｈａｎｎｅｌ  ｒｅｃｉｐｒｏｃｉｔｙ）が利用され、ＴｘＵ（ｔｒａｎｓｍｉｔｔｅｒ  ｕｎｉｔ）とＲｘＵ（ｒｅｃｅｉｖｅｒ  ｕｎｉｔ）が適切にキャリブレーション（ｃａｌｉｂｒａｔｉｏｎ）されるのであれば、ＵＬ信号を通じてＤＬチャネル応答（ｃｈａｎｎｅｌ  ｒｅｓｐｏｎｓｅ）が推定され得る。ＴＤＤが使用されると、アップリンク信号オーバーヘッドを避けることができるという長所がある。換言すると、ＴＤＤが使用されると、より多くの個数のアンテナポートが定義され得る。
【００７０】
ＴＤＤを活用してｅＭＢＢとＵＲＬＬＣを共に支援するシナリオが考慮されると、ＵＲＬＬＣの低遅延性能が改善されなければならない。３ＧＰＰ  ＬＴＥ  ＴＤＤの場合に、サービングセル基地局は、ＲＲＣ設定を通じて、端末のためのＵＬ−ＤＬサブフレーム／スロットパターンを定義する。ＤＬトラフィックの場合に、もしサービングセル基地局が端末に、スケジューリング割り当て（ｓｃｈｅｄｕｌｉｎｇ  ａｓｓｉｇｎｍｅｎｔ）とＤＬデータをＤＬサブフレーム／スロットで伝送すると、端末は、ＵＬ  ＨＡＲＱ（ｈｙｂｒｉｄ  ａｕｔｏｍａｔｉｃ  ｒｅｐｅａｔ  ａｎｄ  ｒｅｑｕｅｓｔ）をＵＬサブフレーム／スロットで伝送する。したがって、ＤＬトラフィックのＬ１遅延は、ＤＬサブフレーム／スロットとＵＬサブフレーム／スロットが現れる頻度に依存する。ＵＬトラフィックの場合に、もしサービングセル基地局が端末に、スケジューリンググラント（ｓｃｈｅｄｕｌｉｎｇ  ｇｒａｎｔ）をＤＬサブフレーム／スロットで伝送すると、端末は、ＵＬサブフレーム／スロットでＵＬデータを伝送し、サービングセル基地局は、ＤＬ  ＨＡＲＱをＤＬサブフレーム／スロットで伝送する。したがって、ＵＬトラフィックのＬ１遅延は、ＤＬサブフレーム／スロットとＵＬサブフレーム／スロットが現れる頻度に依存する。
【００７１】
反面、ＦＤＤを活用してＵＲＬＬＣを支援するシナリオの場合に、ＤＬサブフレーム／スロットとＵＬサブフレーム／スロットが常に存在するため、ＦＤＤのＬ１遅延は、常にＴＤＤのＬ１遅延より同じであるか少ない。
【００７２】
このような短所を補完するために、サブフレーム／スロットパターンを各サブフレーム／スロットで変換する方法が使用され得る。サービングセル基地局からスケジューリング割り当て（ｓｃｈｅｄｕｌｉｎｇ  ａｓｓｉｇｎｍｅｎｔ）を受信した端末は、該当サブフレーム／スロットをＤＬサブフレーム／スロットと見なす。サービングセル基地局からスケジューリンググラントを受信した端末は、該当サブフレーム／スロットをＵＬサブフレーム／スロットと見なす。その他の場合に属する端末は、該当サブフレーム／スロットをＤＬサブフレーム／スロットと仮定せずＵＬサブフレーム／スロットとも仮定しない。このような方法が３ＧＰＰ  ＮＲに適用される場合に、アイドル（ｉｄｌｅ）状態の端末がＲＲＭ測定を行うために、サービングセル基地局は、一部の無線リソースを常に固定的なＤＬリソースとして割り当てなければならない。サービングセル基地局は、特定のサブフレーム／スロットでこのような固定（ｆｉｘｅｄ）ＤＬリソースを規定することができる。固定ＤＬリソースは、ＤＲＳ（ｄｉｓｃｏｖｅｒｙ  ｒｅｆｅｒｅｎｃｅ  ｓｉｇｎａｌ）、ＰＤＣＣＨ（ｐｈｙｓｉｃａｌ  ｄｏｗｎｌｉｎｋ  ｃｏｎｔｒｏｌ  ｃｈａｎｎｅｌ）およびＳＩＢ（ｓｙｓｔｅｍ  ｉｎｆｏｒｍａｔｉｏｎ  ｂｌｏｃｋ）等の情報を含むことができる。３ＧＰＰ  ＮＲは、このような方式をダイナミック（ｄｙｎａｍｉｃ）ＴＤＤと命名する。３ＧＰＰ  ＮＲ  ＴＤＤがダイナミックＴＤＤとして運営されると、サービングセル基地局は、必要に応じて任意のＵＬリソースと任意のＤＬリソースを割り当てることができるため、ＵＲＬＬＣシナリオのＬ１遅延を減らすことができる。ダイナミックＴＤＤは、３ＧＰＰ  ＮＲと３ＧＰＰ  ＬＴＥを区分する特徴の一つである。
【００７３】
３ＧＰＰ  ＬＴＥ  ＴＤＤの場合には、端末がＤＬサブフレーム／スロットあるいは特別（ｓｐｅｃｉａｌ）サブフレーム／スロットでＤＬリソースをあらかじめ予測することができる。例えば、ＤＬリソースは、サブフレーム／スロットタイプによって許容されるＤＬシンボルのすべてのサブキャリアを意味するため、３ＧＰＰ  ＬＴＥ端末は、ＤＬシンボルをすべて利用してＲＳＳＩを測定することができ、ＲＳを含むサブキャリアでＲＳＲＰを測定することができる。インター周波数測定（ｉｎｔｅｒ−ｆｒｅｑｕｅｎｃｙ  ｍｅａｓｕｒｅｍｅｎｔ）の場合にも、３ＧＰＰ  ＬＴＥ端末は、特定のサブフレーム／スロットのサブフレーム／スロットタイプを容易に決定することができる。例えば、万一、端末がＰＳＳ（ｐｒｉｍａｒｙ  ｓｙｎｃｈｒｏｎｉｚａｔｉｏｎ  ｓｉｇｎａｌ）を探知した場合に、該当サブフレーム／スロットを特別サブフレーム／スロットであるかＤＬサブフレーム／スロットであると仮定することができる。万一、端末がＳＳＳ（ｓｅｃｏｎｄａｒｙ  ｓｙｎｃｈｒｏｎｉｚａｔｉｏｎ  ｓｉｇｎａｌ）を探知した場合に、該当サブフレーム／スロットをＤＬサブフレーム／スロットであると仮定することができる。万一、３ＧＰＰ  ＬＴＥ端末にＵＬ−ＤＬサブフレーム設定（ｃｏｎｆｉｇｕｒａｔｉｏｎ）が設定された場合には、もし３ＧＰＰ  ＬＴＥ端末が該当サブフレーム／スロットのサブフレーム／スロットインデックスを知っているのであれば、以降に現れるサブフレーム／スロットのタイプをあらかじめ知ることができる。
【００７４】
反面、３ＧＰＰ  ＮＲ  ＴＤＤがダイナミックＴＤＤとして運営される場合に、固定ＤＬリソースは、サブフレーム／スロットタイプに関係なくＴＳで決定される。これは、３ＧＰＰ  ＮＲ端末がアイドル状態であり、該当セルが別途の事前情報を有しておらずとも、初期接続（ｉｎｉｔｉａｌ  ａｃｃｅｓｓ）が許容されるためである。固定ＤＬリソースは少なくともＮＲ−ＰＤＣＣＨとＤＬ  ＮＲ−ＤＲＳを含む。固定ＤＬリソースは、一つのヌメロロジー（ｎｕｍｅｒｏｌｏｇｙ）を有することができる。
【００７５】
３ＧＰＰ  ＮＲ  ＴＤＤシステムに適用され得るサブフレーム／スロットタイプは、少なくとも図１、図２および図３に例示された場合を含むことができる（リファレンスシステム）。
【００７６】
図１は、本発明の実施例に係る３ＧＰＰ  ＮＲ  ＴＤＤの場合にＲＲＭ測定に適用され得るサブフレーム／スロットタイプを示す図面である。図１において、横軸はサブフレーム／スロットを示し、縦軸はキャリア帯域幅を示す。
【００７７】
具体的には、図１の（ａ）には、ＤＬ−中心的（ｃｅｎｔｒｉｃ）サブフレーム／スロットが例示されている。固定ＤＬリソースは、サブフレーム／スロットに属する複数のシンボルのうち１番目のシンボルを含み、時間的に早い時点（例、スロットの前方）に伝送される。固定ＤＬリソースを含むシンボルは、すべてのサブキャリアでＤＬ領域（ｒｅｇｉｏｎ）と仮定される。その後、残りのシンボルは、すべてＤＬ領域（ｒｅｇｉｏｎ）として利用される。これは、ＧＰ（ｇｕａｒｄ  ｐｅｒｉｏｄ）＝０に該当する。万一、必要な場合（例、ＧＰ≧１）に、ＧＰはＲＲＣを通じて設定されたりＴＳにＧＰが定義され得、このような場合に、ＧＰに該当するシンボルは、ＤＬ領域（ｒｅｇｉｏｎ）と仮定されない。ＤＬ領域（ｒｅｇｉｏｎ）では、複数のヌメロロジー（ｎｕｍｅｒｏｌｏｇｙ）を含むＤＬデータが設定され得る。
【００７８】
図１の（ｂ）にはＵＬ−中心的（ｃｅｎｔｒｉｃ）サブフレーム／スロットが例示されている。固定ＤＬリソースは、サブフレーム／スロットに属する複数のシンボルのうち１番目のシンボルを含み、時間的に早い時点（例、スロットの前方）に伝送される。固定ＤＬリソースを含むシンボルは、すべてのサブキャリアでＤＬ領域（ｒｅｇｉｏｎ）と仮定される。固定ＤＬリソースの次に位置するシンボルは、ＧＰに該当し、端末のプロセシング遅延（ｐｒｏｃｅｓｓｉｎｇ  ｄｅｌａｙ）とタイミングアドバンスコマンド（ｔｉｍｉｎｇ  ａｄｖａｎｃｅ  ｃｏｍｍａｎｄ）を考慮してサービングセル基地局は、適切な個数のシンボルをＧＰのために設定しなければならない。ＧＰは、すべてのサブキャリアで、ＤＬ領域（ｒｅｇｉｏｎ）に属さず、ＵＬ領域（ｒｅｇｉｏｎ）にも属さない。ＧＰの後に位置するシンボルは、ＵＬ領域（ｒｅｇｉｏｎ）に該当し、該当シンボルにはＵＬデータが割り当てられる。
【００７９】
図２は、本発明の実施例に係るＤＬ領域（ｒｅｇｉｏｎ）とＵＬ領域（ｒｅｇｉｏｎ）が共に割り当てられる特別サブフレーム／スロットで３ＧＰＰ  ＮＲ  ＴＤＤを構成した場合を示す図面である。図２にはＲＲＭ測定に適用されるサブフレーム／スロットが例示されている。図２において、横軸はサブフレーム／スロットを示し、縦軸はキャリア帯域幅を示す。
【００８０】
サブフレーム／スロットの中間領域でＧＰとして割り当てられたシンボルの以前にはＤＬ領域（ｒｅｇｉｏｎ）が割り当てられ、ＧＰとして割り当てられたシンボルの以後にはＵＬ領域（ｒｅｇｉｏｎ）が割り当てられる。ＤＬ領域（ｒｅｇｉｏｎ）は少なくとも固定ＤＬリソースを含む。ＵＬ領域（ｒｅｇｉｏｎ）は、各サブフレーム／スロット毎に少なくとも一つのシンボルを含む。
【００８１】
具体的には、図２の（ａ）にはＤＬ−中心的（ｃｅｎｔｒｉｃ）特別サブフレーム／スロットが例示されている。ＤＬ領域（ｒｅｇｉｏｎ）がサブフレーム／スロットの大部分を占める。
【００８２】
図２の（ｂ）にはＵＬ−中心的（ｃｅｎｔｒｉｃ）特別サブフレーム／スロットが例示されている。固定ＤＬリソースを含むＤＬ領域（ｒｅｇｉｏｎ）よりＵＬ領域（ｒｅｇｉｏｎ）がサブフレーム／スロットの大部分を占める。
【００８３】
サービングセル基地局は、このようなＤＬ−中心的（ｃｅｎｔｒｉｃ）サブフレーム／スロットやＵＬ−中心的（ｃｅｎｔｒｉｃ）サブフレーム／スロットを、各サブフレーム／スロット毎に異なるように活用することができる。
【００８４】
図３は、本発明の実施例に係るＲＲＭ測定のために使用されるサブフレーム／スロットが端末を特定して（例、ＵＥ−ｓｐｅｃｉｆｉｃ）設定される場合を示す図面である。図３において、横軸はサブフレーム／スロットを示し、縦軸はキャリア帯域幅を示す。
【００８５】
図３の（ａ）にはＤＬ−中心的（ｃｅｎｔｒｉｃ）サブフレーム／スロットが例示されており、図３の（ｂ）にはＵＬ−中心的（ｃｅｎｔｒｉｃ）サブフレーム／スロットが例示されており、図３の（ｃ）には特別サブフレーム／スロットが例示されている。
【００８６】
具体的には、図３の（ａ）に例示された通り、サービングセル基地局は、セルを特定した（ｃｅｌｌ−ｓｐｅｃｉｆｉｃ）サブフレーム／スロットタイプが特別サブフレーム／スロットとして固定されるが、スケジューラーの判断を通じて端末にＤＬデータ（またはＤＬリソース）をスケジューリングすることができる。図３の（ｂ）に例示された通り、サービングセル基地局は、ＵＬデータ（またはＵＬリソース）を端末にグラント（ｇｒａｎｔ）することができる。図３の（ｃ）に例示された通り、サービングセル基地局は、同じサブフレーム／スロットで、ＤＬデータ（またはＤＬリソース）とＵＬデータ（またはＵＬリソース）を割り当てる（またはスケジューリング、グラント）ことができる。
【００８７】
図３の場合に、別途のＧＰがセルを特定（ｃｅｌｌ−ｓｐｅｃｉｆｉｃ）するように定義されず、ＤＬ領域（ｒｅｇｉｏｎ）とＵＬ領域（ｒｅｇｉｏｎ）が定義される。
【００８８】
３ＧＰＰ  ＮＲセルは、端末を特定した（例、ＵＥ−ｓｐｅｃｉｆｉｃ）ＧＰを暗示的に（ｉｍｐｌｉｃｉｔｌｙ）割り当ててＧＰオーバーヘッドを減らすことができる。セルを特定した（ｃｅｌｌ−ｓｐｅｃｉｆｉｃ）ＧＰがないため、スケジューラーは、ＤＬ−ＵＬ干渉を調節してスケジューリングを行わなければならない。例えば、サービングセルが互いに異なる二つの端末（ＵＥ１、ＵＥ２）に互いに異なるサブフレーム／スロットタイプを割り当て、二つの端末（ＵＥ１、ＵＥ２）がカバレッジの境界地域（例、ｃｅｌｌ  ｅｄｇｅ）で類似する地理的位置を有する場合に、ＤＬ−中心的（ｃｅｎｔｒｉｃ）サブフレーム／スロットが割り当てられた端末（ＵＥ１）については電波遅延（ｐｒｏｐａｇａｔｉｏｎ  ｄｅｌａｙ）が大きく、ＵＬ−中心的（ｃｅｎｔｒｉｃ）サブフレーム／スロットが割り当てられた端末（ＵＥ２）についてはタイミングアドバンス（ｔｉｍｉｎｇ  ａｄｖａｎｃｅ）が大きい。このような場合に、特定のシンボルで干渉が発生し、一方の端末（ＵＥ１）は犠牲者（ｖｉｃｔｉｍ）として作用し、他方の端末（ＵＥ２）は攻撃者（ａｇｇｒｅｓｓｏｒ）として作用する。したがって、サービングセル基地局は、ＤＬデータによって獲得されるシンボルの個数とＵＬデータによって獲得されるシンボルの個数を適切に調節し、前述した干渉シナリオを防止できるように調節を行わなければならない。
【００８９】
一方、移動通信システムは、電波特性が良い低い帯域（例、２ＧＨｚ）に主に配置（ｄｅｐｌｏｙ）されるため、基地局が別途のビーム形成（ｂｅａｍｆｏｒｍｉｎｇ）を行わなくても、端末が情報を受信することは相対的に容易である。例えば、３ＧＰＰ  ＬＴＥの場合に、基地局アンテナは、相対的に高い位置（例、建物の屋上）に設置される。端末が相対的に低い位置にあるため、基地局アンテナは、水平より多少低い角度で操縦（ｓｔｅｅｒ）される。これは機械的操向（ｍｅｃｈａｎｉｃａｌ  ｔｉｌｔｉｎｇ）である。基地局が電気的操向（ｅｌｅｃｔｒｉｃａｌ  ｔｉｌｔｉｎｇ）を行うためには、端末からチャネル情報のフィードバックを受けて基底帯域（ｂａｓｅｂａｎｄ）で前処理（ｐｒｅｃｏｄｉｎｇ）を行う。これは電気的操向に対応して解析され得る。
【００９０】
基地局は、別途の基底帯域前処理がなくても、機械的操向を利用して同期信号（例、ＰＳＳ、ＳＳＳ）とセル共通信号（例、ＣＲＳ）を周期的に伝送し、ＰＢＣＨ（ｐｈｙｓｉｃａｌ  ｂｒｏａｄｃａｓｔ  ｃｈａｎｎｅｌ）も周期的に伝送する。端末は、ＰＳＳ、ＳＳＳ、ＣＲＳ、ＰＢＣＨを受信して同期を獲得し、ＰＢＣＨに含まれたＭＩＢ（ｍａｓｔｅｒ  ｉｎｆｏｒｍａｔｉｏｎ  ｂｌｏｃｋ）を復号する。このような情報は、ＰＤＣＣＨ探索とＳＩＢ受信のために利用され得る。
【００９１】
その反面、高い帯域（例、６０ＧＨｚ）で動作する移動通信システムが考慮されるのであれば、基地局は、別途のビーム形成（ｂｅａｍｆｏｒｍｉｎｇ）を通じて端末に情報を伝送することができる。高い帯域は、電波の回折特性と反射特性が悪いため、一般的に電波特性が悪い。したがって、基地局が端末にデータを伝送するためには、機械的操向だけでなく電気的操向をすべて使用することができる。そして、端末に伝達される必須のシステム情報も、基地局は、ビーム形成を利用して効率的に伝送することができる。基地局は、このようなビーム形成を、端末からのフィードバック情報を通じて決定することができる。例えば、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１  ａｄによると、数十ＧＨｚ帯域で動作する無線通信システムで端末が基地局と通信するために、ビームスイーピング（ｂｅａｍ  ｓｗｅｅｐｉｎｇ）手続きが行われる。
【００９２】
ビームスイーピング手続きは、二段階で構成される。ビームスイーピング手続きの第１段階では、すべての基地局セクターがそれぞれ太いビーム（ｒｏｕｇｈ  ｂｅａｍ）を形成してあらかじめ定めたパケットを伝送し、これを端末が受信する。端末は、複数の基地局セクターのうち一つを選択し、選択した基地局セクターのインデックスを基地局にフィードバックする。
【００９３】
ビームスイーピング手続きの第２段階では、基地局が端末のフィードバックを受信した後、端末によって選択した基地局セクター以内で薄いビーム（ｆｉｎｅ  ｂｅａｍ）を形成してあらかじめ定めたパケットを伝送し、これを端末が受信する。端末は、複数の薄いビームのうち一つのビームのビームインデックスを基地局にフィードバックする。基地局は、端末にデータを伝送する時に使用できる薄いビームを知ることができる。
【００９４】
このようなビームスイーピング手続きは、基地局によって形成された太いビームの個数とセクター毎に形成された薄いビームの個数の合計に正比例する複雑度を有する。万一、基地局が薄いビームだけを形成して端末に伝送すれば、より多くの個数のビームが伝送される。したがって、これは非効率的である。
【００９５】
二段階で構成されたビームスイーピング手続きを利用するためには、端末から基地局への信頼できるような（ｒｅｌｉａｂｌｅ）フィードバックリンクが存在するという仮定が必要である。しかし、端末がフィードバックを行うためには、端末が基地局からリソースの割り当てを受けるためのシステム情報が必要であるため、前述したビームスイーピング手続きが移動通信システムに適用されるには無理がある。基地局や端末がエラー率（ｅｒｒｏｒ  ｐｒｏｂａｂｉｌｉｔｙ）を低くするために繰り返し伝送（ｒｅｐｅｔｉｔｉｏｎ）を行うかあるいは低い符号率（ｃｏｄｅ  ｒａｔｅ）で伝送を行わなければならないため、伝送リソースが追加に割り当てられるべきである。
【００９６】
したがって、数十ＧＨｚで動作するＮＲシステムでデータ（例、ＮＲ−ＰＤＳＣＨ）が伝送されるためには、ビーム形成された制御チャネル（例、ＮＲ−ＰＤＣＣＨ）が端末に伝送されなければならない。これは、システム情報（例、ＮＲ−ＳＩＢ）にも適用される。端末は、ＮＲ−ＰＤＣＣＨを通じて受信したＤＬ割り当て（ａｓｓｉｇｎｍｅｎｔ）から、ＮＲ−ＳＩＢが存在するリソース（例、ＮＲ−ＰＤＳＣＨ）の位置を知ることができる。基地局がビーム形成方式を決定するためには端末のフィードバックが必ず必要であるため、これを指示（ｉｎｄｉｃａｔｅ）するための別途の物理チャネルが必要である。ＮＲ−ＰＢＣＨがこのような役割を行う。基地局は、規格で定められたリソースを利用して、周期的にＮＲ−ＰＢＣＨを伝送する。万一、基地局がビームスイーピングを利用する場合に、基地局は、ＮＲ同期信号と所定の相対的なリソース位置を仮定してＮＲ−ＰＢＣＨを連続して伝送することができる。伝送するたびに、基地局は、互いに異なるビームを使用することができる。
【００９７】
端末は、規格で定められた無線リソースでＮＲ−ＰＢＣＨを復号する。以下では、ＮＲ−ＰＢＣＨが有する性質について記述する。ＮＲ−サブフレームは、場合により、ＮＲ−スロットで表現され得る。ＮＲ−サブフレームは、ｘ（ただし、ｘ＝７ｏｒ１４）個のシンボルで構成される単位である。したがって、ヌメロロジー毎にＮＲ−サブフレームの長さが異なり得る
【００９８】
３ＧＰＰ  ＬＴＥシステムで基地局が周期的に伝送するＬＴＥ−ＰＢＣＨは、ＬＴＥ−ＭＩＢを含む。ＬＴＥ−ＭＩＢによって伝達される情報は、システム帯域幅（ｓｙｓｔｅｍ  ｂａｎｄｗｉｄｔｈ）、ＬＴＥ−ＰＨＩＣＨ（ｐｈｙｓｉｃａｌ  ｈｙｂｒｉｄ  ａｕｔｏｍａｔｉｃ  ｒｅｐｅａｔ  ａｎｄ  ｒｅｑｕｅｓｔ  ｉｎｄｉｃａｔｏｒ  ｃｈａｎｎｅｌ）割り当て情報、そして、システムフレーム番号（ＳＦＮ：ｓｙｓｔｅｍ  ｆｒａｍｅ  ｎｕｍｂｅｒ）に該当する。
【００９９】
システム帯域幅（ｓｙｓｔｅｍ  ｂａｎｄｗｉｄｔｈ）は、端末にＬＴＥ−ＣＲＳのシーケンスの長さを知らせ、またＬＴＥ−ＰＤＣＣＨリソースが分布する範囲を知らせることができる。
【０１００】
ＬＴＥ−ＰＨＩＣＨ割り当て情報は、ＣＣＥ（ｃｏｎｔｒｏｌ  ｃｈａｎｎｅｌ  ｅｌｅｍｅｎｔ）の位置を検出するために必要である。ＬＴＥ−ＰＤＣＣＨリソースで、ＣＣＥを割り当てないＲＥＧ（ｒｅｓｏｕｒｃｅ  ｅｌｅｍｅｎｔ  ｇｒｏｕｐ）とＣＣＥを割り当てるＲＥＧが区分される。
【０１０１】
ＳＦＮは、ＬＴＥ−ＳＩＢタイプ１に含まれたＳＩＢスケジューリング情報とＳＩ（ｓｙｓｔｅｍ  ｉｎｆｏｒｍａｔｉｏｎ）ウインドウを解析するために必要な情報である。ＳＩＢが受信されるＬＴＥ−サブフレーム／スロットの時間的な位置がＴＳによって定義されており、端末は、ＳＦＮを通じてフレーム同期を獲得し、ＬＴＥ−ＳＩＢタイプ１を受信する。
【０１０２】
ＬＴＥ−ＰＢＣＨは、ＬＴＥ−ＭＩＢを含み、ラジオフレーム（例、１０ｍｓ）毎に伝送される。ＬＴＥ−ＰＢＣＨのチャネルコーディングとメッセージの大きさ（ｓｉｚｅ）はＴＳで定義される。
【０１０３】
ＬＴＥ−ＳＩＢタイプ１は、２個のラジオフレーム（例、２０ｍｓ）毎に伝送される。ＬＴＥ−ＳＩＢタイプ１が伝送されるサブフレームはＴＳで定義されるが、ＬＴＥ−ＳＩＢタイプ１のチャネルコーディングとメッセージの大きさなどはダイナミックスケジューリングが適用されたＬＴＥ−ＰＤＣＣＨによって指示される。
【０１０４】
ＬＴＥ−ＳＩＢタイプ１以外のシステム情報は、ＬＴＥ−ＳＩＢタイプ１に含まれたスケジューリング情報リスト（例、ｓｃｈｅｄｕｌｉｎｇＩｎｆｏＬｉｓｔ）により指定されるタイプに限定され、基地局によって順に伝送される。
【０１０５】
端末は、ＴＳに定義された数式に従って、特定のサブフレームインデックスを基準としてウインドウ長（例、ｓｉ−ＷｉｎｄｏｗＬｅｎｇｔｈ）の個数に属するだけのサブフレームで、ＬＴＥ−ＰＤＣＣＨをＳＩ−ＲＮＴＩ（ｒａｄｉｏ  ｎｅｔｗｏｒｋ  ｔｅｍｐｏｒａｒｙ  ｉｄｅｎｔｉｆｉｅｒ）を通じてブラインドデコーディング（ｂｌｉｎｄ  ｄｅｃｏｄｉｎｇ）してＬＴＥ−ＳＩＢを復号する。
【０１０６】
ウインドウ（例、ｓｉ−Ｗｉｎｄｏｗ）内でＬＴＥ−ＳＩＢが１回だけ含まれ、ＬＴＥ−ＳＩＢが受信されるサブフレームインデックスを端末は、あらかじめ知ることができず、ＬＴＥ−ＳＩＢタイプをＬＴＥ−ＳＩＢタイプ１を通じてあらかじめ知ることができる。このようなタイプは唯一に決定される。
【０１０７】
ＬＴＥ−ＳＩＢタイプ１に含まれる情報は、セル選択（ｃｅｌｌ  ｓｅｌｅｃｔｉｏｎ）に適当であるか（ｓｕｉｔａｂｌｅ）どうかに関する情報と他のＳＩＢの時間ドメインスケジューリングに関する情報である。ＬＴＥ−ＳＩＢタイプ２は共通チャネル（ｃｏｍｍｏｎ  ｃｈａｎｎｅｌ）と共有チャネル（ｓｈａｒｅｄ  ｃｈａｎｎｅｌ）に関する情報を含む。ＬＴＥ−ＳＩＢタイプ３、タイプ４、タイプ５、タイプ６、タイプ７およびタイプ８は、イントラ周波数セル再選択（ｉｎｔｒａ−ｆｒｅｑｕｅｎｃｙ  ｃｅｌｌ  ｒｅｓｅｌｅｃｔｉｏｎ）、インター周波数セル再選択（ｉｎｔｅｒ−ｆｒｅｑｕｅｎｃｙ  ｃｅｌｌ  ｒｅｓｅｌｅｃｔｉｏｎ）、そして、インターＲＡＴ（ｒａｄｉｏ  ａｃｃｅｓｓ  ｔｅｃｈｎｏｌｏｇｙ）セル再選択（ｉｎｔｅｒ−ＲＡＴ  ｃｅｌｌ  ｒｅｓｅｌｅｃｔｉｏｎ）に必要なパラメーターを含む。
【０１０８】
ＮＲ−ＰＢＣＨは、前述した情報を必ずしも必要としない。万一ＮＲ−ＰＤＣＣＨが全帯域に亘って分布しない場合には、基地局は、端末にシステム帯域幅を知らせる必要がない。また、ＮＲは、適応的（ａｄａｐｔｉｖｅ）であって非同期的な（ｎｏｎ−ｓｙｎｃｈｒｏｎｏｕｓ）ＨＡＲＱ−ＡＣＫ（ａｃｋｎｏｗｌｅｄｇｍｅｎｔ）をＤＬとＵＬにすべて適用することによって、基地局は、ＮＲ−ＰＨＩＣＨを伝送しなくてもよい。または基地局がＮＲ−ＰＨＩＣＨを伝送しても、ＮＲは、ＮＲ−ＰＤＣＣＨとＮＲ−ＰＨＩＣＨがＲＥＧを共通のリソースプール（ｒｅｓｏｕｒｃｅ  ｐｏｏｌ）として使用しないように設計することができる。このような場合に、ＮＲ−ＰＢＣＨは、ＰＨＩＣＨ情報を含まない。そして、基地局がＳＩＢ伝送を周期的に行わずに、ＳＩＢ伝送を端末の要求（ｒｅｑｕｅｓｔ）によって必要になった場合のみ（ｏｎ−ｄｅｍａｎｄ）行えば、ＮＲは、ＳＦＮも必要としない。したがって、万一ＮＲ−ＰＤＣＣＨの設計がＬＴＥ−ＰＤＣＣＨの設計と異なるのであれば、基地局は、ＭＩＢを伝送する必要がなく、基地局が端末に伝送するＮＲ−ＳＩＢに前述したＳＦＮとＰＨＩＣＨ情報を含ませることができる。
【０１０９】
しかし、基地局がＮＲ−ＰＤＣＣＨを伝送するためには適切な前処理を行わなければならない。万一、基地局に別途の情報が伝達され、その情報に基づいて端末のビーム形成を行うことができる場合（例、ｎｏｎ−ｓｔａｎｄａｌｏｎｅ  ｓｃｅｎａｒｉｏ）、ＮＲ−ＰＤＣＣＨのための適切なビーム形成が行われ得る。しかし、万一ＮＲが単独で動作する場合（例、ｓｔａｎｄａｌｏｎｅ  ｓｃｅｎａｒｉｏ）、ＮＲ−ＰＤＣＣＨに適用される前処理のための情報は、端末からのＵＬフィードバックを通じて獲得され得る。
【０１１０】
これは、ＵＬ基盤の端末探索（例、ＵＥ  ｄｉｓｃｏｖｅｒｙ）が行われるケースに該当する。端末は、ＵＬ  ＮＲ−ＤＲＳを基地局に伝送する。ここで、ＵＬ  ＮＲ−ＤＲＳは、端末が別途の基地局設定に関係なく伝送する物理階層の信号を意味する。端末は、電力制御（ｐｏｗｅｒ  ｃｏｎｔｒｏｌ）およびタイミングアドバンス（ｔｉｍｉｎｇ  ａｄｖａｎｃｅ）を知らなくても、ＵＬ  ＮＲ−ＤＲＳを伝送することができる。これは、ＮＲ−ＰＲＡＣＨ（ｐｈｙｓｉｃａｌ  ｒａｎｄｏｍ  ａｃｃｅｓｓ  ｃｈａｎｎｅｌ）プリアンブルのみを意味するものではない。
【０１１１】
基地局（例、サービングセル基地局）は、ＵＬ  ＮＲ−ＤＲＳを受信し、一つ以上の端末の存在を認知することができる。基地局は、具現的に受信ビームを形成し、これをチャネル等価性（ｃｈａｎｎｅｌ  ｒｅｃｉｐｒｏｃｉｔｙ）に基づいて前処理のために活用することができる。
【０１１２】
万一、基地局がチャネル等価性を活用できない場合には、端末がＵＬ  ＮＲ−ＤＲＳが何度も伝送されるＵＬ  ＮＲ−ＤＲＳオケーション（ｏｃｃａｓｉｏｎ）を使用して送信ビームスイーピング（Ｔｘ  ｂｅａｍ  ｓｗｅｅｐｉｎｇ）を行うことができる。端末によって伝送されるＵＬ  ＮＲ−ＤＲＳのリソースは、一つ以上設定され得る。端末は、各ＵＬ  ＮＲ−ＤＲＳリソースで前処理されたＮＲ−ＤＲＳを伝送することができる。この時に活用される前処理方式は、基地局によって端末に別途指示され得る。万一、前処理方式に対する別途の指示がない場合に、端末は、前処理が適用されないかあるいは同じ前処理が適用されたＵＬ  ＮＲ−ＤＲＳを、ＵＬ  ＮＲ−ＤＲＳリソースで繰り返し伝送することができる。
【０１１３】
ＵＬ  ＮＲ−ＤＲＳリソースに属するＵＬ  ＮＲ−ＤＲＳは、必ずしも同じシーケンス識別子（ＩＤ）と同じリソース（周波数および時間リソース）を有さない。万一、端末が前処理されていないＵＬ  ＮＲ−ＤＲＳを多様なアップリンクスロットに亘って伝送する場合には、一つの長いシーケンス（数列）を利用して複数のアップリンクスロットに亘って一つのＵＬ  ＮＲ−ＤＲＳシーケンス（数列）を伝送することができる。他の方法として、一つのＵＬ  ＮＲ−ＤＲＳシーケンス（数列）の長さは、一つのアップリンクスロットの長さ以下であり得、端末は、複数のアップリンクスロットに亘って複数のＵＬ  ＮＲ−ＤＲＳシーケンス（数列）を伝送することができる。この時、ＵＬ  ＮＲ−ＤＲＳシーケンス（数列）は、必ず同じシーケンス識別子（ＩＤ）と同じリソース（周波数および時間リソース）を有することはない。
【０１１４】
端末は、ＵＬフィードバックのためにＵＬリソースを知っていなければならない。ＮＲ−ＳＲＳ（ｓｏｕｎｄｉｎｇ  ｒｅｆｅｒｅｎｃｅ  ｓｉｇｎａｌ）の設定情報は、ＬＴＥ  ＳＲＳと同等の設定を仮定する。端末は、ＮＲ−ＳＲＳの伝送電力（ｔｒａｎｓｍｉｓｓｉｏｎ  ｐｏｗｅｒ）、伝送帯域幅、そして、タイミングアドバンス（ｔｉｍｉｎｇ  ａｄｖａｎｃｅ）を知っていなければならない。
【０１１５】
ＮＲ−ＰＲＡＣＨプリアンブルの場合には、ＬＴＥ  ＰＲＡＣＨプリアンブルと同等の性質を仮定する。端末は、ＮＲ−ＰＲＡＣＨプリアンブルのリソース位置を知っていれば、該当リソースでＮＲ−ＰＲＡＣＨプリアンブルを伝送する。端末は、ＴＳで定義されたＮＲ−ＰＲＡＣＨプリアンブルインデックスセットに属するインデックスのうち端末識別情報（例、ＵＥ  ＩＤ）あるいは端末識別情報とスロットインデックスの関数を通じて、ＮＲ−ＰＲＡＣＨプリアンブルインデックスを決定し、決定されたＮＲ−ＰＲＡＣＨプリアンブルインデックスを基地局に伝送する。
【０１１６】
基地局は、ＮＲ−ＰＲＡＣＨプリアンブルインデックスを受信し、これを利用して端末がいずれの仮想セクター（ｖｉｒｔｕａｌ  ｓｅｃｔｏｒ）に位置するかを推定したりあるいは無線チャネルを推定することができる。基地局は、このように推定した情報を、チャネル等価性に基づいて前処理のために活用することができる。このように、ＮＲ−ＳＲＳよりはＮＲ−ＰＲＡＣＨプリアンブルにより要求される設定情報の量がより少ないので、ＮＲ−ＰＲＡＣＨプリアンブルは、ＵＬ  ＮＲ−ＤＲＳで活用され得る。
【０１１７】
万一、基地局がチャネル等価性を活用できない場合には、ＵＬ  ＮＲ−ＤＲＳの前処理を別途の方法を通じて決定する。基地局は、端末のＵＬ  ＮＲ−ＤＲＳ前処理情報をＮＲ−ＰＤＣＣＨあるいはランダムアクセス応答（ｒａｎｄｏｍ  ａｃｃｅｓｓ  ｒｅｓｐｏｎｓｅ）に含ませて端末に伝送することができる。
【０１１８】
基地局によって仮定されるチャネル等価性が使用されるためには、端末から受信されるＵＬ  ＮＲ−ＤＲＳが位置する無線リソースと基地局によって伝送される無線リソースが同じであることが有利である。言い換えれば、端末がＵＬ  ＮＲ−ＤＲＳをＤＬ周波数リソースを使用して伝送する方法が考慮され得る。ＮＲがＴＤＤで構成される場合には、このような方法が使用され得る。ＮＲがＦＤＤで構成される場合にも、チャネル等価性が最大限に利用されるために、端末がＤＬ周波数リソースを使用することが許容され得る。
【０１１９】
基地局が端末にＮＲ−ＰＲＡＣＨプリアンブルの設定情報を伝達するために、端末は、基地局の存在を探索しなければならない。これは、ＤＬ基盤のセル探索（ｃｅｌｌ  ｓｅａｒｃｈまたはｃｅｌｌ  ｄｉｓｃｏｖｅｒｙ）を行うケースに該当する。基地局は、ＤＬ  ＮＲ−ＤＲＳを伝送する。端末が事前に何の情報も有していなくても、ＤＬ  ＮＲ−ＤＲＳを受信してこれを活用するために、基地局によって伝送されるＤＬ  ＮＲ−ＤＲＳは規格（ｓｐｅｃｉｆｉｃａｔｉｏｎ）で定義される無線リソース（ｒａｄｉｏ  ｒｅｓｏｕｒｃｅ）を使用する。ＤＬ  ＮＲ−ＤＲＳのシーケンス（数列）は、仮想セクターのインデックスあるいは仮想セクターの識別情報（例、ｉｄｅｎｔｉｆｉｃａｔｉｏｎ）を少なくとも含む数学式から生成される。
【０１２０】
また、サービング基地局が一つの仮想セクターに適用する前処理は、ＮＲ−ＤＲＳとＮＲ−ＰＢＣＨなどに同一に適用される。本明細書で、ＮＲ−ＤＲＳ（またはＰＳＳ、ＳＳＳ）およびＮＲ−ＰＢＣＨは、ＳＳバースト（ｂｕｒｓｔ）と呼称する。したがって、本明細書で、一つの仮想セクターは、一つのＳＳバーストに１：１に対応する。
【０１２１】
ＮＲ  ＤＬ−ＤＲＳリソースの例として、ＮＲ−ＳＳＳ（またはＮＲ−ＳＳＳリソース）は、ダウンリンクの同期だけでなくＮＲ  ＤＬ−ＤＲＳリソースとして活用され得、あるいはＲＳＲＰ測定にも利用され得、あるいはＮＲ−ＰＢＣＨの復調にも活用され得る。
【０１２２】
基地局がＤＬ  ＮＲ−ＤＲＳを伝送する方法について説明する。具体的には、一つの段階でＮＲ−ＤＲＳを伝送する方法（以下、「方法Ｓ１」）と、二つの段階でＮＲ−ＤＲＳを伝送する方法（以下、「方法Ｓ２」）を説明する。
【０１２３】
方法Ｓ１では、基地局が仮想セクター毎にＤＬ  ＮＲ−ＤＲＳリソースを割り当て、端末は、ＤＬ  ＮＲ−ＤＲＳを受信してＤＬ  ＮＲ−ＤＲＳのシーケンス（数列）情報を推定する。端末は、ＤＬ  ＮＲ−ＤＲＳシーケンス（数列）から、端末が属した仮想セクターのインデックスｉを知ることができる。端末は、信頼できるような（ｒｅｌｉａｂｌｅ）フィードバックリンクを使用して仮想セクターのインデックスｉを基地局に伝達することができる。ここで、信頼できるようなフィードバックを行う方法として、前述した端末がＵＬ  ＮＲ−ＤＲＳを伝送する方法が考慮され得る。端末は、ＵＬ  ＮＲ−ＤＲＳによって使用される無線リソースを選択することによって、基地局に仮想セクターのインデックスを暗示的に（ｉｍｐｌｉｃｉｔｌｙ）伝達することができる。例えば、もし基地局が複数のＵＬ  ＮＲ−ＤＲＳリソースを設定し、端末がその中でｉ番目のＵＬ  ＮＲ−ＤＲＳリソースを選択し、選択したリソースを利用してＵＬ  ＮＲ−ＤＲＳを伝送すれば、基地局は、端末が属する仮想セクターインデックスｉを推定することができる。このように基地局は、仮想セクターのインデックスを推定し、端末から受信した信号を利用して端末へ向かうより狭いビーム（ｓｈａｒｐ  ｂｅａｍ）を形成することができる。方法Ｓ１が行われるためには、基地局が端末からの信号を利用して前処理（ｐｒｅｐｒｏｃｅｓｓｉｎｇ）を行うことができなければならない。
【０１２４】
例えば、基地局が端末に向かう狭いビームを形成するために、下記の数学式が考慮され得る。説明の便宜のために、雑音（ｎｏｉｓｅ）がない信号モデルを仮定する。基地局から端末への無線チャネルは、行列
【数１】
2019517201.tif 000003
で表現される。
【数２】
2019517201.tif 000004
は、ＤＬチャネル（ＤＬチャネルは基地局が有するアンテナの個数を列で有し、端末が有するアンテナの個数を行で有する）を、複素数の値で有する。基地局が仮想セクター（インデックスｉ）を形成しながら使用する前処理ベクトルは、
【数３】
2019517201.tif 000005
で表現され、
【数４】
2019517201.tif 000006
の長さは基地局が有するアンテナの個数に該当する。
【０１２５】
ＤＬ  ＮＲ−ＤＲＳアンテナポートが１個であると仮定される場合に、基地局は、ｉ番目の仮想セクターとｉ番目のＤＬ  ＮＲ−ＤＲＳリソースを対応させるため、同じ前処理ベクトル
【数５】
2019517201.tif 000007
が使用される。便宜上ｉ番目のＤＬ  ＮＲ−ＤＲＳの値は、１で表現され得る。端末が受信する信号は、
【数６】
2019517201.tif 000008
である。
【０１２６】
端末は、ＤＬ  ＮＲ−ＤＲＳのリソース毎に別途の線形整合フィルタ（ｌｉｎｅａｒ  ｍａｔｃｈｅｄ  ｆｉｌｔｅｒ）ベクトル
【数７】
2019517201.tif 000009
を利用して有効チャネル（ｅｆｆｅｃｔｉｖｅ  ｃｈａｎｎｅｌ）
【数８】
2019517201.tif 000010
を推定（ｅｓｔｉｍａｔｉｏｎ）する。この時の整合（ｍａｔｃｈｉｎｇ）過程は、
【数９】
2019517201.tif 000011
で表現され得、
【数１０】
2019517201.tif 000012
が得られる。ここで、複素数
【数１１】
2019517201.tif 000013
を利用して
【数１２】
2019517201.tif 000014
の大きさ（例、２−ｎｏｒｍ）は、１に整合される。
【０１２７】
端末は、インデックスのうち、ＤＬ  ＮＲ−ＤＲＳを受信した後に得た結果値の絶対値が最も大きいインデックス
【数１３】
2019517201.tif 000015
を得る。端末はＵＬ  ＮＲ−ＤＲＳを前処理して基地局に伝送し、ＵＬ  ＮＲ−ＤＲＳアンテナポートが１個の場合に適用される前処理ベクトルは、
【数１４】
2019517201.tif 000016
を使用する。ここで、
【数１５】
2019517201.tif 000017
は、
【数１６】
2019517201.tif 000018
の共役複素数（ｃｏｍｐｌｅｘ  ｃｏｎｊｕｇａｔｅ）を意味する。
【０１２８】
端末がＤＬ周波数でＵＬ  ＮＲ−ＤＲＳを伝送する場合に、チャネル等価性によって端末から基地局への無線チャネルは、
【数１７】
2019517201.tif 000019
で表現され得る。便宜上ＵＬ  ＮＲ−ＤＲＳが１と表現されると、基地局がｉ番目の仮想セクターに対応して割り当てた無線リソースで受信する信号
【数１８】
2019517201.tif 000020
は、
【数１９】
2019517201.tif 000021
に該当する。基地局は、ｉ番目の仮想セクターに対応して割り当てた無線リソース毎に、別途の線形整合フィルタ（ｌｉｎｅａｒ  ｍａｔｃｈｅｄ  ｆｉｌｔｅｒ）ベクトル
【数２０】
2019517201.tif 000022
を利用して有効チャネル（ｅｆｆｅｃｔｉｖｅ  ｃｈａｎｎｅｌ）
【数２１】
2019517201.tif 000023
を推定（ｅｓｔｉｍａｔｉｏｎ）する。この時の整合（ｍａｔｃｈｉｎｇ）過程は
【数２２】
2019517201.tif 000024
で表現され得、
【数２３】
2019517201.tif 000025
が得られる。ここで、複素数
【数２４】
2019517201.tif 000026
を利用して
【数２５】
2019517201.tif 000027
の大きさ（例、２−ｎｏｒｍ）は、１に整合される。
【０１２９】
基地局は、端末への伝送のための前処理ベクトル
【数２６】
2019517201.tif 000028
を使用して端末にシステム情報（例、ＮＲ−ＳＩＢ）をデータチャネル（例、ＮＲ−ＰＤＳＣＨ）を利用して伝送することができる。または、基地局は、制御チャネル（例、ＮＲ−ＰＤＣＣＨ）を伝送する場合に前処理ベクトル
【数２７】
2019517201.tif 000029
を適用することができる。
【０１３０】
万一、基地局が端末に
【数２８】
2019517201.tif 000030
を前処理ベクトルとして適用した場合に、端末の受信信号は、
【数２９】
2019517201.tif 000031
で表現され、これは、
【数３０】
2019517201.tif 000032
に該当する。ここで、１は基地局によって使用されるＮＲ−ＤＭ（ｄｅｍｏｄｕｌａｔｉｏｎ）−ＲＳを便宜上示す。
【０１３１】
端末がすでに知っている
【数３１】
2019517201.tif 000033
を利用して信号を受信することができる。端末が線形ベクトル
【数３２】
2019517201.tif 000034
を利用して得た
【数３３】
2019517201.tif 000035
は、
【数３４】
2019517201.tif 000036
で表現され得る。この値は端末がＤＬ  ＮＲ−ＤＲＳから受信した強度である
【数３５】
2019517201.tif 000037
と比較され得、端末がＤＬ  ＮＲ−ＤＭ−ＲＳから受信した強度である
【数３６】
2019517201.tif 000038
と比較され得る。
【０１３２】
【数３７】
2019517201.tif 000039
が簡略化した特異点分解（ｓｋｉｎｎｙ  ｓｉｎｇｕｌａｒ  ｖａｌｕｅ  ｄｅｃｏｍｐｏｓｉｔｉｏｎ）を通じて
【数３８】
2019517201.tif 000040
で表現されるのであれば、
【数３９】
2019517201.tif 000041
であり、
【数４０】
2019517201.tif 000042
である。ここで、
【数４１】
2019517201.tif 000043
は、正方行列であり、特異点を元素（例、正の実数）として有する。
【数４２】
2019517201.tif 000044
は、
【数４３】
2019517201.tif 000045
の左側特異点行列を示し、
【数４４】
2019517201.tif 000046
は、
【数４５】
2019517201.tif 000047
の右側特異点行列を示す。
【０１３３】
したがって、
【数４６】
2019517201.tif 000048
に対する指数（ｅｘｐｏｎｅｎｔ）が高くなるため、特異値の比率（例、ｃｏｎｄｉｔｉｏｎ  ｎｕｍｂｅｒ）に差がある。したがって、基地局がＮＲ−ＤＭ−ＲＳでさらに細かいビームを形成したと解釈され得る。万一、端末が最適な線形整合ベクトルを使用すれば、さらに高い受信強度を得ることもできる。このような方式に基づいて、基地局は、狭いビームを得るために方法Ｓ１を活用することができる。
【０１３４】
万一、基地局がデジタル前処理（ｄｉｇｉｔａｌ  ｐｒｅｃｏｄｉｎｇ）を行うことは難しいが、アナログビーム形成（ａｎａｌｏｇ  ｂｅａｍｆｏｒｍｉｎｇ）が可能な場合に、基地局は、前処理を行うために、一つの段階でＮＲ−ＤＲＳを伝送する方法（例、方法Ｓ１）だけではより狭いビームを形成することができない。このような場合には、二つの段階でＮＲ−ＤＲＳを伝送する方法（例、方法Ｓ２）が適用され得る。
【０１３５】
方法Ｓ２に属する第１段階では、基地局が仮想セクター毎にＤＬ  ＮＲ−ＤＲＳリソースを割り当て、端末がＤＬ  ＮＲ−ＤＲＳを利用して端末が属した仮想セクターのインデックスｉを推定する。これは、方法Ｓ１と同じである。
【０１３６】
方法Ｓ２に属する第２段階は、端末のフィードバックがある場合に行われる。基地局は、端末によって選択した仮想セクター（インデックスｉ）でより狭いビームを形成するように、狭いビーム毎に別途のＤＬ  ＮＲ−ＤＲＳを一つずつ前処理する。端末は、各狭いビームを通じて表現されるＤＬ  ＮＲ−ＤＲＳを受信し、ＤＬ  ＮＲ−ＤＲＳのシーケンス（数列）情報を推定する。方法Ｓ１で端末が仮想セクターインデックスを抽出する方法と同じ方式を使用して、端末は、狭いビームのインデックスｊを推定する。方法Ｓ１で端末が基地局にフィードバックする方式を同一に使用して、端末は、基地局に暗示的に狭いビームのインデックスを伝達することができる。万一、基地局でアナログビーム形成が可能であってデジタル前処理が難しい場合に、基地局は、方法Ｓ２を活用して端末に適用できる狭いビームｊを形成することができる。
【０１３７】
ところが、方法Ｓ２の場合には、狭いビームの個数だけの無線リソースが消費されるため、基地局に多くの負担となる。万一、複数のビームが空間多重化（ＳＤＭ：ｓｐａｔｉａｌ  ｄｉｖｉｓｉｏｎ  ｍｕｌｔｉｐｌｅｘｉｎｇ）されると、電力が均等に分かれて複数のビームが伝送されるため、各ビームが有するカバレッジ（ｃｏｖｅｒａｇｅ）が減少する。万一、複数のビームが周波数多重化（ＦＤＭ：ｆｒｅｑｕｅｎｃｙ  ｄｉｖｉｓｉｏｎ  ｍｕｌｔｉｐｌｅｘｉｎｇ）されると、電力が分かれて複数のビームが伝送される現象が同一に発生する。万一、複数のビームが時間多重化（ＴＤＭ：ｔｉｍｅ  ｄｉｖｉｓｉｏｎ  ｍｕｌｔｉｐｌｅｘｉｎｇ）されると、狭いビームの領域が確保され得るが、基地局が長時間に亘って端末に狭いビームを測定するように指示しなければならないため、遅延性能（ｌａｔｅｎｃｙ  ｐｅｒｆｏｒｍａｎｃｅ）が低い。万一、複数のビームが多様な方式を通じて多重化されても、基地局がこのような多重化方式を端末にあらかじめ設定（ｃｏｎｆｉｇｕｒａｔｉｏｎ）するために別途の無線リソースが必要である。
【０１３８】
基地局がＮＲ−ＰＢＣＨとＮＲ−ＰＤＣＣＨを伝送する方法について説明する。具体的には、基地局の仮想セクター毎に独立的にＮＲ−ＰＢＣＨとＮＲ−ＰＤＣＣＨを伝送する方法（以下、「方法Ｔ１」）と、基地局の物理セクター毎に同じＮＲ−ＰＢＣＨとＮＲ−ＰＤＣＣＨを伝送する方法（以下、「方法Ｔ２」）を説明する。
【０１３９】
方法Ｔ１では、基地局の仮想セクター毎にＮＲ−ＰＢＣＨのリソースが互いに異なり得、ＮＲ−ＰＤＣＣＨのリソースがそれぞれ異なり得る。
【０１４０】
ＮＲ−ＰＢＣＨとＮＲ−ＰＤＣＣＨが仮想セクター毎に別途に割り当てられる場合に、基地局は、時間多重化、周波数多重化あるいは空間多重化を使用することができ、ＮＲ−ＰＤＣＣＨの探索空間を区分して互いに異なる仮想セクターを支援することもできる。
【０１４１】
例えば、基地局は、仮想セクター毎にＮＲ−ＰＢＣＨとＮＲ−ＰＤＣＣＨのＮＲ−サブフレーム／スロットオフセット（ｏｆｆｓｅｔ）を同一に設定することができる。しかし、基地局は、仮想セクター毎にＮＲ−ＰＢＣＨのＮＲ−サブフレーム／スロットオフセットを互いに異なるように設定することができ、仮想セクター毎にＮＲ−ＰＤＣＣＨのＮＲ−ＲＢ（ｒｅｓｏｕｒｃｅ  ｂｌｏｃｋ）インデックスを互いに異なるように設定することができる。このような独立的な設定は、仮想セクターのＮＲ−ＰＢＣＨ間の干渉とＮＲ−ＰＤＣＣＨ間の干渉を回避する手段で活用され得る。
【０１４２】
他の例として、ＮＲ−ＰＤＣＣＨの端末探索空間（例、ｕｓｅｒ−ｓｐｅｃｉｆｉｃ  ｓｅａｒｃｈ  ｓｐａｃｅ）に属したＣＣＥ（ｃｏｎｔｒｏｌ  ｃｈａｎｎｅｌ  ｅｌｅｍｅｎｔ）に互いに異なる前処理を適用することによって、サービング基地局は、同じスロットで互いに異なる仮想セクターに位置した端末にスケジューリング情報を伝達することができる。
【０１４３】
端末は、複数の仮想セクターからＮＲ−ＤＲＳとＮＲ−ＰＢＣＨを受信し、ＮＲ−ＤＲＳ（またはＮＲ−ＰＢＣＨおよびＮＲ−ＤＲＳ）に対してさらに高い受信品質を有する仮想セクターを選択することができる。
【０１４４】
方法Ｔ１のための方法Ｔ１−１では、端末が一つの仮想セクターだけを選択する。方法Ｔ１のための方法Ｔ１−２は端末が複数個の仮想セクターを選択できるように許容する。
【０１４５】
方法Ｔ１−１が使用されると、ＮＲ−ＰＢＣＨによって指示される内容が一つの仮想セクターに適用される。しかし、方法Ｔ１−２が使用されると、ＮＲ−ＰＢＣＨによって指示される内容が複数の仮想セクターのそれぞれに適用され得る。例えば、ＮＲ−ＰＢＣＨを通じてＵＬ  ＮＲ−ＤＲＳリソースが設定される場合に、もし方法Ｔ１−２が使用されると、端末は、複数のＵＬ  ＮＲ−ＤＲＳリソースを選択し、選択したリソースを利用してＵＬ  ＮＲ−ＤＲＳをそれぞれ伝送することができる。
【０１４６】
方法Ｔ２は、ＮＲ−ＰＢＣＨリソースとＮＲ−ＰＤＣＣＨリソースをすべての仮想セクターに同一に設定するか、ＮＲ−ＰＢＣＨリソースをすべての仮想セクターに同一に設定するか、ＮＲ−ＰＤＣＣＨリソースをすべての仮想セクターに同一に設定する。例えば、ＮＲ−ＰＢＣＨが各仮想セクターに対応するＵＬ  ＮＲ−ＤＲＳリソース設定を含む場合に、一つの同じＮＲ−ＰＢＣＨが複数のＵＬ  ＮＲ−ＤＲＳリソースを含むことができる。他の例として、ＮＲ−ＰＢＣＨが各仮想セクターに対応するＮＲ−ＰＤＣＣＨリソースを複数個含むことができる。方法Ｔ２では一つのＮＲ−ＰＤＣＣＨが仮想セクターの個数に正比例する設定情報を含むために、多くのＮＲ−ＰＢＣＨのペイロード（ｐａｙｌｏａｄ）が必要である。
【０１４７】
ＵＬ  ＮＲ−ＤＲＳリソースを設定する方法について説明する。具体的には、方法Ｒ１は、ＵＬ  ＮＲ−ＤＲＳリソースの位置が規格に沿って固定されるケースに該当する。方法Ｒ２は、ＵＬ  ＮＲ−ＤＲＳリソースの位置が設定され得るケースに該当する。
【０１４８】
方法Ｒ１では規格に沿ってＵＬ  ＮＲ−ＤＲＳリソースの位置が固定されるため、端末は、基地局から別途のシグナリング（ｓｉｇｎａｌｌｉｎｇ）なしにＵＬ  ＮＲ−ＤＲＳを受信することができる。したがって、基地局は、ＮＲ−ＰＢＣＨを含むいずれの他の物理チャネルでもＵＬ  ＮＲ−ＤＲＳリソースを設定しない。しかし、基地局は、ＵＬ  ＮＲ−ＤＲＳリソースの和集合を無線リソースとして使用することができないため、端末の数が少ない場合には方法Ｒ１は非効率的である。そして、ＮＲの未来互換性（ｆｏｒｗａｒｄ  ｃｏｍｐａｔｉｂｉｌｉｔｙ）が支援される側面では、ＵＬ  ＮＲ−ＤＲＳリソースが設定されることが許容される必要がある。
【０１４９】
方法Ｒ２ではＵＬ  ＮＲ−ＤＲＳリソースの位置を設定するために、基地局は、別途の無線リソースを割り当てなければならない。基地局が狭いビームを形成して端末にデータを伝送するためには、ＮＲ−ＰＢＣＨがＵＬ  ＮＲ−ＤＲＳリソースの位置を含むことができる。例えば、基地局は、ＵＬ  ＮＲ−ＤＲＳのためのリソースを設定し、ＵＬ  ＮＲ−ＤＲＳリソースの設定情報を放送チャネル（例、ＮＲ−ＰＢＣＨ）に含ませ、放送チャネルを伝送することができる。ＮＲ−ＰＢＣＨが有するＵＬ  ＮＲ−ＤＲＳリソースの個数は一つ以上であり、これは、基地局によって活用される仮想セクターの個数と同じである。例えば、基地局は、基地局によって使用される仮想セクターの個数と同じ個数であって、ＵＬ  ＮＲ−ＤＲＳリソースを設定することができる。基地局は、ＮＲ−ＰＢＣＨを伝送してＵＬ  ＮＲ−ＤＲＳリソースを設定することができるため、基地局は、未来互換性（ｆｏｒｗａｒｄ  ｃｏｍｐａｔｉｂｉｌｉｔｙ）を支援する。
【０１５０】
ＮＲ−ＰＢＣＨは、ＵＬ  ＮＲ−ＤＲＳリソースの設定情報以外に、システム情報の伝送の有無を知らせるビットをさらに含むこともできる。ＮＲ−ＰＢＣＨを含むサブフレーム／スロットの間で、システム情報がＮＲ−ＰＤＣＣＨを利用して伝送され得る。例えば、基地局は、システム情報が制御チャネル（例、ＮＲ−ＰＤＣＣＨ）を通じて伝送されるかを示すビットフィールドを、放送チャネル（例、ＮＲ−ＰＢＣＨ）に含ませることができる。このような場合に、ＮＲ−ＰＢＣＨの周期（ｐｅｒｉｏｄｉｃｉｔｙ）に該当する時間間隔がシステム情報の受信のためのウインドウであり、端末は、ＮＲ−ＰＢＣＨで該当ビットフィールドを観察する。万一、端末が基地局がシステム情報を伝送するということを示すビットを探知すると、端末は、次のＮＲ−ＰＢＣＨを受信する前にシステム情報ブロックを受信すると仮定し、ＮＲ−ＰＤＣＣＨに対するブラインドデコーディングを行う。端末は、このために、ＤＲｘ（ｄｉｓｃｏｎｔｉｎｕｏｕｓ  ｒｅｃｅｐｔｉｏｎ）タイマーを適切に更新する。万一、端末が基地局がシステム情報を伝送しないということを示すビットを探知すると、端末は、ＮＲ−ＰＤＣＣＨを観察する必要がない。方法Ｒ２と方法Ｔ１−２が共に使用される場合には、もしＮＲ−ＰＢＣＨが仮想セクターの数だけのビット幅（ｂｉｔ  ｗｉｄｔｈ）を有してセルを特定するように（ｃｅｌｌ−ｓｐｅｃｉｆｉｃ）して伝送され得る。またはＮＲ−ＰＢＣＨが仮想セクターを特定して（ｖｉｒｔｕａｌ  ｓｅｃｔｏｒ−ｓｐｅｃｉｆｉｃ）伝送されるのであれば、ＮＲ−ＰＢＣＨの伝送が仮想セクターの数だけ定義され、一つのＮＲ−ＰＢＣＨは、一つのビットを含むことができる。例えば、基地局がＮＲ−ＰＢＣＨをセルを特定して（ｃｅｌｌ−ｓｐｅｃｉｆｉｃ）伝送しようとする場合に、仮想セクターの個数に対応するビット幅（ｂｉｔ  ｗｉｄｔｈ）を有する一つの放送チャネルを生成することができる。他の例として、基地局がＮＲ−ＰＢＣＨを仮想セクターを特定（ｖｉｒｔｕａｌ  ｓｅｃｔｏｒ−ｓｐｅｃｉｆｉｃ）して伝送しようとする場合に、多数の仮想セクターのための多数のＮＲ−ＰＢＣＨを生成することができる。
【０１５１】
ＮＲ−ＰＤＣＣＨリソースを設定する方法について説明する。
【０１５２】
ＮＲ−ＰＤＣＣＨは、基地局によってすべてのＮＲ−サブフレーム／スロットで伝送されると仮定され得る。またはＮＲ−ＰＤＣＣＨは、基地局がＵＬ  ＮＲ−ＤＲＳを受信した後からすべてのＮＲ−サブフレーム／スロットで伝送されると仮定され得る。ＮＲ−ＰＤＣＣＨによって獲得される時間リソースは、規格にあらかじめ定義されるか、ＮＲ−ＰＢＣＨを通じて設定されるか、ＮＲ−ＰＤＣＣＨを通じてシグナリングされるか、またはＮＲ−ＰＤＣＣＨとともに伝送されるＮＲ−ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）を通じて指定され得る。
【０１５３】
基地局は、端末に適切な前処理を経てＮＲ−ＰＤＣＣＨを伝送することができる。端末は、ＮＲ−ＤＭ−ＲＳを利用してＮＲ−ＰＤＣＣＨを復号する。ここで、ＮＲ−ＰＤＣＣＨの周波数リソースを設定する方法には、方法Ｃ１と方法Ｃ２がある。方法Ｃ１は、ＮＲ−ＰＤＣＣＨリソースの位置が規格に沿って固定されるケースに該当する。方法Ｃ２は、ＮＲ−ＰＤＣＣＨリソースの位置が設定され得るケースに該当する。方法Ｃ１と方法Ｃ２は、ＮＲ−ＰＤＣＣＨを定義する方式に関するものであるが、ＮＲ−ＰＢＣＨに含まれる情報は、方法Ｃ２の具体的な実施例により決定され得る。
【０１５４】
方法Ｃ１では、規格に沿ってＮＲ−ＰＤＣＣＨが使用する周波数リソースの位置が固定されるため、端末は、基地局からの別途のシグナリングなしにＮＲ−ＰＤＣＣＨを受信することができる。したがって、基地局は、ＮＲ−ＰＢＣＨを含むいずれの他の物理チャネルでも、ＮＲ−ＰＤＣＣＨによって使用される周波数リソースの位置を設定しない。しかし、基地局は、ＮＲ−ＰＤＣＣＨリソースの和集合に属するＲＢを、データ伝送に割り当てることはできない。そして、ＮＲの未来互換性（ｆｏｒｗａｒｄ  ｃｏｍｐａｔｉｂｉｌｉｔｙ）が支援される側面では、ＮＲ−ＰＤＣＣＨリソースが設定されることが許容される必要がある。
【０１５５】
例えば、端末がＵＬ  ＮＲ−ＤＲＳを伝送すると、基地局は、規格に沿って定められた周波数リソースでＮＲ−ＰＤＣＣＨを伝送することができる。規格は、最小限の帯域幅を指定することによって、基地局が狭いシステム帯域幅（ｓｙｓｔｅｍ  ｂａｎｄｗｉｄｔｈ）を有する場合にも基地局が動作できるようにする。基地局は、ＮＲ−ＰＤＣＣＨを伝送し、ＮＲ−ＳＩＢを含むＮＲ−ＰＤＳＣＨをスケジューリング割り当て（ｓｃｈｅｄｕｌｉｎｇ  ａｓｓｉｇｎｍｅｎｔ）する。
【０１５６】
ＵＬ  ＮＲ−ＤＲＳを伝送した端末は、ＮＲ−ＰＤＣＣＨを受信し、ＮＲ−ＳＩＢを復号する。万一、基地局が端末にＮＲ−ＳＩＢ以外にＮＲ−ＰＤＳＣＨを通じてｅＭＢＢサービスやＵＲＬＬＣサービスを提供するために、ＮＲ−ＲＲＣ連結をしながら（ｅｓｔａｂｌｉｓｈ）、ＮＲ−ＰＤＣＣＨ−ｅＭＢＢリソースを別途に設定するかあるいはＮＲ−ＰＤＣＣＨ−ＵＲＬＬＣリソースを別途に設定することができる。このような設定を受信した端末は、ＮＲ−ＰＤＣＣＨをそれ以上受信せず、ＮＲ−ＰＤＣＣＨ−ｅＭＢＢあるいはＮＲ−ＰＤＣＣＨ−ＵＲＬＬＣを受信することができる。このような設定を伝送した基地局は、ＮＲ−ＰＤＣＣＨを端末にそれ以上伝送しない。
【０１５７】
方法Ｃ２ではＮＲ−ＰＤＣＣＨによって使用される周波数リソースの位置を設定するために、基地局は、別途の無線リソースを割り当てなければならない。基地局が狭いビームを形成して端末にデータを伝送するためには、ＮＲ−ＰＢＣＨは、ＮＲ−ＰＤＣＣＨリソースの位置を含むことができる。例えば、基地局は、ＮＲ−ＰＤＣＣＨのためのリソースを設定し、ＮＲ−ＰＤＣＣＨリソースの設定情報をＮＲ−ＰＢＣＨに含ませることができる。ＮＲ−ＰＢＣＨが有するＮＲ−ＰＤＣＣＨリソースの個数は一つ以上であり、一つのＮＲ−ＰＤＣＣＨリソースは、基地局によって活用される仮想セクターに対応する。ＮＲ−ＰＤＣＣＨリソースの位置は、ＲＢインデックスあるいはＮＲ−ＰＤＣＣＨ帯域幅を含む。すなわち、ＮＲ−ＰＤＣＣＨリソースの設定情報は、ＮＲ−ＰＤＣＣＨリソースが始まるＲＢのインデックスとＮＲ−ＰＤＣＣＨによって獲得される帯域幅を含むことができる。端末は、ＲＢインデックスを基準としてＮＲ−ＰＤＣＣＨによって獲得される帯域幅に属するＲＢから、ＮＲ−ＰＤＣＣＨの周波数リソースを受信する。基地局は、ＮＲ−ＰＢＣＨを伝送してＮＲ−ＰＤＣＣＨリソースを設定することができるため、基地局は、未来互換性を支援する。
【０１５８】
ＮＲ−ＰＢＣＨが含むことができる情報について説明する。ＮＲ−ＰＢＣＨは、ＵＬ  ＮＲ−ＤＲＳリソース設定あるいはＮＲ−ＰＤＣＣＨリソース設定を含むことができる。
【０１５９】
ＵＬ  ＮＲ−ＤＲＳリソース設定は、リスト（ｌｉｓｔ）の形態で表現され得る。ＵＬ  ＮＲ−ＤＲＳリソース設定リストは、ＵＬ  ＮＲ−ＤＲＳリソースインデックスの集合である。ＵＬ  ＮＲ−ＤＲＳリソースインデックスは、ＵＬ  ＮＲ−ＤＲＳの無線リソースを指定する。ＵＬ  ＮＲ−ＤＲＳの時間リソースは、ＤＬ  ＮＲ−ＤＲＳが伝送されたＮＲ−サブフレーム／スロットとの相対的な位置であって、ＮＲ−サブフレーム／スロットオフセットで定義され得る。あるいはＵＬ  ＮＲ−ＤＲＳのためのＮＲ−サブフレーム／スロットのインデックスは、絶対的な値で表現され得る。万一、絶対的なＮＲ−サブフレーム／スロットインデックスが端末に指定される場合に、基地局は、ＮＲ−ＳＦＮ（ｓｙｓｔｅｍ  ｆｒａｍｅ  ｎｕｍｂｅｒ）も端末にシグナリングしなければならない。
【０１６０】
ＵＬ  ＮＲ−ＤＲＳの周波数リソースは、ＲＢインデックス、あるいは帯域幅を含むことができる。万一ＵＬ  ＮＲ−ＤＲＳを伝送する帯域幅が規格にあらかじめ定義されていれば、端末は、ＮＲ−ＰＢＣＨから受信したＲＢインデックスだけでＵＬ  ＮＲ−ＤＲＳのための周波数リソースを知ることができる。
【０１６１】
ＮＲ−ＰＤＣＣＨリソース設定は、リストの形態で表現され得る。ＮＲ−ＰＤＣＣＨリソース設定リストは、ＮＲ−ＰＤＣＣＨリソースインデックスの集合である。ＮＲ−ＰＤＣＣＨリソースインデックスは、ＮＲ−ＰＤＣＣＨの無線リソースを指定する。ＮＲ−ＰＤＣＣＨの時間リソースは、あらかじめ規格に定義され得、前述した方法に従う。ＮＲ−ＰＤＣＣＨの周波数リソースは、前述した設定方法に従う。基地局は、端末にＮＲ−ＰＤＣＣＨ候補（ｃａｎｄｉｄａｔｅ）が存在するＯＦＤＭシンボルインデックスセットとＰＲＢインデックスセットを伝達するが、このようなセットを制御リソースセット（ｃｏｎｔｒｏｌ  ｒｅｓｏｕｒｃｅ  ｓｅｔ）という。端末は、一つ以上の制御リソースセットをモニタリングすることができる。ＮＲ−ＰＤＣＣＨの復号に必要なＮＲ−ＤＭ−ＲＳアンテナポートの個数が、明示的にＮＲ−ＰＤＣＣＨリソース設定に含まれ得、あるいは暗示的にＮＲ−ＰＢＣＨに含まれ得る。例えば、ＮＲ−ＰＢＣＨのＣＲＣ（ｃｙｃｌｉｃ  ｒｅｄｕｎｄａｎｃｙ  ｃｈｅｃｋ）マスクを通じてＮＲ−ＤＭ−ＲＳアンテナポートの個数がＮＲ−ＰＢＣＨに含まれ得、端末は、ブラインドテスト（ｂｌｉｎｄ  ｔｅｓｔ）を行ってＮＲ−ＤＭ−ＲＳアンテナポートを知ることができる。
【０１６２】
サービング基地局は、ＮＲ−ＰＢＣＨと同期信号（例、ＰＳＳ、ＳＳＳ）を同じ仮想セクターに属した一つの単位（例、ｓｙｎｃｈｒｏｎｉｚａｔｉｏｎ  ｓｉｇｎａｌ  ｂｕｒｓｔ）と見なして、ＮＲ−ＰＢＣＨと同期信号（例、ＰＳＳ、ＳＳＳ）に同じ前処理を適用する。すなわち、ＳＳ（ｓｙｎｃｈｒｏｎｉｚａｔｉｏｎ  ｓｉｇｎａｌ）バーストは、ＮＲ−ＰＢＣＨと同期信号（例、ＰＳＳ、ＳＳＳ）を含む。サービング基地局によって伝送されるビームあるいは前処理の個数によりＳＳバーストの個数が決定されて伝送される。端末は、ＳＳバーストの個数を知っておらずとも、セル探索および初期接続（ｉｎｉｔｉａｌ  ａｃｃｅｓｓ）を行うことができる。端末がセル探索手続きを行いながらＮＲ−ＰＢＣＨの受信品質を増加させることがより少ない時間遅延を有するため、端末は、一つのＳＳバーストだけでなく複数のＳＳバーストに属したＮＲ−ＰＢＣＨを合成（ｃｏｍｂｉｎｉｎｇ）することができる。
【０１６３】
サービング基地局は、端末の受信合成（ｃｏｍｂｉｎｉｎｇ）を助けるために、ＳＳバーストを何度も続けて伝送する場合に、ＮＲ−ＰＢＣＨの互いに同じ符号化バージョン（ＲＶ：ｒｅｄｕｎｄａｎｃｙ  ｖｅｒｓｉｏｎ）を互いに異なるＳＳバーストでそれぞれ伝送することができる（以下、「方法ＰＢＣＨ−ｒｖ−１」）。またはサービング基地局は、ＮＲ−ＰＢＣＨの互いに異なる符号化バージョンＲＶを互いに異なるＳＳバーストでそれぞれ伝送することができる（以下、「方法ＰＢＣＨ−ｒｖ−２」）。
【０１６４】
方法ＰＢＣＨ−ｒｖ−１は、ＳＳバーストセットで伝送されるＰＢＣＨがすべて同じ符号化バージョンＲＶを有する方法である。すなわち、基地局によって伝送されるＳＳバーストに属するＮＲ−ＰＢＣＨは、互いに同じＲＶを有することができる。端末は、互いに異なる前処理を経ているが同じ符号化バージョンＲＶを有するＰＢＣＨを合成する。サービング基地局は、ＳＳバーストセットにＺ個のＳＳバーストを含ませることができる。ＰＢＣＨの伝送周期は、Ｔ１であり、Ｔの周期としてＰＢＣＨのすべてのＲＶが１回ずつ伝送される。このような場合に、ＳＳバーストセットに属したＺ個のＰＢＣＨは、互いに同じＲＶを有する。端末は、Ｚの値を事前に知ることはできないが、探知成功したＺ１個（ただし、Ｚ１≦Ｚ）のＰＢＣＨがすべて同じＲＶを有すると仮定してＰＢＣＨを復号する。このような過程を通じて、端末は、同じ前処理を有するＰＢＣＨを互いに区分してＺ個のＰＢＣＨのそれぞれを合成する方法よりも、さらに少ない遅延時間を達成することができる。
【０１６５】
端末が経る無線チャネル（ｒａｄｉｏ  ｃｈａｎｎｅｌ）により、端末は、特定の前処理が適用されたＰＢＣＨを相対的に弱く受信したり相対的に強く受信することができる。したがって、方法ＰＢＣＨ−ｒｖ−１が使用される場合に、相対的に弱く受信されたＲＶは、端末の合成過程にさほど大きな助けにはならない。かえって相対的に弱く受信されたＰＢＣＨが相対的に強く受信されたＰＢＣＨと異なるＲＶを有している場合に、端末は、合成過程でさらに多様なパリティビット（ｐａｒｉｔｙ  ｂｉｔ）を利用することができるため、受信品質が向上され得る余地がある。
【０１６６】
方法ＰＢＣＨ−ｒｖ−２は、ＳＳバーストセットで伝送されるＰＢＣＨが互いに異なるＲＶを有する方法である。すなわち、基地局によって伝送されるＳＳバーストに属するＮＲ−ＰＢＣＨは、互いに異なるＲＶを有することができる。互いに異なる前処理を経たし、互いに異なるＲＶを有するＰＢＣＨを、端末は、合成（ｃｏｍｂｉｎｉｎｇ）する。サービング基地局がＳＳバーストセットにＺ個のＳＳバーストを含ませることができる。ＰＢＣＨの伝送周期はＴ１である。Ｔの周期でＰＢＣＨのすべてのＲＶが１回ずつ伝送される場合に、ＳＳバーストセットに属したＺ個のＰＢＣＨは、互いに異なるＲＶを有することができる。端末は、Ｚの値を事前に知ることはできないが、探知成功されたＺ１個（ただし、Ｚ１≦Ｚ）のＰＢＣＨが互いに異なるＲＶを有することができると仮定してＰＢＣＨを復号する。端末は、各ＰＢＣＨが有するＲＶの値を、ＰＢＣＨを受信して間接的に認知する。例えば、サービング基地局は、ＰＢＣＨのためのスクランブリングリソースあるいはＣＲＣマスキングを、ＲＶにより異なるように使用することができる。すなわち、基地局によって伝送されるＳＳバーストに属するＮＲ−ＰＢＣＨには、互いに異なるスクランブリングリソース（またはＣＲＣマスク）が適用され得る。このような場合に、端末は、このようなスクランブリングを無作為的に復調（例、ｂｌｉｎｄ  ｄｅｍｏｄｕｌａｔｉｏｎ）し、このような結果に基づいてＲＶを計算することができる。サービング基地局は、端末が互いに異なるＲＶに該当するＰＢＣＨを受信しても復号できるように、ＲＶの組み合わせを最適化する。
【０１６７】
サービング基地局が４個のＳＳバースト（例、Ｚ＝４）を伝送し、ＲＶの値である０、１、２、３に対してＰＢＣＨを符号化して各ＳＳバーストにマッピングすることができる。例えば、ＳＳバースト１がＴの間に有するＲＶの値が０、２、１、３であると仮定すると、ＳＳバースト２がＴの間に有するＲＶの値は２、１、３、０であり、ＳＳバースト３がＴの間に有するＲＶの値は１、３、０、２であり、ＳＳバースト４がＴの間に有するＲＶの値は３、０、２、１であるように、サービング基地局は、４個のＳＳバースト（ＳＳバースト１、２、３、４）を伝送することができる。端末は、ＳＳバーストセットでＺ１個（ただし、Ｚ１≦４）のＰＢＣＨを探知し、各ＰＢＣＨが有するＲＶの値を探知した後、これに基づいてＰＢＣＨを合成および復号する。端末は、互いに異なる品質を有する互いに異なるＲＶを受信するため、ＰＢＣＨで前処理多重化利得を得ることができる。
【０１６８】
万一、サービング基地局が２個のＳＳバースト（例、Ｚ＝２）を伝送すると、ＲＶの値は０と２を一つのＲＶ組み合わせとして有し、１と３を一つのＲＶ組み合わせとして有し、ＳＳバーストの伝送時点毎に各ＲＶ組み合わせが適用され得る。ＲＶ０は情報ビットを殆ど有しており、ＲＶ３はパリティビットを殆ど有しているため、端末は、ＲＶ０とＲＶ３を一つのＳＳバーストセットに含ませることができる。ＲＶ１とＲＶ２は情報ビットとパリティビットを適当に混ぜて有しているため、一つのＳＳバーストセットに含まれ得る。例えば、サービング基地局は、ＳＳバースト１がＴの間に有するＲＶの値を０、１、２、３であると仮定すると、ＳＳバースト２がＴの間に有するＲＶの値を２、３、０、１であると仮定する。ここで、ＲＶの順序がグレー（ｇｒａｙ）マッピングに従う場合に、パリティビットが多いＲＶが続けて伝送され、パリティビットが少ないＲＶが続けて伝送される。したがって、パリティビットが多いＲＶの組み合わせとパリティビットが少ないＲＶの組み合わせが交互に伝送されるように、ＲＶの順序がＴＳに定義され得る。端末は、ＲＶの値を奇数と偶数で交互にＰＢＣＨを受信し、これに基づいてＰＢＣＨを合成して復号することができる。端末は互いに異なる品質を有する互いに異なるＲＶを受信するため、ＰＢＣＨで前処理多重化利得を得ることができる。
【０１６９】
方法Ｃ１と方法Ｃ２が使用される場合のためのＮＲ−ＳＩＢ伝送方法について説明する。方法Ｃ１は、ＮＲ−ＰＤＣＣＨリソースの位置が規格に沿って定義されたケースに該当する。方法Ｃ２は、ＮＲ−ＰＤＣＣＨリソースの位置が設定されるように許容されるケースに該当する。方法Ｃ２のためのＮＲ−ＳＩＢ伝送方法を、ＮＲ−ＰＢＣＨ伝送方法により方法Ｃ２−１と方法Ｃ２−２に分けて説明する。併せて、方法Ｃ１と方法Ｒ２をすべて使用するＮＲは、ＮＲ−ＰＢＣＨを伝送する必要がない。
【０１７０】
方法Ｃ１が使用される場合のＮＲ−ＳＩＢ伝送方法について説明する。基地局は、ＤＬ  ＮＲ−ＤＲＳを周期的に伝送する。基地局は、ＤＬ  ＮＲ−ＤＲＳアンテナポートを利用してＮＲ−ＰＢＣＨを周期的に伝送する。方法Ｔ１が使用される場合に、基地局は、仮想セクター毎に別途のＤＬ  ＮＲ−ＰＢＣＨを伝送する。方法Ｔ２が使用される場合に、基地局は、仮想セクターを区分せずに同じＤＬ  ＮＲ−ＰＢＣＨを伝送する。ＤＬ  ＮＲ−ＤＲＳアンテナポートの前処理は規格に定義されず、基地局によって具現される。基地局は、仮想セクターと同様に、ＤＬ  ＮＲ−ＤＲＳリソースを前処理することができる。基地局は、仮想セクターの個数と同様に、ＤＬ  ＮＲ−ＤＲＳリソースを伝送することができる。
【０１７１】
端末は、ＤＬ  ＮＲ−ＤＲＳの設定情報があらかじめ伝達されなくても、ＤＬ  ＮＲ−ＤＲＳを受信することができる。端末は、ＤＬ  ＮＲ−ＤＲＳリソースの個数があらかじめ伝達されなくても、ブラインド探知（ｂｌｉｎｄ  ｄｅｔｅｃｔｉｏｎ）を通じてセル探知を行う。端末が特定のＤＬ  ＮＲ−ＤＲＳを成功的に受信した場合に、端末は、受信したＤＬ  ＮＲ−ＤＲＳアンテナポートを使用してＮＲ−ＰＢＣＨを復調する。方法Ｒ２が使用される場合に、ＮＲ−ＰＢＣＨにはＵＬ  ＮＲ−ＤＲＳの設定情報が含まれている。端末は、受信したＤＬ  ＮＲ−ＤＲＳリソースから、端末が属した仮想セクターのインデックスｉを推定するため、端末は、ｉ番目のＵＬ  ＮＲ−ＤＲＳリソースを選択し、選択したリソースを利用してＵＬ  ＮＲ−ＤＲＳを伝送する。ＵＬ  ＮＲ−ＤＲＳには端末の前処理が適用されなければならないが、端末の前処理は、規格に沿って定義されずに端末の具現によって行われる。端末は、ＤＬ  ＮＲ−ＤＲＳを受信するための線形フィルタを再使用してＵＬ  ＮＲ−ＤＲＳに適用することができる。
【０１７２】
基地局は、端末からＵＬ  ＮＲ−ＤＲＳを受信すると、端末が属した仮想セクターのインデックスｉが暗示的に知ることができる。基地局は、ｉ番目の仮想セクターに該当するＮＲ−ＰＤＣＣＨを伝送し始める。方法Ｔ１が使用される場合に、基地局は、仮想セクター毎に別途のＮＲ−ＰＤＣＣＨを伝送する。方法Ｔ２が使用される場合に、基地局は、仮想セクターを区分せず同じＮＲ−ＰＤＣＣＨを伝送する。ＮＲ−ＰＤＣＣＨは、ＮＲ−ＤＭ−ＲＳアンテナポートに基づいて基地局によって伝送される。ＮＲ−ＤＭ−ＲＳリソースは前処理を経て伝送され、このとき使用される前処理方法は具現的に行われ得る。基地局は、端末から受信したＵＬ  ＮＲ−ＤＲＳを復調するために使用した線形フィルタを再使用することができる。ＮＲ−ＰＤＣＣＨは規格に沿ってあらかじめ定義されたリソース位置で伝送されるため、端末は、別途のＮＲ−ＰＤＣＣＨのリソース情報の指示を受けない。端末はＮＲ−ＰＤＣＣＨでＤＬスケジューリング割り当て（ｓｃｈｅｄｕｌｉｎｇ  ａｓｓｉｇｎｍｅｎｔ）を探知（ｄｅｔｅｃｔ）する。端末は、探知したＤＬスケジューリング割り当て情報から、ＮＲ−ＰＤＳＣＨの割り当て情報を探知する。ＮＲ−ＰＤＳＣＨにはＮＲ−ＳＩＢが含まれているため、端末は、ＮＲ−ＳＩＢを復号（ｄｅｃｏｄｅ）することができる。ＮＲ−ＳＩＢに含まれた情報は、ＳＦＮ、システム帯域幅、物理階層セル識別情報などを認知することができる。その他にもＮＲ−ＲＲＣ連結をするためのシステム情報を受信するためのスケジューリング情報が端末によって受信され得る。
【０１７３】
方法Ｃ２−１が使用される場合のＮＲ−ＳＩＢ伝送方法について説明する。
【０１７４】
基地局は、ＤＬ  ＮＲ−ＤＲＳを周期的に伝送する。基地局はＤＬ  ＮＲ−ＤＲＳアンテナポートを利用して、周期的にＮＲ−ＰＢＣＨを通じてＮＲ−ＭＩＢタイプ１を伝送する。ＮＲ−ＰＢＣＨの伝送方法は方法Ｃ１で記述したＮＲ−ＰＢＣＨ方法と同じ方法を使用する。方法Ｔ１が使用される場合に、基地局は、仮想セクター毎に別途のＤＬ  ＮＲ−ＰＢＣＨを伝送する。方法Ｔ２が使用される場合に、基地局は仮想セクターを区分せず同じＤＬ  ＮＲ−ＰＢＣＨを伝送する。方法Ｒ２が使用される場合には、ＤＬ  ＮＲ−ＰＢＣＨに含まれたＮＲ−ＭＩＢタイプ１はＵＬ  ＮＲ−ＤＲＳリソースの設定情報を含む。端末が特定のリソースを選択してＵＬ  ＮＲ−ＤＲＳを伝送すると、基地局はＮ、Ｒ−ＰＢＣＨの伝送を開始し、続けてＮＲ−ＰＤＣＣＨの伝送を開始する。方法Ｔ１が使用される場合に、基地局は、仮想セクター毎に別途のＮＲ−ＰＢＣＨと別途のＮＲ−ＰＤＣＣＨを伝送する。方法Ｔ２が使用される場合に、基地局は、仮想セクターを区分せず同じＮＲ−ＰＢＣＨと同じＮＲ−ＰＤＣＣＨを伝送する。基地局は、ＮＲ−ＰＢＣＨをＮＲ−ＤＲＳアンテナポートを利用して伝送し、ＤＬ  ＮＲ−ＤＭ−ＲＳアンテナポート基盤のＮＲ−ＰＤＣＣＨとは区分されるリソースを使用する。ＮＲ−ＤＭ−ＲＳとＮＲ−ＤＲＳには基地局によって具現的に決定された前処理方法が適用される。方法Ｃ２が使用される場合に、ＮＲ−ＰＢＣＨに含まれる情報は、ＮＲ−ＭＩＢタイプ２である。ＮＲ−ＭＩＢタイプ２はＮＲ−ＰＤＣＣＨリソースの設定情報を含む。ＮＲ−ＭＩＢタイプ２は、ＮＲ−ＳＩＢが伝達されるＮＲ−サブフレーム／スロットの位置を明示的にあるいは暗示的に含む。例えば、ＮＲ−ＭＩＢタイプ２はＳＦＮ情報を含み、端末は、ＮＲ−ＳＩＢが受信されるＮＲ−サブフレーム／スロットを推定することができる。ＮＲ−ＳＩＢを含むＮＲ−ＰＤＳＣＨは、規格に沿って定義された周期（ｐｅｒｉｏｄｉｃｉｔｙ）を有する。
【０１７５】
端末は、ＮＲ−ＤＭ−ＲＳアンテナポートを利用してＮＲ−ＰＤＣＣＨを復号してＮＲ−ＰＤＳＣＨに対するスケジューリング割り当て情報を探知する。端末は、ＮＲ−ＰＤＳＣＨを復号して、ＮＲ−ＳＩＢを得る。ＮＲ−ＳＩＢには、ＮＲ−ＲＲＣ連結をするための直接的な情報と間接的な情報が含まれる。ＬＴＥのように、ＮＲ−ＳＩＢもその内容により互いに異なる周期を有するように設定され得る。低周波帯域で動作するＮＲ（例、６ＧＨｚ以下）のＮＲ−ＳＩＢ伝送方式にも、方法Ｃ２−１が修正されて適用され得る。すなわち、前述したＮＲ−ＳＩＢ伝送方式（例、６ＧＨｚ以上のための手続き）で、ＮＲ−ＭＩＢタイプ１の伝送とＵＬ  ＮＲ−ＤＲＳの伝送が除外され得る。すなわち、帯域独立性（ｂａｎｄ  ａｇｎｏｓｔｉｃ）の側面で互いに類似するＮＲ−ＳＩＢ手続きが使用され得る。
【０１７６】
方法Ｃ２−２が使用される場合のＮＲ−ＳＩＢ伝送方法について説明する。
【０１７７】
基地局は、ＤＬ  ＮＲ−ＤＲＳを周期的に伝送する。基地局は、ＤＬ  ＮＲ−ＤＲＳアンテナポートを利用して周期的にＮＲ−ＰＢＣＨを通じてＮＲ−ＭＩＢを伝送する。ＮＲ−ＰＢＣＨの伝送方法は方法Ｃ１で記述したＮＲ−ＰＢＣＨ方法と同じ方法を使用する。方法Ｔ１が使用される場合に、基地局は、仮想セクター毎に別途のＤＬ  ＮＲ−ＰＢＣＨを伝送する。方法Ｔ２が使用される場合に、基地局は、仮想セクターを区分せず同じＤＬ  ＮＲ−ＰＢＣＨを伝送する。ＮＲ−ＭＩＢにはＮＲ−ＰＤＣＣＨリソースの設定情報が含まれる。方法Ｒ２が使用される場合に、ＮＲ−ＭＩＢは、ＵＬ  ＮＲ−ＤＲＳリソースの設定情報をさらに含み、ＮＲ−ＰＤＣＣＨリソースの設定情報とＵＬ  ＮＲ−ＤＲＳリソースの設定情報をすべて含む。方法Ｃ２−２でＮＲ−ＭＩＢが有する情報の量が、方法Ｃ１や方法Ｃ２−１でより多いが、端末は、より早くＮＲ−ＲＲＣ連結をすることができる。
【０１７８】
端末は、ＤＬ  ＮＲ−ＤＲＳを受信し、一つのＮＲ−ＤＲＳリソースに対応する仮想セクターｉを選択する。端末は、ｉ番目のＵＬ  ＮＲ−ＤＲＳリソースを使用してＵＬ  ＮＲ−ＤＲＳを伝送する。
【０１７９】
基地局は、端末から受信したＵＬ  ＮＲ−ＤＲＳを使用して端末の存在を認知し、ＮＲ−ＰＤＣＣＨを伝送し始める。方法Ｔ１が使用される場合に、基地局は、仮想セクター毎に別途のＮＲ−ＰＢＣＨと別途のＮＲ−ＰＤＣＣＨを伝送する。方法Ｔ２が使用される場合に、基地局は、仮想セクターを区分せず同じＮＲ−ＰＢＣＨと同じＮＲ−ＰＤＣＣＨを伝送する。基地局は、ＮＲ−ＤＭ−ＲＳアンテナポートを使用して具現的な前処理を経てＮＲ−ＰＤＣＣＨを伝送する。
【０１８０】
端末は、ＵＬ  ＮＲ−ＤＲＳを伝送した後のＤＬ  ＮＲ−サブフレーム／スロットから、ＮＲ−ＰＤＣＣＨを復号する。
【０１８１】
基地局は、ＮＲ−ＰＤＳＣＨを使用してＮＲ−ＳＩＢを端末に伝送することができる。ＮＲ−ＳＩＢには、ＳＦＮ、システム帯域幅などだけでなく、ＮＲ−ＲＲＣ連結ができる直接的な情報と間接的な情報が含まれる。
【０１８２】
以下では、アイドル（ｉｄｌｅ）端末の動作について説明する。
【０１８３】
アイドル端末は、ＮＲ−ＭＩＢを利用してＮＲ−ＰＤＣＣＨを受信することができる。
【０１８４】
万一、基地局がＵＬ  ＮＲ−ＤＲＳを受信しない時にＮＲ−ＰＤＳＣＨを伝送しないと、アイドル端末は、ＮＲ−ＰＤＳＣＨを利用して基地局によって伝送されたＮＲ−ＳＩＢを受信することができない。ＮＲ−ＳＩＢは、セル選択／再選択（ｃｅｌｌ  ｓｅｌｅｃｔｉｏｎ／ｒｅｓｅｌｅｃｔｉｏｎ）、ＰＬＭＮ（ｐｕｂｌｉｃ  ｌａｎｄ  ｍｏｂｉｌｅ  ｎｅｔｗｏｒｋ）識別リスト（ｉｄｅｎｔｉｆｉｃａｔｉｏｎ  ｌｉｓｔ）、セルバーリング（ｃｅｌｌ  ｂａｒｒｉｎｇ）情報を少なくとも含むため、アイドル端末が該当ＮＲセルにアソシエート（ａｓｓｏｃｉａｔｅ）できるかどうかを判断することができない。したがって、アイドル端末は、ＵＬ  ＮＲ−ＤＲＳを伝送し、基地局がＮＲ−ＰＤＣＣＨとＮＲ−ＰＤＳＣＨでＮＲ−ＳＩＢを伝送するように誘導しなければならない。しかし、アイドル端末がＵＬ  ＮＲ−ＤＲＳを伝送すると、ＮＲ−セルを観察する個数に正比例して電力を消耗する。これを減らすための方法として、端末は、前述したＮＲ−ＰＢＣＨに含まれるＮＲ−ＳＩＢ伝送の有無（例、仮想セクター別に適用されるＮＲ−ＳＩＢ伝送の有無）を観察することができる。これを通じて、アイドル端末と同じ仮想セクターに属した他の端末のうち一つの端末のみがＵＬ  ＮＲ−ＤＲＳを伝送しても、基地局は、ＮＲ−ＰＢＣＨのビットフィールドを調節することができる。
【０１８５】
基地局がＮＲ−ＰＢＣＨを通じてＮＲ−ＳＩＢ伝送を予告すると、該当仮想セクターに属した端末のうちＮＲ−ＳＩＢを受信しようとする端末は、ＮＲ−ＰＢＣＨの後に連続したダウンリンクサブフレーム／スロットでＮＲ−ＰＤＣＣＨを観察する。アイドル端末のためのモニタリングウインドウ（ｍｏｎｉｔｏｒｉｎｇ  ｗｉｎｄｏｗ）は、規格に沿って定義されたサブフレーム／スロットウインドウを使用することができる。または端末は、次のＮＲ−ＰＢＣＨを受信する前まで、ＤＲｘ（ｄｉｓｃｏｎｔｉｎｕｏｕｓ  ｒｅｃｅｐｔｉｏｎ）により許容されるすべてのサブフレーム／スロットでＮＲ−ＰＤＣＣＨを観察することができる。
【０１８６】
以下では、端末によって行うＲＲＭ測定（ｍｅａｓｕｒｅｍｅｎｔ）について説明する。
【０１８７】
図４は、本発明の実施例に係る端末によって行われるＲＲＭ測定に関するシナリオを示す図面である。そして、図５は、本発明の実施例に係るＤＬ  ＮＲ−ＤＲＳリソースのＲＥマッピングを示す図面である。
【０１８８】
複数の基地局と端末が存在する。一つの基地局は、複数のセルを有し、各セルは互いに異なる周波数（例、Ｆ１、Ｆ２）に配置（ｄｅｐｌｏｙ）される。図４には、４個のセルが例示されている。端末は、４個のセルに対するＲＲＭ測定を行う。
【０１８９】
端末は、すべてのサブフレーム／スロットでＲＲＭ測定を行うことはしない。ＴＳは、基地局によって伝送されるＤＬ  ＮＲ−ＤＲＳリソースを含む固定ＤＬリソースの周期とサブフレーム／スロットオフセットを規定する。端末は、すでに知っている周期とサブフレーム／スロットオフセットから、特定のサブフレーム／スロットがＤＬ  ＮＲ−ＤＲＳリソースを含むか含まないかを知ることができる。端末は、ＤＬ  ＮＲ−ＤＲＳリソースを含むサブフレーム／スロットを基地局の設定あるいは物理階層信号の受信を通じて知ることができ、該当サブフレーム／スロットでのみＲＲＭ測定を行う。
【０１９０】
固定ＤＬリソースは、現地化された時間（ｌｏｃａｌｉｚｅｄ  ｔｉｍｅ）と現地化された周波数（ｌｏｃａｌｉｚｅｄ  ｆｒｅｑｕｅｎｃｙ）で表現され得る隣接したＲＥ（ｒｅｓｏｕｒｃｅ  ｅｌｅｍｅｎｔ）で構成されてもよい。または固定ＤＬリソースは、ダイバーシティ（ｄｉｖｅｒｓｉｔｙ）を得るために、隣接していないＲＥで構成され得る。
【０１９１】
ＤＬ  ＮＲ−ＤＲＳリソースは、固定ＤＬリソースの部分集合であり、ダイバーシティを得るために互いに離れて分布するＲＥで構成される。このようなＤＬ  ＮＲ−ＤＲＳリソースは、固定ＤＬリソースで多様な形態に分布することができる。ＤＬ  ＮＲ−ＤＲＳリソースは、サービング基地局によって伝送されるすべてのＤＬ  ＮＲ−ＤＲＳアンテナポートを意味し、一つ以上で構成され得る。
【０１９２】
図５の（ａ）には、ＤＬ  ＮＲ−ＤＲＳ  ＲＥのための均一割り当て（ｕｎｉｆｏｒｍ  ａｌｌｏｃａｔｉｏｎ）が例示されており、図５の（ｂ）にはＤＬ  ＮＲ−ＤＲＳ  ＲＥのための等距離割り当て（ｅｑｕｉ−ｄｉｓｔａｎｃｅ  ａｌｌｏｃａｔｉｏｎ）が例示されている。
【０１９３】
図５の（ａ）に例示された通り、ＤＬ  ＮＲ−ＤＲＳリソースのＲＥマッピングは、固定ＤＬリソース以内で複数のシンボルを使いながらも同じサブキャリアを利用することができる。
【０１９４】
または図５の（ｂ）に例示された通り、ＤＬ  ＮＲ−ＤＲＳリソースのＲＥマッピングは、固定ＤＬリソース以内で複数のシンボルと複数のサブキャリアを利用することができる。
【０１９５】
図５の（ａ）に例示された通り、ＤＬ  ＮＲ−ＤＲＳのためのＲＥマッピングが同一サブキャリアおよび隣接シンボルを使用する場合に、時間ドメインで拡散符号（ｓｐｒｅａｄｉｎｇ  ｃｏｄｅ）が使用されると、互いに異なるＤＬ  ＮＲ−ＤＲＳアンテナポートあるいは互いに異なるサービング基地局からのＤＬ  ＮＲ−ＤＲＳアンテナポートが多重化（ｍｕｌｔｉｐｌｅｘ）され得る。これを通じて受信電力利得が獲得され得るため、図５の（ａ）はＤＬカバレッジの拡張に活用され得る。
【０１９６】
図５の（ｂ）に例示された通り、固定ＤＬリソース以内でサブキャリアがシンボル毎に一定の距離を維持するようにＤＬ  ＮＲ−ＤＲＳのためのＲＥマッピングが行われる場合に、ＤＬ  ＮＲ−ＤＲＳのためのＲＥマッピングは、時間ドメインと周波数ドメインでさらに低いチャネル推定エラーを有する。端末が固定ＤＬリソースに属した物理チャネルを復調する場合に、任意（ａｒｂｉｔｒａｒｙ）のＲＥに対するチャネル推定を行うための所定の補間法を容易に使用することができる。万一、端末がＤＬ  ＮＲ−ＤＲＳを利用してＰＢＣＨなどを復調する場合に、図５の（ｂ）に例示されたＲＥマッピングと類似の形態を有するＲＥマッピングが行われ得る。
【０１９７】
一方、固定ＤＬリソースは、サブフレーム／スロットタイプに関係なく伝送される物理信号（ｐｈｙｓｉｃａｌ  ｓｉｇｎａｌ）と物理チャネル（ｐｈｙｓｉｃａｌ  ｃｈａｎｎｅｌ）を意味する。固定ＤＬリソースは、ＤＬ  ＮＲ−ＤＲＳ、同期信号、そして、ＮＲ−ＭＩＢ（ｍａｓｔｅｒ  ｉｎｆｏｒｍａｔｉｏｎ  ｂｌｏｃｋ）を少なくとも含む。物理信号と物理チャネルが周期的に伝送されないかあるいは間欠的に（例、ｏｎ−ｄｅｍａｎｄ  ｏｒ  ｅｖｅｎｔ−ｄｒｉｖｅｎ）伝送される場合には、固定ＤＬリソースに含まれなくてもよい。このような非周期的な物理信号と物理チャネルの量は、ＤＬロード（ｌｏａｄ）に比例する。例えば、端末を特定してビーム形成されたＰＤＣＣＨ（例、ＵＥ−ｓｐｅｃｉｆｉｃ  ｂｅａｍｆｏｒｍｅｄ  ＰＤＣＣＨ）と端末を特定してビーム形成されたＥＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）（例、ＵＥ−ｓｐｅｃｉｆｉｃ  ｂｅａｍｆｏｒｍｅｄ  ＥＰＤＣＣＨ）のうち、ＤＬスケジューリング割り当て（ｓｃｈｅｄｕｌｉｎｇ  ａｓｓｉｇｎｍｅｎｔ）に関連した制御チャネルが、固定ＤＬリソースに含まれる。他の例として、固定ＤＬリソースは、端末を特定したＰＤＳＣＨ（例、ＵＥ−ｓｐｅｃｉｆｉｃ  ＰＤＳＣＨ）を含む。さらに他の例として、ＳＩＢ（ｓｙｓｔｅｍ  ｉｎｆｏｒｍａｔｉｏｎ  ｂｌｏｃｋ）がＰＤＳＣＨを通じて伝送される場合に、ＳＩＢとこれをスケジューリングするＰＤＣＣＨのＣＳＳ（ｃｏｍｍｏｎ  ｓｅａｒｃｈ  ｓｐａｃｅ）が、固定ＤＬリソースに含まれる。さらに他の例として、ページングチャネル（ｐａｇｉｎｇ  ｃｈａｎｎｅｌ）が固定ＤＬリソースに含まれる。さらに他の例として、ＰＭＣＨ（ｐｈｙｓｉｃａｌ  ｍｕｌｔｉｃａｓｔ  ｃｈａｎｎｅｌ）が固定ＤＬリソースに含まれる。このような物理信号および物理チャネルの分類方法は、ヌメロロジー（ｎｕｍｅｒｏｌｏｇｙ）に関係なくあるいはＴＴＩを構成するシンボルの個数に関係なく使用され得る。
【０１９８】
３ＧＰＰ  ＮＲ  ＴＤＤリファレンスシステム１は、サブフレーム／スロットタイプを各サブフレーム／スロット毎に変えることができるため、端末は、ＧＰの存在をあらかじめ知ることができず、そして、サブフレーム／スロット内のＧＰ位置をあらかじめ知ることができない。端末がＧＰの存在を知る方法として、端末が該当サブフレーム／スロットでＮＲ−ＰＤＣＣＨを復号してＤＬ割り当て（ａｓｓｉｇｎｍｅｎｔ）を受信し、該当サブフレーム／スロットをＤＬサブフレーム／スロットであるかあるいはＤＬ−中心的（ｃｅｎｔｒｉｃ）サブフレーム／スロットであると判断することができる。後者の場合は、ＤＬ−中心的（ｃｅｎｔｒｉｃ）サブフレーム／スロットにＧＰが定義されたケースに該当する。または端末がＵＬグラントを受信し、該当サブフレーム／スロットをＵＬサブフレーム／スロットであるかあるいはＵＬ−中心的（ｃｅｎｔｒｉｃ）サブフレーム／スロットであると判断することができる。または端末がＵＬグラントを受信してＵＬデータ領域（ｒｅｇｉｏｎ）の開始シンボルインデックス（ｓｔａｒｔｉｎｇ  ｓｙｍｂｏｌ  ｉｎｄｅｘ）や終了シンボルインデックス（ｅｎｄｉｎｇ  ｓｙｍｂｏｌ  ｉｎｄｅｘ）を受信し、該当サブフレーム／スロット内にＧＰが存在するということと該当ＧＰの位置を間接的に判断することができる。
【０１９９】
万一、端末が該当サブフレーム／スロットでＤＬ割り当て（ａｓｓｉｇｎｍｅｎｔ）とＵＬグラントを受信していない場合に、サービングセルのサブフレーム／スロットタイプを知ることは難い。ＴＤＤとして動作する無線通信システムの場合に、サブフレーム／スロットタイプは、ＤＬサブフレーム／スロット、ＤＬ−中心的（ｃｅｎｔｒｉｃ）サブフレーム／スロット、ＵＬサブフレーム／スロット、ＵＬ−中心的（ｃｅｎｔｒｉｃ）サブフレーム／スロット、および特別サブフレーム／スロットのうち一つに該当する。万一、サブフレーム／スロットタイプが特別サブフレーム／スロットに該当する場合に、ＤＬ領域（ｒｅｇｉｏｎ）に属するシンボルの個数を端末が知ることができる。
【０２００】
このような場合に、方法ＩＮＤ１と方法ＩＮＤ２が考慮され得る。
【０２０１】
方法ＩＮＤ１で、サービングセルは、サブフレーム／スロットタイプを指示するＳＴＩ（ｓｕｂｆｒａｍｅ／ｓｌｏｔ  ｔｙｐｅ  ｉｎｄｉｃａｔｏｒ）を固定ＤＬリソースに含ませる。方法ＩＮＤ１のための方法ＩＮＤ１−１、方法ＩＮＤ１−２、および方法ＩＮＤ１−３が考慮され得る。
【０２０２】
方法ＩＮＤ１−１は、ＳＴＩを含むＰＳＴＩＣＨ（ｐｈｙｓｉｃａｌ  ｓｕｂｆｒａｍｅ／ｓｌｏｔ  ｔｙｐｅ  ｉｎｄｉｃａｔｏｒ  ｃｈａｎｎｅｌ）がＴＳによって別途に定義されるケースに該当する。方法ＩＮＤ１−１は、セルを特定したタイプ（ｃｅｌｌ−ｓｐｅｃｉｆｉｃ  ｔｙｐｅ）を端末に明示的に知らせることができる。このためにＲＥが追加で使用されなければならないが、このようなオーバーヘッドにもかかわらず、端末は、該当サブフレーム／スロットタイプを容易に知ることができる。特にインター周波数ＲＲＭ測定を行う端末は、固定ＤＬリソースでＳＴＩだけでも該当サブフレーム／スロットがＤＬサブフレーム／スロット（例、ＵＬ領域が存在しない）であるか、ＤＬ−中心的（ｃｅｎｔｒｉｃ）サブフレーム／スロットであるか、ＵＬサブフレーム／スロット（例、ＤＬ領域が存在しない）であるか、ＵＬ−中心的（ｃｅｎｔｒｉｃ）サブフレーム／スロットであるか、特別サブフレーム／スロットであるかを知ることができるため、このようなＤＬ領域（ｒｅｇｉｏｎ）がＲＲＭ測定のために活用され得る。このような場合に、ＳＴＩが５つの場合の数を伝達しなければならない。しかし、単にＲＲＭ測定を行うアルゴリズムを変更するためにＳＴＩが定義される場合には、ＳＴＩが２つの場合の数のみを伝達することで充分である。ここで、２つの場合の数は、端末のためのシンボルおよび周波数領域（例、ＴＳによってあらかじめ定義されるかあるいは基地局によってあらかじめ設定されたシンボルおよび周波数領域）に亘る最小限のリソースが、サブフレーム／スロットのＤＬ領域（ｒｅｇｉｏｎ）に含まれるか、あるいは含まれないかを意味し得る。このような場合に、ＳＴＩは１ビットのみを伝達することができる。
【０２０３】
他の方法として、ＳＴＩでＤＬ領域（ｒｅｇｉｏｎ）の長さが符号化され得る。固定ＤＬリソースの後にＤＬ領域（ｒｅｇｉｏｎ）として追加に割り当てられるシンボル（ｓｙｍｂｏｌ）の個数が、いくつかの場合にＴＳによって定義され得る。例えば、ＳＴＩが４つの場合の数を伝達することができ、第１の場合は０個を表示することができ、第２の場合は４個を表示することができ、第３の場合には８個を表示することができ、第４の場合は１２個を表示することができる。ＳＴＩは、２ｂｉｔｓを利用してＤＬシンボルの個数を不特定多数の端末にシグナリングすることができる。
【０２０４】
ＳＴＩは３つの場合あるいはそれ以上に細分化されたスロットタイプを端末に伝達することもできる。このような場合は、端末がＤＬ領域（ｒｅｇｉｏｎ）を認知しなければならないＲＲＭ測定やＣＳＩフィードバックを支援できるだけでなく、ＵＬ領域（ｒｅｇｉｏｎ）を認知しなければならないシナリオを支援することができる。例えば、隣接基地局からのＵＬ干渉信号を測定するようにサービング基地局から設定を受けた端末の動作が考慮され得る。サービング基地局は、ダイナミックＴＤＤとして動作する場合に、端末に隣接基地局からのＤＬ干渉信号とＵＬ干渉信号に対する測定をそれぞれ行うように設定することができる。ここで、測定は、ＣＳＩ測定、ＲＲＭ測定、またはＣＳＩおよびＲＲＭ測定を意味し得る。このような場合に、端末は、隣接基地局のＤＬ領域（ｒｅｇｉｏｎ）だけでなく、ＵＬ領域（ｒｅｇｉｏｎ）に対する情報も知らなければならないが、これは隣接基地局によって伝送されるＰＳＴＩＣＨに含まれたＳＴＩから獲得され得る。
【０２０５】
ＰＳＴＩＣＨは、固定ＤＬリソース以内で複数のＲＥを使用してエンコーディングを通じて周波数ダイバーシティを得ることができる。
【０２０６】
ＰＳＴＩＣＨは、ＤＬ  ＮＲ−ＤＲＳリソースが定義された固定ＤＬリソースに属する。ＤＬ  ＮＲ−ＤＲＳリソースが伝送されないサブフレーム／スロットでは、ＲＲＭ測定を目的とするＳＴＩが伝送される必要がない。しかし、万一、プロセシング時間が非常に短く要求される場合には、端末がサブフレーム／スロットタイプまたはＳＴＩを非常に早い時点であらかじめ知っていることが有利であり、また、隣接したセルのサブフレーム／スロットタイプまたはＳＴＩを知っていることが有利である。このような場合に、毎サブフレーム／スロット毎にＰＳＴＩＣＨが伝送され得る。万一、基地局が毎サブフレーム／スロット毎にＰＳＴＩＣＨを伝送する場合に、ＰＳＴＩＣＨは、サブフレーム／スロットタイプだけでなく、ブランク（ｂｌａｎｋ）リソースの時間および周波数位置、そして、ＤＬ制御チャネルを有するシンボルの個数を少なくとも含むことができる。ここで、ブランクリソースは、サブバンド（ｓｕｂｂａｎｄ）およびミニスロット（ｍｉｎｉ−ｓｌｏｔ）の単位を有することができる。
【０２０７】
ＰＳＴＩＣＨリソースの時間位置（ｔｉｍｅ  ｌｏｃａｔｉｏｎ）と周波数位置（ｆｒｅｑｕｅｎｃｙ  ｌｏｃａｔｉｏｎ）は、ＴＳによって定義され、基地局にＲＲＣ連結されていない端末（例、ＲＲＣ＿ＩＤＬＥ  ＵＥ）、ノン−サービング（ｎｏｎ−ｓｅｒｖｉｎｇ）端末なども測定を行うことができる。
【０２０８】
ＰＳＴＩＣＨは、単一（ｓｉｎｇｌｅ）アンテナポートを通じて伝送され、端末は、セルを特定した（ｃｅｌｌ−ｓｐｅｃｉｆｉｃ）アンテナポートを利用してＰＳＴＩＣＨを受信できなければならない。ＮＲセルでＰＳＴＩＣＨのための別途のＤＭ−ＲＳが導入され得る。あるいはＮＲセルは、ＰＤＣＣＨのＣＳＳ（ｃｏｍｍｏｎ  ｓｅａｒｃｈ  ｓｐａｃｅ）のためのアンテナポートを利用してＰＳＴＩＣＨを変調することができる。ＰＳＴＩＣＨとＰＤＣＣＨは、互いに異なるＤＭ−ＲＳを利用せず、端末は、ＰＳＴＩＣＨを復調するためにＰＤＣＣＨのためのＤＭ−ＲＳを再使用することができる。反面、ＰＳＴＩＣＨ復調のためのＤＭ−ＲＳとＰＤＣＣＨ復調のためのＤＭ−ＲＳが互いに区分され、互いに異なるアンテナポートを利用する場合に、サービング基地局は、ＤＭ−ＲＳをさらに多く伝送しなければならないため、これはリソース効率の側面で不利である。
【０２０９】
ＰＳＴＩＣＨは、ＲＲＣアイドル（ＲＲＣ＿ＩＤＬＥ）状態の端末や隣接基地局に属したＲＲＣ連結（ｃｏｎｎｅｃｔｅｄ）端末などによっても探知することができなければならない。したがって、サービング基地局にＲＲＣ連結されていない端末やあるいは隣接基地局に属した端末もＰＳＴＩＣＨを探知できるようにするために、サービング基地局は、ＲＲＣ連結状態のサービング端末だけのために伝送されるＤＭ−ＲＳの量よりもさらに多い量のＤＭ−ＲＳをＰＳＴＩＣＨに含ませて伝送することができる。したがって、ＰＳＴＩＣＨ  ＤＭ−ＲＳの追加的な伝送を最小化するために、ＣＳＳ（ｃｏｍｍｏｎ  ｓｅａｒｃｈ  ｓｐａｃｅ）を伝送するＰＤＣＣＨ  ＤＭ−ＲＳのための前処理と同じ前処理がＰＳＴＩＣＨに適用され得る。このような場合に、サービング基地局は、ＰＳＴＩＣＨとＰＤＣＣＨを同じ周波数帯域あるいは交互にインターリーブ（ｉｎｔｅｒｌｅａｖｅｄ）された周波数リソース（例、ＰＳＴＩＣＨは、ｏｄｄ  ＲＥＧ  ｉｎｄｅｘを使用し、ＰＤＣＣＨは、ｅｖｅｎ  ＲＥＧ  ｉｎｄｅｘを使用）を活用して伝送することができる。このような場合に、端末は、ＰＳＴＩＣＨのＣＳＳとＰＤＣＣＨのＣＳＳが同じアンテナポートを使用すると仮定することができる。
【０２１０】
ＰＳＴＩＣＨの場合には、端末がさらに高い受信品質（例、さらに低いエラー比率）を有するために、追加的なＤＭ−ＲＳが伝送されるかあるいはＳＴＩ（ｓｕｂｆｒａｍｅ／ｓｌｏｔ  ｔｙｐｅ  ｉｎｄｉｃａｔｏｒ）にさらに低い符号化率が適用され得る。ＳＴＩにさらに低い符号化率が適用されるために、符号化されたＳＴＩは、より多くの量の時間および周波数リソースにマッピングされ得る。ＳＴＩは、サブフレーム／スロットの早い時点で活用されなければならないため、サービング基地局は、さらに少ない量の時間を利用することによって端末の復調のための遅延（ｌａｔｅｎｃｙ）を増加させず、その代わり、より多くの量の周波数を利用することができる。これを通じて、周波数多重化利得も獲得され得る。
【０２１１】
ＰＳＴＩＣＨは、仮想セクター毎に互いに異なる値を有することが許容され得る。このような場合に、仮想セクター毎にＰＳＴＩＣＨが別途に伝送され得る。万一ＰＳＴＩＣＨがセルを特定（ｃｅｌｌ−ｓｐｅｃｉｆｉｃ）して伝送される場合には、仮想セクター毎に有さなければならないスロットタイプはいずれもセルを特定した（ｃｅｌｌ−ｓｐｅｃｉｆｉｃ）ＰＳＴＩＣＨに含まれ得る。
【０２１２】
方法ＩＮＤ１−２は、ＰＳＴＩＣＨがＮＲ−ＰＤＣＣＨに含まれるケースに該当する。例えば、基地局は、サブフレーム／スロットのタイプを指示するＳＴＩを生成し、ＳＴＩをＮＲ−ＰＤＣＣＨに含ませ、ＮＲ−ＰＤＣＣＨを固定ＤＬリソースを通じて端末に伝送することができる。端末は、ＮＲ−ＰＤＣＣＨのＣＳＳ（ｃｏｍｍｏｎ  ｓｅａｒｃｈ  ｓｐａｃｅ  ｏｒ  ｃｅｌｌ−ｓｐｅｃｉｆｉｃ  ｓｅａｒｃｈ  ｓｐａｃｅ）でＳＴＩ（ｓｕｂｆｒａｍｅ／ｓｌｏｔ  ｔｙｐｅ  ｉｎｄｉｃａｔｏｒ）を探す。このような場合に、端末は、別途のＰＤＣＣＨ候補（ｃａｎｄｉｄａｔｅ）を探索しなければならないため、端末は、ＲＲＭ測定を行うためにＰＤＣＣＨ復調を行わなければならない。このために端末はさらに複雑に動作するため、方法ＩＮＤ１−２は方法ＩＮＤ１−１より不利である。方法ＩＮＤ１−２でＳＴＩの意味とＤＭ−ＲＳ設定方法は、方法ＩＮＤ１−１と同じである。
【０２１３】
端末の複雑度を減らすために、端末は、ＰＤＣＣＨの探索空間を無作為的（例、ｂｌｉｎｄ  ｄｅｃｏｄｉｎｇ）に探索しなくても、ＳＴＩの時間および周波数リソースの位置を認知できなければならない。このために、ＰＤＣＣＨに属したＲＥＧ（あるいはＣＣＥ）のうちＳＴＩを含むＲＥＧ（あるいはＣＣＥ）に対する別途のスクランブリング（ｓｃｒａｍｂｌｉｎｇ）等の動作が行われないこともある。
【０２１４】
例えば、ＰＤＣＣＨの一部のリソースとしてＲＥＧ（あるいはＣＣＥ）が別途に割り当てられ、前記ＲＥＧ（あるいはＣＣＥ）は、ＳＴＩの情報を少なくとも含むことができ、その他にも前記ＲＥＧ（あるいはＣＣＥ）は、ブランクリソース（ｂｌａｎｋ  ｒｅｓｏｕｒｃｅ）あるいは備蓄リソース（ｒｅｓｅｒｖｅｄ  ｒｅｓｏｕｒｃｅ）等の情報をさらに含むことができる。すなわち、基地局は固定ＤＬリソース（またはＰＤＣＣＨリソース）に属するＲＥＧ（またはＣＣＥ）のうち基地局の識別情報に対応するＲＥＧ（またはＣＣＥ）を利用して、ＳＴＩを伝送することができる。このようなＰＤＣＣＨの一部のリソースが有する周波数および時間リソースを、サービング基地局（あるいはサービングセル）の識別情報により端末が自ら類推することができる。ＳＴＩを伝送するリソースはサービング基地局（あるいはサービングセル）の識別情報により変わり得るため、互いに異なる基地局（あるいはセル）により伝送されるＳＴＩは衝突を回避することができる。
【０２１５】
これに伴い、端末は、サービング基地局のＳＴＩあるいは隣接基地局のＳＴＩを認知し、サービング基地局から設定を受けた通り、ＲＲＭ測定あるいはＣＳＩ測定などの動作を行うことができる。
【０２１６】
ＳＴＩをＰＤＣＣＨの一部として伝送する方法はＲＥＧあるいはＣＣＥを利用するため、サービング基地局は、ＳＴＩ伝送のためのＲＥＧ（あるいはＣＣＥ）を避けて他のＰＤＣＣＨ候補（ｃａｎｄｉｄａｔｅ）のためのＲＥＧマッピング（あるいはＣＣＥマッピング）を行う。例えば、サービング基地局は、ＲＥＧのうちＳＴＩ伝送のためのＲＥＧを除いた残りのＲＥＧを利用してＣＣＥ構成のためのマッピングを行い、その後ＰＤＣＣＨ候補をすでに生成されたＣＣＥにマッピングする。すなわち、サービング基地局は、ＰＤＣＣＨ候補を、固定ＤＬリソースに属するＲＥＧのうちＳＴＩ伝送のためのＲＥＧを除いた残りのＲＥＧにマッピングすることができる。したがって、サービング基地局は、ＣＣＥを構成するＲＥＧのインデクシング（ｉｎｄｅｘｉｎｇ  ｏｒ  ｎｕｍｂｅｒｉｎｇ）を行う場合に、ＳＴＩがマッピングされていないＲＥＧのみを利用してインデクシングを行い、ＣＣＥを構成する。他の例として、サービング基地局は、ＣＣＥのうちＳＴＩ伝送のためのＣＣＥを除いた残りのＣＣＥだけを利用してインデクシングを行うことができる。その後、サービング基地局は、ＰＤＣＣＨ候補のためのマッピングを行う。
【０２１７】
ＰＳＴＩＣＨ設計の例を説明する。
【０２１８】
ＰＳＴＩＣＨを定義する方法は、ＬＴＥ  ＰＣＦＩＣＨのように方法ＳＴＩ−１を使用することができ、またはＬＴＥ  ＰＤＣＣＨのように方法ＳＴＩ−２を使用することができる。
【０２１９】
方法ＳＴＩ−１で、ＰＳＴＩＣＨは、ＬＴＥ  ＰＣＦＩＣＨと同様に設計される。サービング基地局は、符号化されたＳＴＩをＲＥＧ単位（あるいはＣＣＥ単位）で処理し、ＴＳによって定義されたＲＥＧ（あるいはＣＣＥ）位置にあるいはサービング基地局（あるいはサービングセル）の識別情報から類推され得るリソースに、符号化されたＳＴＩをＲＥＧ単位（あるいはＣＣＥ単位）でマッピングする。
【０２２０】
端末がＳＴＩをさらに早い時点で復調するために、ＳＴＩを含むＲＥＧあるいはＣＣＥは最初のＤＬシンボルに位置することができる。例えば、基地局は、サブフレーム／スロットに属する時間ドメインシンボルのうち、最も前にある時間ドメインシンボルに、ＳＴＩ伝送のためのＲＥＧ（またはＣＣＥ）を位置させることができる。
【０２２１】
ＳＴＩの復号性能を高めるために、サービング基地局は、ＳＴＩを含むＲＥＧあるいはＣＣＥを多様な周波数に亘ってマッピングすることができる。例えば、サービング基地局はＳＴＩ伝送のためのＲＥＧ（またはＣＣＥ）を、システム帯域幅に属する多数の周波数にマッピングさせることができる。これを通じて、周波数ダイバーシティの利得が獲得され得る。
【０２２２】
方法ＳＴＩ−２で、ＰＳＴＩＣＨは、ＰＤＣＣＨのセルを特定した探索空間（ｃｅｌｌ−ｓｐｅｃｉｆｉｃ  ｓｅａｒｃｈ  ｓｐａｃｅ）に含まれる。
【０２２３】
ＰＳＴＩＣＨは、ＤＬシンボルの個数を知るための情報を少なくとも含む。例えば、サービング基地局は、一つのサブフレーム／スロットをｘ個（ただし、ｘ＝７ｏｒ１４）のシンボルで構成し、一つのサブフレーム／スロットにＤＬシンボルがｙ個（ただし、ｙ＜ｘ）存在する場合に、サービング基地局は、端末にｙの値を知らせなければならない。例えば、サービング基地局は、サブフレーム／スロットに属するｘ個の時間ドメインシンボルのうちＤＬのための時間ドメインシンボルの個数ｙを決定し、サブフレーム／スロットのタイプを決定し、決定された個数ｙと決定されたサブフレーム／スロットタイプ（またはＳＴＩ）を含むＰＳＴＩＣＨを、ＰＤＣＣＨのためのＣＳＳを通じて伝送することができる。ここで、ｙとＳＴＩは、符号化されてインデックス形態でＰＳＴＩＣＨに含まれ得る。
【０２２４】
端末は、（ｘ−ｙ）個のシンボルがＧＰやＵＬシンボルに該当すると解釈することができる。端末は、ＰＳＴＩＣＨを受信することによって、該当シンボルがＵＬシンボルやＧＰシンボルであると認知することができる。端末は、基地局のＤＬ割り当て（ａｓｓｉｇｎｍｅｎｔ）とＵＬグラントに合わせて受信と送信を行い、ｙ個のシンボルをＤＬ測定（例、ＲＲＭ測定、ＣＳＩ測定など）のために活用することができる。
【０２２５】
サービング基地局（あるいはサービングセル）に属したＲＲＣ連結（ｃｏｎｎｅｃｔｅｄ）状態の端末だけでなく、インター周波数測定を行っている端末や、ＲＲＣアイドル状態の端末も、ＰＳＴＩＣＨを復号することができる。これを通じて、端末は、ｙの値を知ることができる。例えば、端末は、ｙ値を利用して、サービング基地局（あるいはサービングセル）に対する適切なＲＳＳＩを測定することができる。
【０２２６】
端末がＳＴＩをさらに早い時点で復調するために、ＳＴＩを含むＲＥＧあるいはＣＣＥは、最初のＤＬシンボルに位置することができる。例えば、基地局はＰＤＣＣＨリソースに属するＲＥＧ（またはＣＣＥ）のうちＳＴＩ伝送のための一つ以上のＲＥＧ（またはＣＣＥ）を、ｙ個のＤＬシンボルのうち、最も前にあるシンボルに位置させることができる。
【０２２７】
ＳＴＩの復号性能を高めるために、サービング基地局は、ＳＴＩを含むＲＥＧあるいはＣＣＥを多様な周波数に亘ってマッピングすることができる。例えば、サービング基地局はＰＤＣＣＨリソースに属するＲＥＧ（またはＣＣＥ）のうちＳＴＩ伝送のための一つ以上のＲＥＧ（またはＣＣＥ）を、システム帯域幅以内で多数の周波数にマッピングすることができる。これを通じて、周波数ダイバーシティの利得が獲得され得る。
【０２２８】
サービング基地局は、符号化されたＳＴＩをＣＣＥ単位（またはＲＥＧ単位）で処理し、ＴＳによって定義されたＲＥＧ位置（あるいはＣＣＥ位置）に符号化されたＳＴＩをＣＣＥ単位（またはＲＥＧ単位）でマッピングするかあるいはサービング基地局（あるいはサービングセル）の識別情報から類推され得るリソースに符号化されたＳＴＩをＣＣＥ単位（またはＲＥＧ単位）でマッピングする。例えば、端末は、サービング基地局（あるいはサービングセル）の識別情報からＳＳバーストに属したシステム情報（例、ＳＩＢ）の位置を類推することができ、ＳＩＢを復調することによってＳＴＩの位置を知ることができる。さらに他の例として、ＳＴＩは、サービング基地局（あるいはサービングセル）の識別情報に基づいて決定されるリソースにマッピングされ得る。さらに他の例として、ＳＴＩは、ＴＳによって決定されたリソースで伝送され得る。
【０２２９】
方法ＩＮＤ１−３は、ＤＬ  ＮＲ−ＤＲＳリソースでＣＤＭ（ｃｏｄｅ  ｄｉｖｉｓｉｏｎ  ｍｕｌｔｉｐｌｅｘｉｎｇ）を使用して、ＤＬ  ＮＲ−ＤＲＳアンテナポートの受信強度をスプレッディング因子（ｓｐｒｅａｄｉｎｇ  ｆａｃｔｏｒ）だけ増加させることができる。例えば、ＬＴＥ  ＣＳＩ−ＲＳあるいはＬＴＥ  ＤＭ−ＲＳは、ＣＤＭ−２とＣＤＭ−４を利用して、端末の受信強度を増加させることができる。ＣＤＭに適用される各ＯＣＣ（ｏｒｔｈｏｇｏｎａｌ  ｃｏｖｅｒ  ｃｏｄｅ）は、一つのアンテナポートに対応する。
【０２３０】
万一ＤＬ  ＮＲ−ＤＲＳサブフレーム／スロットのサブフレーム／スロットタイプがＤＬ−中心的（ｃｅｎｔｒｉｃ）サブフレーム／スロットである場合に、各ＤＬ  ＮＲ−ＤＲＳリソースに特定のＯＣＣ（例、ＯＣＣ１）が適用される。ＤＬ  ＮＲ−ＤＲＳサブフレーム／スロットのサブフレーム／スロットタイプがＵＬ−中心的（ｃｅｎｔｒｉｃ）サブフレーム／スロットである場合に、ＤＬ  ＮＲ−ＤＲＳリソースに他のＯＣＣ（例、ＯＣＣ１と異なるＯＣＣ２）が適用される。端末は、ＤＬ  ＮＲ−ＤＲＳリソースに適用されたＯＣＣを推定できるため、端末は、該当ＤＬ  ＮＲ−ＤＲＳサブフレーム／スロットのサブフレーム／スロットタイプを知ることができる。これは、３ＧＰＰ  ＮＲセルが別途の物理チャネルを定義せずにＤＬ  ＮＲ−ＤＲＳリソースを通じて暗示的指示（ｉｍｐｌｉｃｉｔ  ｉｎｄｉｃａｔｉｏｎ）を行う方法である。
【０２３１】
具体的には、複数個（例、Ｌ個）のＤＬ  ＮＲ−ＤＲＳ  ＲＥで構成されたＤＬ  ＮＲ−ＤＲＳリソースがＴＳによって定義される場合に、ＮＲセルは、Ｌ−ｌｅｎｇｔｈ  ＯＣＣを使用することができる。端末が探知するＯＣＣにより、サブフレーム／スロットタイプを決定することができる。例えば、Ｌ＝２である場合に、端末は、［＋１、＋１］を探知し、サブフレーム／スロットタイプがＤＬ−中心的（ｃｅｎｔｒｉｃ）サブフレーム／スロットであると判断することができる。他の例として、端末は、［＋１、−１］を探知し、サブフレーム／スロットタイプがＵＬ−中心的（ｃｅｎｔｒｉｃ）サブフレーム／スロットであると判断することができる。
【０２３２】
方法ＩＮＤ２は、端末が別途の指示（ｉｎｄｉｃａｔｉｏｎ）なしにサブフレーム／スロットタイプを認知する方法である。
【０２３３】
方法ＩＮＤ２のための方法ＩＮＤ２−１で、端末は、３ＧＰＰ  ＮＲ  ＴＤＤのためのサブフレーム／スロットタイプの特徴により、サブフレーム／スロットタイプを推測することができる。
【０２３４】
サブフレーム／スロットタイプがＤＬ−中心的（ｃｅｎｔｒｉｃ）サブフレーム／スロットである場合に、ＧＰが定義されないかＧＰ位置がサブフレーム／スロットの最後のシンボルを含む。サブフレーム／スロットタイプがＵＬ−中心的（ｃｅｎｔｒｉｃ）サブフレーム／スロットである場合に、固定ＤＬリソースの次に位置したシンボルとその次のシンボルは、ＧＰに属する。サブフレーム／スロットタイプが特別サブフレーム／スロットである場合に、固定ＤＬリソースの次にノン−ゼロ（ｎｏｎ−ｚｅｒｏ）個数のＤＬシンボルが位置し、その後にＧＰが位置し、その後にＵＬ領域（ｒｅｇｉｏｎ）が位置する。したがって、端末は、ＧＰの位置を探知し、サブフレーム／スロットタイプを決定することができる。ＧＰの位置を探知する方法は、端末がエネルギー探知（ｅｎｅｒｇｙ  ｄｅｔｅｃｔｉｏｎ）を行う方法を使用することができる。
【０２３５】
３ＧＰＰ  ＮＲ  ＴＤＤでは地理的に隣接した基地局が時間同期化されて動作しなければならないため、端末は、ＧＰに属するリソースではスケジューリング割り当て（ｓｃｈｅｄｕｌｉｎｇ  ａｓｓｉｇｎｍｅｎｔ）によるＤＬデータ伝送やあるいはスケジューリンググラント（ｓｃｈｅｄｕｌｉｎｇ  ｇｒａｎｔ）によるＵＬデータ伝送がないと仮定することができる。ＧＰに属するリソースではＤＬ領域（ｒｅｇｉｏｎ）やＵＬ領域（ｒｅｇｉｏｎ）よりも相対的に少ないエネルギーが受信される。したがって、端末は、エネルギー探知をシンボル毎に行い、ＧＰの位置を探知する。
【０２３６】
固定ＤＬリソースを含むシンボルの次のシンボルで端末によって探知されたエネルギー値をＥ１と仮定すると、端末がこのような過程を繰り返して探知したエネルギー値は、［Ｅ１、Ｅ２、．．．、ＥＬ］で表現され得る。ここで、Ｌは自然数であり、サブフレーム／スロットに属して固定ＤＬリソースを含まないシンボルインデックスに対応する。
【０２３７】
長さを知らないＧＰの存在を探知するために、端末は、
【数４７】
2019517201.tif 000049
とＥＬの値を比較することができる。万一、該当シンボルを含んだ領域（ｒｅｇｉｏｎ）がＤＬ領域（ｒｅｇｉｏｎ）であると、干渉仮説（ｉｎｔｅｒｆｅｒｅｎｃｅ  ｈｙｐｏｔｈｅｓｉｓ）が同一であるため、部分的平均（ｐａｒｔｉａｌ  ａｖｅｒａｇｅ）に該当するＳＬの値は、ＥＬとさほど大きな差はない。万一、該当シンボルを含んだ領域（ｒｅｇｉｏｎ）と部分的平均（ｐａｒｔｉａｌ  ａｖｅｒａｇｅ）に該当する領域（ｒｅｇｉｏｎ）が互いに異なるのであれば、ＳＬの値はＥＬと大きく差が発生され得る。一つのシンボルでこのような変化探知（ｃｈａｎｇｅ  ｄｅｔｅｃｔｉｏｎ）の結果により、端末は、ＧＰの存在を探知することができる。
【０２３８】
誤報可能性（ｆａｌｓｅ  ａｌａｒｍ  ｐｒｏｂａｂｉｌｉｔｙ）を低くするために、端末は、より多くの個数のシンボルを利用して仮説の検証（ｈｙｐｏｔｈｅｓｉｓ  ｔｅｓｔｉｎｇ）を行うことができる。端末は、ＵＬ−中心的（ｃｅｎｔｒｉｃ）サブフレーム／スロットでシンボルをＧＰとＵＬ領域（ｒｅｇｉｏｎ）に区分（またはｇｒｏｕｐｉｎｇ）することができる。端末は、ＤＬ−中心的（ｃｅｎｔｒｉｃ）サブフレーム／スロットでシンボルをＤＬ領域（ｒｅｇｉｏｎ）に区分（またはｇｒｏｕｐｉｎｇ）するか、ＤＬ領域（ｒｅｇｉｏｎ）とＧＰに区分（またはｇｒｏｕｐｉｎｇ）することができる。［Ｅ１、Ｅ２、．．．、ＥＭ］は、２個以下のグループに区分され得る。ここで、Ｍは、Ｌの最大値を表す。［Ｅ１、Ｅ２、．．．、ＥＭ］が２個のグループに分かれる場合の境界（ｂｏｕｎｄａｒｙ）は、１個に該当する。万一、端末が（Ｍ＋１）個の値をすべて活用するためには、一つのサブフレーム／スロットをすべてデータバッファーに保存した後に活用するため、サブフレーム／スロットの長さだけ遅延（ｌａｔｅｎｃｙ）が発生する。しかし、エネルギー値のみが保存されるため（すなわち、（Ｍ＋１）個の値が保存されるため）、データの量は多くない。またＧＰ位置の探知がＲＲＭ測定のために活用される場合に、サブフレーム／スロットの長さだけの遅延（ｌａｔｅｎｃｙ）は無視できるほど小さい。
【０２３９】
しかし、ＧＰシンボルのインデックスを正確に探知できないシナリオがいくつか存在する。例えば、サブフレーム／スロットタイプを探知しようとする端末が位置した方向が、セルスケジューラーが選択した前処理によってヌリング（ｎｕｌｌｉｎｇ）される場合がある。このような場合に、端末がたとえセルセンター（ｃｅｌｌ  ｃｅｎｔｅｒ）に位置すると仮定されても、ＤＬ領域（ｒｅｇｉｏｎ）で少なくないエネルギー（ｎｏｎ−ｔｒｉｖｉａｌ  ｅｎｅｒｇｙ）が放射（ｒａｄｉａｔｅ）され、端末がこれを受信するとしても、端末は、少ないエネルギーを収集（ｃｏｌｌｅｃｔ）することができる。他の例として、サブフレーム／スロットタイプを探知しようとする端末がセルエッジ（ｃｅｌｌ  ｅｄｇｅ）に位置した場合がある。このような場合には、経路損失（ｐａｔｈ  ｌｏｓｓ）により、受信エネルギーレベルがノイズレベル（ｎｏｉｓｅ  ｌｅｖｅｌ）とさほど差がない場合がある。このような場合に、端末は、ＧＰを誤探知（ｍｉｓｄｅｔｅｃｔｉｏｎ）し得る。さらに他の例として、データバッファーの中にあるＤＬデータが少ない場合がある。このような場合に、スケジューラーは、端末がセルセンターに位置してもエネルギーを放射しないため、端末がエネルギーを多く収集することができない。このような場合には、端末は、ＧＰの存在を探知し難い。仮説検証（ｈｙｐｏｔｈｅｓｉｓ  ｔｅｓｔｉｎｇ）から獲得される十分な統計（ｓｕｆｆｉｃｉｅｎｔ  ｓｔａｔｉｓｔｉｃｓ）で所定の大きな差（例、ｏｆｆｓｅｔ  ｇｒｅａｔｅｒ  ｔｈａｎ  ｔｈｒｅｓｈｏｌｄ）がない場合に、端末は、ＧＰの存在を判断できないことがあり、端末は、該当サブフレーム／スロットのサブフレーム／スロットタイプを決定することができない。
【０２４０】
セルアソシエーション（ｃｅｌｌ  ａｓｓｏｃｉａｔｉｏｎ）は、ロード条件（ｌｏａｄ  ｃｏｎｄｉｔｉｏｎ）に基づくと、制御平面遅延（ｃｏｎｔｒｏｌ  ｐｌａｎｅ  ｌａｔｅｎｃｙ）を減らすことができる。基地局が複数の周波数割り当て（ｆｒｅｑｕｅｎｃｙ  ａｌｌｏｃａｔｉｏｎ）を有して複数のシステムキャリアを運営する場合が考慮される。これは、同じサイト（ｓｉｔｅ）で互いに異なる周波数を有するセルが運営されるケースに該当する。
【０２４１】
端末は、各セルに対するＲＲＭ測定を行う。端末が別途の設定なしに各セルに対するＲＳＲＰを測定する場合に、端末は、低周波数（ｌｏｗ  ｆｒｅｑｕｅｎｃｙ）に配置（ｄｅｐｌｏｙ）されたセル（例、ｃｅｌｌ  １）に対して、より大きなＲＳＲＰを測定することができる。伝送電力（ｔｒａｎｓｍｉｓｓｉｏｎ  ｐｏｗｅｒ）が同じである場合に、低周波数での経路損失（ｐａｔｈ  ｌｏｓｓ）が高周波数（ｈｉｇｈ  ｆｒｅｑｕｅｎｃｙ）での経路損失よりも少ないため、端末は、同じサイトでセル（ｃｅｌｌ  １）に対してより大きなＲＳＲＰを得ることができる。このような場合に、端末は、セル（ｃｅｌｌ  １）に初期接続（ｉｎｉｔｉａｌ  ａｃｃｅｓｓ）する傾向を有する。しかし、これはセルのトラフィックロード条件（ｔｒａｆｆｉｃ  ｌｏａｄ  ｃｏｎｄｉｔｉｏｎ）に関係なく、ＲＳＲＰは、端末とセル間の電波到達距離に関する関数に該当するため、セルのトラフィックロードが大きい場合にも、サービング基地局は、該当端末を該当セルにアソシエート（ａｓｓｏｃｉａｔｅ）させる。その後に、サービング基地局は、ロードバランシング（ｌｏａｄ  ｂａｌａｎｃｉｎｇ）を行ってサービング端末の一部を高周波数に配置（ｄｅｐｌｏｙ）されたセル（例、ｃｅｌｌ  ２）でハンドオーバーさせるためのハンドオーバーコマンド（ｈａｎｄｏｖｅｒ  ｃｏｍｍａｎｄ）をシグナリングする。このような動作は、制御平面遅延（ｃｏｎｔｒｏｌ  ｐｌａｎｅ  ｌａｔｅｎｃｙ）を多く消耗する。ｅＭＢＢシナリオは、このような制御平面遅延にさほど影響を受けないが、ＵＲＬＬＣシナリオは、このような制御平面遅延も減らさなければならない。したがって、端末は、低いロード（ｌｏｗ  ｌｏａｄ）を有するセルを探した後、セル選択（ｃｅｌｌ  ｓｅｌｅｃｔｉｏｎ）手続きとセル再選択（ｃｅｌｌ  ｒｅｓｅｌｅｃｔｉｏｎ）手続きを行うことができる。
【０２４２】
ＲＲＣアイドル（ＲＲＣ＿ＩＤＬＥ）状態に属した端末もセルのロードを測定することができる。
【０２４３】
ＲＲＣ連結（ＲＲＣ＿ＣＯＮＮＥＣＴＥＤ）状態の端末は、セッション（ｓｅｓｓｉｏｎ）が終了すると、サービングセルから設定を受けたＤＲｘサイクル（ｃｙｃｌｅ）あるいはＲＲＣ連結タイマーによって定められた一定時間の後に、ＲＲＣアイドル（ＲＲＣ＿ＩＤＬＥ）状態で動作する。その後に再びＤＬセッションが発生すると、サービングセル基地局は、ページングを通じて端末を探索し、ＵＬセッションが発生すると、端末は、キャンプオンセル（ｃａｍｐｅｄ−ｏｎ  ｃｅｌｌ）で初期接続（ｉｎｉｔｉａｌ  ａｃｃｅｓｓ）を行う。ＲＲＣアイドル（ＲＲＣ＿ＩＤＬＥ）状態の端末は、ＲＳＲＰあるいはＲＳＲＱに基づいてキャンピング（ｃａｍｐｉｎｇ）セルを決定するため、セル（例、ｃｅｌｌ  １）を選択する傾向を有する。しかし、これはロードを依然として考慮していないため、ロードバランシングによるハンドオーバーが頻繁に行われなければならず、その結果、制御平面遅延が増加する。したがって、ＵＲＬＬＣを積極的に支援するために、端末は、ＤＬロードを反映してセル選択（ｃｅｌｌ  ｓｅｌｅｃｔｉｏｎ）手続きを行い、その一方でＵＬロードを反映してセル選択（ｃｅｌｌ  ｓｅｌｅｃｔｉｏｎ）手続きを行うことができる。
【０２４４】
図６は、３ＧＰＰ  ＮＲリファレンスシステムが一つのサブフレーム／スロットで有するリソースを示す図面である。具体的には、図６には、リソースが６つ（例、固定ＤＬリソース、リソースＡ、リソースＢ、リソースＣ、リソースＥ、リソースＥ）に区分される場合が例示されている。図６において、横軸はサブフレームを示し、縦軸はシステム帯域幅を示す。
【０２４５】
図６には、ＤＬ領域（ｒｅｇｉｏｎ）とＵＬ領域（ｒｅｇｉｏｎ）が区分されていない。リソースの時間境界（ｔｉｍｅ  ｂｏｕｎｄａｒｙ）と周波数境界（ｆｒｅｑｕｅｎｃｙ  ｂｏｕｎｄａｒｙ）を、固定ＤＬリソースによって使用されるヌメロロジー（ｎｕｍｅｒｏｌｏｇｙ）を基準として説明する。
【０２４６】
図６で、固定ＤＬリソースは、同期信号、ＤＬ  ＮＲ−ＤＲＳ、ＰＤＣＣＨ、およびＰＢＣＨなどの情報を含む。このような情報は、自立型動作（ｓｔａｎｄａｌｏｎｅ  ｏｐｅｒａｔｉｏｎ）のための必須の情報に該当する。固定ＤＬリソースは、ＴＳによって定義された一つのヌメロロジーを使用する。固定ＤＬリソースは、隣接したＲＥの集合で構成され得る。または固定ＤＬリソースは、ダイバーシティを得るために、ＲＥ集合が互いに周波数軸で隣接しないように構成されてもよい。
【０２４７】
図６で、リソースＡは、固定ＤＬリソースを含むシンボルで構成され、端末に許容された測定帯域幅（ａｌｌｏｗｅｄ  ｍｅａｓｕｒｅｍｅｎｔ  ｂａｎｄｗｉｄｔｈ）に属するが固定ＤＬリソースに属さないサブキャリアで構成される。固定ＤＬリソースとリソースＡは、互いに異なるヌメロロジーを使用することができる。３ＧＰＰ  ＮＲで半二重（ｈａｌｆ−ｄｕｐｌｅｘ）が使用される場合に、リソースＡは、ＤＬリソースに属する。
【０２４８】
図６で、リソースＢは、固定ＤＬリソースを含むシンボルに属するリソースのうち測定帯域幅に属さないリソースで構成される。固定ＤＬリソースとリソースＢは、互いに異なるヌメロロジーを使用することができる。３ＧＰＰ  ＮＲで半二重（ｈａｌｆ−ｄｕｐｌｅｘ）が使用される場合に、リソースＢは、ＤＬリソースに属する。
【０２４９】
図６で、リソースＣは、固定ＤＬリソースのためのサブキャリアと同じサブキャリアを使用するが、固定ＤＬリソースのためのシンボルと異なるシンボルを使用する。固定ＤＬリソースとリソースＣは、互いに異なるヌメロロジーを使用することができる。万一、サブフレーム／スロットタイプにＧＰが含まれる場合に、リソースＣの一部はＧＰに属し、他の一部はＵＬ領域（ｒｅｇｉｏｎ）に属する。
【０２５０】
図６で、リソースＤは、測定帯域幅に属するサブキャリアのうち固定ＤＬリソースによって使用されないサブキャリアに属するリソースで構成され、固定ＤＬリソースによって使用されないシンボルに属するリソースで構成される。固定ＤＬリソースとリソースＤは、互いに異なるヌメロロジーを使用することができる。万一、サブフレーム／スロットタイプにＧＰが含まれる場合に、リソースＤの一部はＧＰに属し、他の一部はＵＬ領域（ｒｅｇｉｏｎ）に属する。
【０２５１】
図６で、リソースＥは、測定帯域幅に属さない、かつ、固定ＤＬリソースのためのシンボルに属さないリソースで構成される。固定ＤＬリソースとリソースＥは、互いに異なるヌメロロジーを使用することができる。万一、サブフレーム／スロットタイプにＧＰが含まれる場合に、リソースＥの一部はＧＰに属し、他の一部はＵＬ領域（ｒｅｇｉｏｎ）に属する。
【０２５２】
３ＧＰＰ  ＮＲシステムに適用されるＲＲＭ測定が定義される。トラフィックロードとＲＳＲＰ間の関数として、ＲＲＭメトリック（ｍｅｔｒｉｃ）が定義され得る。
【０２５３】
３ＧＰＰ  ＮＲシステムのＲＲＭメトリック（ｍｅｔｒｉｃ）は、３ＧＰＰ  ＬＴＥのＲＳＲＰ、ＲＳＲＱ、およびＲＳ−ＳＩＮＲを３ＧＰＰ  ＮＲシステムでそのまま使用することができない。ＤＬ  ＮＲ−ＤＲＳリソースは、固定ＤＬリソースを含むため、端末は、ＲＳＲＰを測定することができる。
【０２５４】
ＲＳＲＱを測定するためのＲＳＳＩ測定方法について説明する。ＲＳＳＩ測定のために使用されるリソースの時間境界と周波数境界が定義される。複数のヌメロロジーを使用する３ＧＰＰ  ＮＲシステムは、固定ＤＬリソースによって使用されるヌメロロジーによってシンボル境界を定義することができる。固定ＤＬリソースによって使用されるヌメロロジーを基準として、測定帯域幅はサブキャリア境界を定義する。このような場合に、二つ以上のヌメロロジーが使用されるため、測定帯域幅の境界に位置したサブキャリアは保護帯域（ｇｕａｒｄ  ｂａｎｄ）のために活用される。したがって、このようなサブキャリアで受信されるエネルギーはＲＳＳＩの値に反映されないことがある。
【０２５５】
ＲＳ−ＳＩＮＲ測定のためには、ＲＳのためのＲＥと同じＲＥでＳＩＮＲが測定されなければならない。しかし、これは、固定ＤＬリソース以内に限定されたリソースであるため、トラフィックロードに関係なく測定される値である。
【０２５６】
ＲＥで測定されるエネルギーとシンボルで測定されるエネルギーは、区別される必要がある。ＤＬ  ＮＲ−ＤＲＳリソースで測定されるＲＳＲＰの場合に、端末は、受信したシンボルからＣＰ（ｃｙｃｌｉｃ  ｐｒｅｆｉｘ）を除去し、周波数ドメインでＤＬ  ＮＲ−ＤＲＳを有するサブキャリアを抽出する。その後に、端末は、ＤＬ  ＮＲ−ＤＲＳを有するサブキャリアだけでシーケンスを構成する。そして、端末は、構成されたシーケンスを端末がすでに知っているＤＬ  ＮＲ−ＤＲＳシーケンスと比較して、コヒーレント探知（ｃｏｈｅｒｅｎｔ  ｄｅｔｅｃｔｉｏｎ）を行う。その反面、シンボルでエネルギー探知が行われる場合に、端末は、コヒーレント探知を行う必要がなく、シンボルの時間境界以内で受信したエネルギーを測定する。特定のサブキャリアだけを別途に処理しないため、端末は、シンボルで測定するエネルギーを時間ドメインで測定することもできる。
【０２５７】
万一、特定のＲＥに該当するリソースをＲＳＳＩ測定リソースから除去するためには、別途のプロセシングが必要である。例えば、ＤＬ  ＮＲ−ＤＲＳリソースを含むＲＥがＲＳＳＩ測定リソースから除外される場合が考慮され得る。端末は、該当シンボルからＣＰ（ｃｙｃｌｉｃ  ｐｒｅｆｉｘ）を除去し、周波数ドメインでＤＬ  ＮＲ−ＤＲＳを有するサブキャリアを抽出する。端末は、残りのサブキャリアでエネルギーを計算する。
【０２５８】
ＲＳＳＩ測定リソースでＲＳＳＩ測定のための単位はシンボルではなくＲＥであり得、ＲＥ単位でＲＳＳＩが測定される場合には前述した方式が適用され得る。
【０２５９】
３ＧＰＰ  ＮＲシステムに適用され得るＲＳＲＱは、ＲＳＲＰとＲＳＳＩ間の関数で定義され得る。例えば、ＲＳＲＱは、ＲＳＲＰとＲＳＳＩ／Ｎ間の比率で決定され得る。ここで、Ｎの値は、端末がＲＳＳＩ測定のために使用したＰＲＢの個数に該当する。他の例として、ＲＳＲＱは、ＲＳＲＰと（ＲＳＲＰ＋ＲＳＳＩ／Ｎ）間の比率で決定され得る。
【０２６０】
３ＧＰＰ  ＮＲ  ＴＤＤリファレンスシステム１、２、および３は、複数のヌメロロジーを定義することができ、ＴＳは、ヌメロロジー毎に固定ＤＬリソースを割り当てることができる。このような場合に、もし端末がこのような固定ＤＬリソースをすべて知っているのであれば、端末は、複数の固定ＤＬリソースをすべて活用してＲＲＭ測定を行うことができる。
【０２６１】
３ＧＰＰ  ＮＲセルに対するＲＳＳＩ測定方法（方法ＲＳＳＩ０−１、方法ＲＳＳＩ０−２、方法ＲＳＳＩ０−３等）について説明する。
【０２６２】
方法ＲＳＳＩ０−１は、３ＧＰＰ  ＮＲ  ＴＤＤリファレンスシステム１は、ダイナミックＴＤＤとして動作し得るため、端末が該当サブフレーム／スロットタイプを知らない場合を仮定する。
【０２６３】
図７は、本発明の実施例に係る方法ＲＳＳＩ０−１を示す図面である。具体的には、図７の（ａ）にはＲＳＲＰ測定リソースが例示されており、図７の（ｂ）にはＲＳＳＩ測定リソースが例示されている。
【０２６４】
方法ＲＳＳＩ０−１は、方法ＩＮＤ１と方法ＩＮＤ２が使用されていない場合を仮定する。
【０２６５】
図７の（ａ）に例示された通り、ＲＳＲＰは、固定ＤＬリソースに属するＲＥのうちＤＬ  ＮＲ−ＤＲＳのためのＲＥで測定され得る。図７の（ｂ）に例示された通り、ＲＳＳＩは、リソースＡと固定ＤＬリソースに属したシンボルで測定され得る。すなわち、ＲＳＳＩは、固定ＤＬリソースを有するシンボルに属し、測定帯域幅に属するリソースで測定され得る。端末がＤＬ領域（ｒｅｇｉｏｎ）であることが分かるすべてのシンボルで収集したエネルギーを、ＲＳＳＩのために使用する。
【０２６６】
しかし、このような測定方法によっては、端末がＮＲセルのＤＬトラフィックロードを正確に測定することができない。固定ＤＬリソースは、ＤＬデータよりはシステム動作（ｏｐｅｒａｔｉｏｎ）に必須の物理信号と物理チャネルを伝送するため、ＲＳＳＩは、ＤＬトラフィックロードを過大推定（ｏｖｅｒ−ｅｓｔｉｍａｔｉｏｎ）する。そして、端末は、ＲＳＲＰとＲＳＳＩを互いに異なるＰＲＢ（例、リソースＡ）で測定するため、ＲＳＳＩは周波数選択的フェーディング（ｆｒｅｑｕｅｎｃｙ  ｓｅｌｅｃｔｉｖｅ  ｆａｄｉｎｇ）によりＲＳＲＰとは異なる周波数応答を経験し得、またＲＳＲＰとＲＳＳＩは互いに異なるＤＬ干渉を経験することもあり得る。その反面、３ＧＰＰ  ＬＴＥ  ＲＳＲＱのために使用されるＲＳＳＩは、ＤＬ干渉の関数であり、ＲＳＲＰとＲＳＳＩが同じ帯域で測定されるため、ＲＳＳＩは、周波数選択的フェーディング（ｆｒｅｑｕｅｎｃｙ  ｓｅｌｅｃｔｉｖｅ  ｆａｄｉｎｇ）とは関係がない。
【０２６７】
３ＧＰＰ  ＮＲ  ＴＤＤリファレンスシステム２と３ＧＰＰ  ＮＲ  ＴＤＤリファレンスシステム３がダイナミックＴＤＤとして動作する場合に、本発明の実施例が適用され得る。
【０２６８】
図８は、本発明の実施例に係る方法ＲＳＳＩ０−１−１を示す図面である。具体的には、図８の（ａ）にはＲＳＲＰ測定リソースが例示されており、図８の（ｂ）にはＲＳＳＩ測定リソースが例示されている。
【０２６９】
方法ＲＳＳＩ０−１のための方法ＲＳＳＩ０−１−１は、図８の（ａ）に例示された通り、ＲＳＲＰを固定ＤＬリソースに属するＲＥのうちＤＬ  ＮＲ−ＤＲＳを含むＲＥで測定する。
【０２７０】
方法ＲＳＳＩ０−１−１は、図８の（ｂ）に例示された通り、ＲＳＳＩをリソースＡおよび固定ＤＬリソースに属するシンボルで測定するものの、ＤＬ  ＮＲ−ＤＲＳを含まないサブキャリアで測定する。
【０２７１】
ＲＳＳＩは、シンボルで測定されてもよく、またはＲＥで測定されてもよい。すなわち、ＲＳＳＩは、固定ＤＬリソースを有するシンボルに属するサブキャリアのうちＤＬ  ＮＲ−ＤＲＳリソースを除いた残りのサブキャリアを意味する。ここで、ＤＬ  ＮＲ−ＤＲＳリソースは、３ＧＰＰ  ＮＲセルのそれぞれによって伝送されるＤＬ  ＮＲ−ＤＲＳリソースの集合（ｃｏｌｌｅｃｔｉｏｎ  ｏｆ  ＤＬ  ＮＲ−ＤＲＳ  ｒｅｓｏｕｒｃｅｓ）を意味する。ＲＲＣアイドル（ＲＲＣ＿ＩＤＬＥ）状態の端末は、ＤＬ  ＮＲ−ＤＲＳの全体集合のうち一部に該当するＤＬ  ＮＲ−ＤＲＳリソースを自ら探知しなければならず、ＲＲＣ連結（ＲＲＣ＿ＣＯＮＮＥＣＴＥＤ）状態の端末は、サービング基地局から設定を受けたＤＬ  ＮＲ−ＤＲＳリソースの集合の適用を受けるかあるいは自ら一部のＤＬ  ＮＲ−ＤＲＳリソースを探知することができる。
【０２７２】
端末は、ＤＬ  ＮＲ−ＤＲＳリソースでＲＳＳＩを測定しないため、端末によって測定されるＲＳＳＩは、ＮＲセルのＰＤＣＣＨ、ＳＩＢ、とＰＤＳＣＨをすべて含むことができる。
【０２７３】
このようなＲＳＳＩ測定方法は、端末でＮＲセルの制御チャネルロードとＤＬトラフィックロードをすべて測定する。ＮＲセルの制御チャネルロードは、ＤＬスケジューリング割り当て（ｓｃｈｅｄｕｌｉｎｇ  ａｓｓｉｇｎｍｅｎｔ）とＵＬスケジューリンググラント（ｓｃｈｅｄｕｌｉｎｇ  ｇｒａｎｔ）を含むため、端末がＤＬトラフィックの量とＵＬトラフィックの量を推測することができる。このような推測の正確度は低い。ＰＤＣＣＨのビーム形成およびＣＣＥアグリゲーションレベル（ａｇｇｒｅｇａｔｉｏｎ  ｌｅｖｅｌ）とＰＤＳＣＨのビーム形成が互いに異なるため、干渉条件（ｉｎｔｅｒｆｅｒｅｎｃｅ  ｃｏｎｄｉｔｉｏｎ）が推測され難い。ＵＬトラフィックの量はＰＵＳＣＨから測定することができず、ＰＤＣＣＨの量から間接的に推測され得る。
【０２７４】
また、リソースＡの一部のうち、固定ＤＬリソースのためのヌメロロジーと異なるヌメロロジーを有するリソースが、３ＧＰＰ  ＮＲセルによって割り当てられ得る。このような場合に、別途のＰＤＣＣＨが３ＧＰＰ  ＮＲセルによって割り当てられるため、リソースＡで測定されるＲＳＳＩは、データロードだけでなく制御ロードも共に反映する。この時に伝送される制御チャネルは、多くの場合、ＲＲＣ連結（ＲＲＣ＿ＣＯＮＮＥＣＴＥＤ）状態の端末を対象に伝送されるため、制御チャネルのビーム形成とデータチャネルのビーム形成がさほど差がない場合がある。
【０２７５】
３ＧＰＰ  ＮＲ  ＴＤＤリファレンスシステム２と３ＧＰＰ  ＮＲ  ＴＤＤリファレンスシステム３がダイナミックＴＤＤとして動作する場合に、本発明の実施例が適用され得る。
【０２７６】
図９は、本発明の実施例に係る方法ＲＳＳＩ０−１−２を示す図面である。具体的には、図９の（ａ）にはＲＳＲＰ測定リソースが例示されており、図９の（ｂ）および（ｃ）にはＲＳＳＩ測定リソースが例示されている。
【０２７７】
方法ＲＳＳＩ０−１のための方法ＲＳＳＩ０−１−２は、ＲＳＲＰを固定ＤＬリソースに属するＲＥのうちＤＬ  ＮＲ−ＤＲＳを含むＲＥで測定し、ＲＳＳＩをリソースＡ、リソースＢ、および固定ＤＬリソースに属するシンボルで測定する。
【０２７８】
ＲＳＳＩは、シンボルレベルで測定されてもよく、あるいはＲＥレベルで測定されてもよい。万一ＲＳＳＩがＲＥで測定される場合に、ＲＳＳＩは、ＤＬ  ＮＲ−ＤＲＳを含まないＲＥで測定され得る。図９の（ｂ）には、ＲＳＳＩがシンボル全体（例、固定ＤＬリソース、リソースＡ、リソースＢ）で測定される場合が例示されている。図９の（ｃ）には、ＤＬ  ＮＲ−ＤＲＳを含まないＲＥ（例、固定ＤＬリソースに属するＲＥのうちＤＬ−ＮＲ  ＤＲＳ  ＲＥを除いた残りのＲＥ、リソースＡ、リソースＢ）でＲＳＳＩが測定される場合が例示されている。
【０２７９】
このような方式によると、端末は、サブフレーム／スロットタイプに関係なく、固定ＤＬリソースを含むシンボルでＲＳＳＩを測定することができる。
【０２８０】
方法ＲＳＳＩ０−２は、３ＧＰＰ  ＮＲ  ＴＤＤリファレンスシステム１がダイナミックＴＤＤとして動作し、端末が方法ＩＮＤ１を通じてサブフレーム／スロットタイプを知ることができる場合を仮定する。
【０２８１】
図１０は、本発明の実施例に係る方法ＲＳＳＩ０−２を示す図面である。具体的には、図１０の（ａ）にはＲＳＲＰ測定リソースが例示されており、図１０の（ｂ）にはＲＳＳＩ測定リソースが例示されている。
【０２８２】
端末はリソースＣとリソースＤに対し、ＤＬ領域（ｒｅｇｉｏｎ）に該当するリソースを区分することができる。ＲＳＳＩは、シンボルレベルで測定されてもよく、あるいはＲＥレベルで測定されてもよい。
【０２８３】
図１０の（ａ）に例示された通り、端末は、ＲＳＲＰを、固定ＤＬリソースに属したＤＬ  ＮＲ−ＤＲＳリソースを利用して測定する。
【０２８４】
図１０の（ｂ）に例示された通り、端末は、ＲＳＳＩを、測定帯域幅に属するＤＬ領域（ｒｅｇｉｏｎ）で測定することができる。すなわち、端末は、ＲＳＳＩを、固定ＤＬリソース、リソースＡ、リソースＣ、およびリソースＤで測定することができる。
【０２８５】
このようなＲＳＳＩ測定方法は、簡単に具現され得るが、固定ＤＬリソースに含まれる制御チャネルやＤＬ  ＮＲ−ＤＲＳリソースがトラフィックロードを適切に反映しない。
【０２８６】
３ＧＰＰ  ＮＲセルは、ＲＲＣ連結（ＲＲＣ＿ＣＯＮＮＥＣＴＥＤ）状態の端末にデータスケジューリング割り当て（ｄａｔａ  ｓｃｈｅｄｕｌｉｎｇ  ａｓｓｉｇｎｍｅｎｔ）を伝達するために、リソースＡ、リソースＣ、およびリソースＤで互いに異なるヌメロロジーを有するＰＤＣＣＨを割り当てることができる。これは、データロードに該当しない。しかし、これは、セルロードに比例して割り当てられる物理チャネルに該当するため、ＲＳＳＩ測定に反映され得る。
【０２８７】
ＲＳＳＩが測定されるＰＲＢとＲＳＲＰが測定されるＰＲＢが異なるため、チャネルの周波数選択度（ｆｒｅｑｕｅｎｃｙ  ｓｅｌｅｃｔｉｖｉｔｙ）がＲＳＳＩに影響を与え得る。
【０２８８】
３ＧＰＰ  ＮＲ  ＴＤＤリファレンスシステム２と３ＧＰＰ  ＮＲ  ＴＤＤリファレンスシステム３がダイナミックＴＤＤとして動作する場合に、本発明の実施例が適用され得る。リソースＣとリソースＤでＤＬ領域（ｒｅｇｉｏｎ）に該当するリソースが抽出され、抽出されたリソースに本発明の実施例が適用される。
【０２８９】
図１１は、本発明の実施例に係る方法ＲＳＳＩ０−２−１を示す図面である。具体的には、図１１の（ａ）にはＲＳＲＰ測定リソースが例示されており、図１１の（ｂ）にはＲＳＳＩ測定リソースが例示されている。
【０２９０】
方法ＲＳＳＩ０−２のための方法ＲＳＳＩ０−２−１は、３ＧＰＰ  ＮＲ  ＴＤＤリファレンスシステム１がダイナミックＴＤＤとして動作し、端末が方法ＩＮＤ１を通じてサブフレーム／スロットタイプを知ることができる場合を仮定する。
【０２９１】
端末は、リソースＣに対し、ＤＬ領域（ｒｅｇｉｏｎ）に該当するリソースを区分することができる。ＲＳＳＩは、シンボルレベルで測定されてもよく、あるいはＲＥレベルで測定されてもよい。
【０２９２】
図１１の（ａ）に例示された通り、端末は、ＲＳＲＰを、固定ＤＬリソースに属するＤＬ  ＮＲ−ＤＲＳリソースを利用して測定する。
【０２９３】
図１１の（ｂ）に例示された通り、端末は、ＲＳＳＩを、固定ＤＬリソースおよびリソースＣで測定することができる。
【０２９４】
端末は、ＲＳＲＰとＲＳＳＩを同じＰＲＢで測定するため、ＲＳＲＰとＲＳＳＩのためのチャネル周波数選択度（ｃｈａｎｎｅｌ  ｆｒｅｑｕｅｎｃｙ  ｓｅｌｅｃｔｉｖｉｔｙ）を同等に計算に反映する。
【０２９５】
３ＧＰＰ  ＮＲ  ＴＤＤリファレンスシステム２と３ＧＰＰ  ＮＲ  ＴＤＤリファレンスシステム３がダイナミックＴＤＤとして動作する場合に、本発明の実施例が適用され得る。リソースＣでＤＬ領域（ｒｅｇｉｏｎ）に該当するリソースが抽出され、抽出されたリソースに本発明の実施例が適用され得る。
【０２９６】
図１２は、本発明の実施例に係る方法ＲＳＳＩ０−２のための方法ＲＳＳＩ０−２−２を示す図面である。具体的には、図１２の（ａ）にはＲＳＲＰ測定リソースが例示されており、図１２の（ｂ）にはＲＳＳＩ測定リソースが例示されている。
【０２９７】
図１２の（ａ）に例示された通り、端末は、ＲＳＲＰをＤＬ  ＮＲ−ＤＲＳリソースを利用して測定することができる。
【０２９８】
図１２の（ｂ）に例示された通り、端末は、ＲＳＳＩを、固定ＤＬリソースのうちＤＬ  ＮＲ−ＤＲＳリソースを除いた残りのリソースで測定することができる。
【０２９９】
万一、端末が方法ＩＮＤ２を利用してリソースＣ内でＤＬ領域（ｒｅｇｉｏｎ）を抽出できるのであれば、抽出されたＤＬ領域をＲＳＳＩ測定のために活用する。万一、端末が方法ＩＮＤ２を利用してリソースＣ内でＧＰの存在を探知できないのであれば、リソースＣをＲＳＳＩ測定のために活用しない。
【０３００】
ＲＳＳＩは、シンボルレベルで測定されてもよく、あるいはＲＥレベルで測定されてもよい。
【０３０１】
方法ＩＮＤ２によると、カバレッジの境界に位置した３ＧＰＰ  ＮＲ端末の場合に、ＧＰの探知可能性（ｄｅｔｅｃｔｉｏｎ  ｐｒｏｂａｂｉｌｉｔｙ）が減少するため、ＲＳＳＩのために使用されるリソースの量が少ない。その反面、セルセンターに位置した３ＧＰＰ  ＮＲ端末の場合に、ＲＳＳＩのために使用されるリソースの量が相対的により大きい。したがって、方法ＩＮＤ２が使用される場合に、端末の位置がＲＳＲＱ測定遅延に影響を及ぼす。
【０３０２】
ＲＳＳＩのために活用されるリソースは、固定ＤＬリソースを少なくとも含むが、ＤＬ  ＮＲ−ＤＲＳリソースは、含まない。ＲＲＣアイドル（ＲＲＣ＿ＩＤＬＥ）状態の端末は、ＤＬ  ＮＲ−ＤＲＳの全体の集合のうち一部に該当するＤＬ  ＮＲ−ＤＲＳリソースを自ら探知しなければならず、ＲＲＣ連結（ＲＲＣ＿ＣＯＮＮＥＣＴＥＤ）状態の端末は、サービング基地局から設定を受けたＤＬ  ＮＲ−ＤＲＳリソースの集合の適用を受けるかあるいは自ら一部のＤＬ  ＮＲ−ＤＲＳリソースを探知することができる。このように定義されたＲＳＳＩ測定リソースにおいて、固定ＤＬリソースにＰＤＣＣＨが含まれ、ＰＤＣＣＨが周期的に伝送されるため、ＤＬデータロードが正確に表現されない。この時に伝送されるＰＤＣＣＨは、多くの場合、ＲＲＣ連結（ＲＲＣ＿ＣＯＮＮＥＣＴＥＤ）状態の端末を対象に伝送されるため、ＰＤＣＣＨのビーム形成とＰＤＳＣＨのビーム形成がさほど差がない場合がある。したがって、固定ＤＬリソースでＤＬデータロードが測定される場合に、端末を特定した（例、ＵＥ−ｓｐｅｃｉｆｉｃ）ビーム形成を有する物理チャネルと物理信号が固定ＤＬリソースに含まれ得る。
【０３０３】
３ＧＰＰ  ＮＲ  ＴＤＤリファレンスシステム２と３ＧＰＰ  ＮＲ  ＴＤＤリファレンスシステム３がダイナミックＴＤＤとして動作する場合に、本発明の実施例が適用され得る。リソースＣでＤＬ領域（ｒｅｇｉｏｎ）に該当するリソースが抽出され、抽出されたリソースに本発明の実施例が適用され得る。
【０３０４】
図１３は、本発明の実施例に係る方法ＲＳＳＩ０−２−３を示す図面である。具体的には、図１３の（ａ）にはＲＳＲＰ測定リソースが例示されており、図１３の（ｂ）にはＲＳＳＩ測定リソースが例示されている。
【０３０５】
方法ＲＳＳＩ０−２のための方法ＲＳＳＩ０−２−３は、３ＧＰＰ  ＮＲ  ＴＤＤリファレンスシステム１がダイナミックＴＤＤとして動作し、ＮＲセルが方法ＩＮＤ１を使用して端末がサブフレーム／スロットタイプを明示的に知ることができる場合に該当する。
【０３０６】
図１３の（ａ）に例示された通り、端末は、ＲＳＲＰをＤＬ  ＮＲ−ＤＲＳリソースを利用して測定する。
【０３０７】
図１３の（ｂ）に例示された通り、端末は、ＲＳＳＩをリソースＣのＤＬ領域（ｒｅｇｉｏｎ）で測定する。ＲＳＳＩは、シンボルレベルで測定されてもよく、あるいはＲＥレベルで測定されてもよい。
【０３０８】
３ＧＰＰ  ＮＲセルが複数のヌメロロジーを使用する場合に、リソースＣに複数のヌメロロジーが適用される。３ＧＰＰ  ＮＲセルは、このために別途の制御チャネルをリソースＣに割り当てることができる。したがって、端末がリソースＣを利用してＲＳＳＩを測定する場合に、制御ロードとデータロードを共に測定する。このようなＰＤＣＣＨは、ＲＲＣ連結（ＲＲＣ＿ＣＯＮＮＥＣＴＥＤ）状態の端末にＤＬスケジューリング割り当て（ｓｃｈｅｄｕｌｉｎｇ  ａｓｓｉｇｎｍｅｎｔ）またはＵＬスケジューリンググラント（ｓｃｈｅｄｕｌｉｎｇ  ｇｒａｎｔ）を指示するため、ＰＤＣＣＨのビーム形成は、ＰＤＳＣＨのビーム形成とさほど差がないように行われる。端末は、ＲＳＳＩを通じてＤＬロードをある程度測定することができる。
【０３０９】
３ＧＰＰ  ＮＲ  ＴＤＤリファレンスシステム２と３ＧＰＰ  ＮＲ  ＴＤＤリファレンスシステム３がダイナミックＴＤＤとして動作する場合に、本発明の実施例が適用され得る。リソースＣでＤＬ領域（ｒｅｇｉｏｎ）に該当するリソースが抽出され、抽出されたリソースに本発明の実施例が適用され得る。
【０３１０】
方法ＲＳＳＩ０−３は、３ＧＰＰ  ＮＲ  ＴＤＤリファレンスシステム１、３ＧＰＰ  ＮＲ  ＴＤＤリファレンスシステム２、および３ＧＰＰ  ＮＲ  ＴＤＤリファレンスシステム３がダイナミックＴＤＤとして動作するケースに該当する。
【０３１１】
方法ＲＳＳＩ０−３によると、端末は、ＲＳＲＰをＤＬ  ＮＲ−ＤＲＳリソースを利用して測定し（例、図１３の（ａ））、ＲＳＳＩをリソースＣで測定する（例、図１３の（ｂ））。ＲＳＳＩは、シンボルレベルで測定されてもよく、あるいはＲＥレベルで測定されてもよい。
【０３１２】
３ＧＰＰ  ＮＲセルは、リソースＣを任意のサブフレーム／スロットタイプのために活用することができる。反面、端末は、サブフレーム／スロットタイプに関係なく、リソースＣに属して測定帯域幅に属するシンボルをすべてＲＳＳＩ測定リソースとして活用する。このような方法は、ＤＬロードとＵＬロードとは関係のない（または同等の）合算方法に該当する。
【０３１３】
端末がＵＬロードを測定する場合のための活用方法は、次の通りである。ＲＲＣアイドル（ＲＲＣ＿ＩＤＬＥ）状態の端末がＵＲＬＬＣサービスに該当するＵＬトラフィックを生成した場合に、少ないＵＬトラフィックロードを有するＮＲセルでアソシエーション（ａｓｓｏｃｉａｔｉｏｎ）するように、ＲＲＭ測定にＵＬトラフィックロードが反映される。このような場合に、制御平面遅延（ｃｏｎｔｒｏｌ  ｐｌａｎｅ  ｌａｔｅｎｃｙ）が減少され得る。
【０３１４】
ＵＬトラフィックロードに端末の隣接程度（ｐｒｏｘｉｍｉｔｙ）が影響を及ぼす場合が存在する。例えば、地理的に隣接した二つの端末のうち、ＲＲＭ測定を行う端末が犠牲者（ｖｉｃｔｉｍ）として動作し、ＵＬスケジューリンググラントを受信してＵＬデータを伝送する他の端末が攻撃者（ａｇｇｒｅｓｓｏｒ）として動作する場合がある。このような場合に、端末間の距離が短いため、ＵＬトラフィックロードが小さくてもＲＳＳＩが過大推定（ｏｖｅｒ−ｅｓｔｉｍａｔｉｏｎ）される。しかし、ＵＬトラフィックロードがＲＳＳＩ測定に影響を及ぼすほど持続的に発生する場合に、二つの端末が地理的に隣接するため、ＵＬリソース領域（ｒｅｇｉｏｎ）は、ＳＤＭとなることが難しく、ＴＤＭやＦＤＭとならなければならない。このような場合には、ＵＬスケジューリンググラントを受けるための制御平面遅延が大きい。
【０３１５】
サービング基地局は、端末にインター周波数に対するＲＲＭ測定を設定することができる。端末が十分な数のＲｘＵ（ｒｅｃｅｉｖｅｒ  ｕｎｉｔ）を有さない場合に、サービング基地局が測定ギャップ（ｍｅａｓｕｒｅｍｅｎｔ  ｇａｐ）を端末に設定し、端末は、測定ギャップを利用してインター周波数に属するセル（あるいは基地局）に対してＲＳＲＰ、ＲＳＲＱ、あるいはＲＳＲＰおよびＲＳＲＱを測定することができる。測定ギャップの設定は、測定ギャップの長さ（ｍｅａｓｕｒｅｍｅｎｔ  ｇａｐ  ｌｅｎｇｔｈ）、測定ギャップの周期（ｍｅａｓｕｒｅｍｅｎｔ  ｇａｐ  ｒｅｐｅｔｉｔｉｏｎ  ｐｅｒｉｏｄ）、そして、測定ギャップに属する最初のサブフレーム（あるいは一番目のスロット）が有するサブフレームオフセット（あるいはスロットオフセット）を少なくとも含む。
【０３１６】
端末が測定ギャップで測定する特定の周波数および特定の基地局などは、サービング基地局によって設定されず、端末の具現アルゴリズムにより端末によって選択される。サービング基地局は、端末が十分なＲＲＭ測定正確度を所定の時間以内で達成できるように、適切な測定ギャップを端末に設定しなければならない。
【０３１７】
サービング基地局は、端末に測定ギャップを設定し、端末は、測定ギャップ以内で特定の周波数に属する信号および物理チャネルを測定する。例えば、このような信号は、主同期信号（ＰＳＳ）、副同期信号（ＳＳＳ）、ＲＲＭ信号（以下「ＲＲＳ」）、およびＰＢＣＨ  ＤＭ−ＲＳを少なくとも含み、ＤＬ  ＮＲ−ＤＲＳを含んでもよい。そして、このような物理チャネルは放送チャネル（例、ＰＢＣＨ）を少なくとも含む。
【０３１８】
サービング基地局は、主同期信号、副同期信号、および放送チャネルを一つの伝送単位として取り扱い、一つ以上の伝送単位を時間に沿って順に伝送することができる。例えば、このような伝送単位は、ＮＲでＳＳバーストと呼称され、サービング基地局が動作する周波数帯域に応じてＳＳバーストの最大個数が規格に定義されている。サービング基地局はこのような最大個数より少ない個数のＳＳバーストを実際に伝送し、ＳＳバーストが伝送される周期は規格に定義されている。
【０３１９】
しかし、サービング基地局が特定の端末に測定ギャップを設定した場合に、ＳＳバーストが伝送される周期とスロットオフセットは、サービング基地局によって伝送され得る。ここで、ＳＳバーストが伝送される周期とスロットオフセットは、規格に沿って定義された値だけでなく、規格に定義されていない値の中からサービング基地局によって選択された値を有することができる。
【０３２０】
端末がインター周波数に対するＲＲＭ測定を行うために測定ギャップを使用するため、サービング基地局と隣接基地局は、該当測定ギャップに属したスロットでＳＳバーストを伝送することができる。端末が測定ギャップでＳＳバーストを受信できないこともあるため、サービング基地局は、測定ギャップと測定周波数を端末に設定することができる。例えば、サービング基地局は、端末に一つ以上の測定ギャップを区分して設定するものの、各測定ギャップが特定の周波数帯域に関連するように設定する。したがって、測定ギャップの設定情報は、測定ギャップの周期とスロットオフセットを含むだけでなく、該当測定ギャップに属したスロットで端末によって測定されなければならない周波数リソースを少なくとも含む。周波数リソースは、相対的なインデックス（例、セルインデックスなど）で表現されてもよく、あるいは絶対的なインデックス（例、周波数識別情報など）で表現されてもよい。ここで、周波数識別情報は、ＡＲＦＣＮ（ａｂｓｏｌｕｔｅ  ｒａｄｉｏ−ｆｒｅｑｕｅｎｃｙ  ｃｈａｎｎｅｌ  ｎｕｍｂｅｒ）であり得る。
【０３２１】
端末は、測定ギャップに属したスロットおよび測定周波数で測定を行う。ここで、端末によって測定される物理量は、サービング基地局の設定により、ＲＳＲＰ、ＲＳＲＱ、ＲＳ−ＳＩＮＲ、あるいはこれらの任意の組み合わせであり得る。
【０３２２】
万一、測定周波数で基地局がダイナミックＴＤＤとして動作している場合に、端末がＲＳＲＱを測定しなければならないシナリオが考慮される。このような場合に、端末は、各基地局からＰＳＴＩＣＨあるいはＰＤＣＣＨのＣＳＳ（ｃｏｍｍｏｎ  ｓｅａｒｃｈ  ｓｐａｃｅ）を受信し、これに基づいてＳＴＩを認知する。端末は、ＳＴＩを利用してＤＬ領域（ｒｅｇｉｏｎ）を導き出した後、ＲＳＲＱを測定する。
【０３２３】
万一、測定周波数で基地局がビーム中心的（ｂｅａｍ−ｃｅｎｔｒｉｃ）に動作して主同期信号と副同期信号を一つの単位（例、ＳＳ  ｂｕｒｓｔ）で取り扱い、このような単位が複数伝送されてＳＳバーストセットをなす場合が考慮される。端末は、測定ギャップ以内で少なくとも一周期以上のＳＳバーストを観察することができると仮定し、基地局が一つのＳＳバーストに属した信号に同じ前処理を適用すると仮定する。端末は、ＳＳバーストに属するＲＲＳリソースを利用してＲＲＭ測定を行い、互いに異なる前処理毎に互いに異なるＲＲＭ測定を導き出す。例えば、一つのサービング基地局が４個のＳＳバーストを伝送すると、端末は、４個の互いに異なる前処理が存在すると仮定して各ＳＳバーストに属するＲＲＳリソースを互いに区分し、４個のＲＲＭ測定を行う。ＲＳＲＰ測定の設定を受けた端末は、４個のＲＳＲＰを導き出すことができ、ＲＳＲＱ測定の設定を受けた端末は、４個のＲＳＲＱを導き出すことができる。
【０３２４】
図１４は、本発明の実施例に係るＮＲ−ＳＩＢ伝送を示す図面である。具体的には、図１４には、方法Ｃ２−２が使用された場合が例示されている。
【０３２５】
図１４で、ＦＩ１０１は、ＤＬ  ＮＲ−ＤＲＳが伝送されるＮＲ−サブフレーム／スロットの周期（ｐｅｒｉｏｄｉｃｉｔｙ）を示す。ＤＬ  ＮＲ−ＤＲＳが伝送されるＮＲ−サブフレーム／スロットでは、一つ以上のＤＬ  ＮＲ−ＤＲＳリソースが伝送される。一つのＤＬ  ＮＲ−ＤＲＳリソースは、基地局の仮想セクターに対応する。ＤＬ  ＮＲ−ＤＲＳの周期は規格に沿って定義された値を使用することができる。
【０３２６】
図１４で、ＦＩ１０２は、ＤＬ  ＮＲ−ＤＲＳオケーション区間（ｏｃｃａｓｉｏｎ  ｄｕｒａｔｉｏｎ）を示す。基地局は、ＤＬ  ＮＲ−ＤＲＳリソースを連続的（ｃｏｎｓｅｃｕｔｉｖｅ）かつ有効（ｖａｌｉｄ）なＤＬ  ＮＲ−サブフレーム／スロットで伝送することができる。ＤＬ  ＮＲ−ＤＲＳオケーション区間は、ＤＬカバレッジ（ｃｏｖｅｒａｇｅ）の拡張のためのものである。基地局は、ＤＬ  ＮＲ−ＤＲＳアンテナポートを基準としてＮＲ−ＰＢＣＨを伝送するため、基地局は、該当ＤＬ  ＮＲ−ＰＢＣＨをＤＬ  ＮＲ−ＤＲＳオケーション区間で伝送することができる。基地局は、ＤＬ  ＮＲ−ＤＲＳオケーション区間の値を上位階層シグナリング（ｈｉｇｈｅｒ  ｌａｙｅｒ  ｓｉｇｎａｌｌｉｎｇ）を通じて端末に設定することができる。基地局から別途のシグナリングがない場合に、端末は、ブラインド探知（ｂｌｉｎｄ  ｄｅｔｅｃｔｉｏｎ）を通じてＤＬ  ＮＲ−ＤＲＳオケーション区間の値を推定する。
【０３２７】
図１４で、ＦＩ１０３は、ＤＬ  ＮＲ−ＤＲＳとＮＲ−ＰＢＣＨを含む周波数リソースを示す。例えば、ＦＩ１０３は、ＮＲ−ＲＢインデックスで表現されるかあるいはサブバンドインデックスとＮＲ−ＲＢインデックスの組み合わせで表現され得る。
【０３２８】
図１４で、ＦＩ１０４−１は、ＵＬ  ＮＲ−ＤＲＳリソースが有する時間リソースの位置を示す。端末は、基地局の仮想セクター１によって伝送されたＮＲ−ＰＢＣＨからＦＩ１０４−１を推定する。時間リソースは、ＤＬ  ＮＲ−ＤＲＳオケーション区間に属する最初のＮＲ−サブフレーム／スロットを基準とする相対的な値であって、ＮＲ−サブフレーム／スロットオフセットあるいはシンボルオフセットで定義され得る。または時間リソースは、ＵＬ  ＮＲ−ＤＲＳリソースが属するＮＲ−サブフレーム／スロットの絶対的な値であって、ＮＲ−サブフレーム／スロットインデックスで定義され得る。例えば、ＵＬ  ＮＲ−ＤＲＳリソースの伝送時点は、ＤＬ  ＮＲ−ＤＲＳリソースの伝送時点と同じＮＲ−サブフレーム／スロットに属するシンボルであり得る。このような場合に、時間リソースの位置はシンボルオフセットに該当する。他の例として、ＵＬ  ＮＲ−ＤＲＳリソースが別途のＮＲ−サブフレーム／スロットに設定され得る。このような場合に、時間リソースの位置はＮＲ−サブフレーム／スロットオフセットに該当する。
【０３２９】
図１４で、ＦＩ１０４−２は、ＵＬ  ＮＲ−ＤＲＳリソースが有する時間リソースの位置を示す。端末が基地局の仮想セクター２によって伝送されたＮＲ−ＰＢＣＨからＦＩ１０４−２を推定する。ＦＩ１０４−２は、ＦＩ１０４−１と同じ意味を有する。
【０３３０】
万一、基地局が一つ以上の仮想セクターを伝送する場合に、複数のＵＬ  ＮＲ−ＤＲＳリソースが設定され得る。
【０３３１】
図１４で、ＦＩ１０５−１は、ＵＬ  ＮＲ−ＤＲＳリソースが有する周波数リソースの位置を示す。端末が基地局の仮想セクター１によって伝送されたＮＲ−ＰＢＣＨから、ＦＩ１０５−１を推定する。例えば、ＦＩ１０５−１は、ＮＲ−ＲＢインデックスで表現されるかあるいはサブバンドインデックスとＮＲ−ＲＢインデックスの組み合わせで表現され得る。
【０３３２】
図１４で、ＦＩ１０５−２は、ＵＬ  ＮＲ−ＤＲＳリソースが有する周波数リソースの位置を示す。端末が基地局の仮想セクター２によって伝送されたＮＲ−ＰＢＣＨから、ＦＩ１０５−２を推定する。ＦＩ１０５−２は、ＦＩ１０５−１と同じ意味を有する。
【０３３３】
図１４で、ＦＩ１０６は、ＤＬ  ＮＲ−ＤＲＳとＮＲ−ＰＢＣＨを含む無線リソースを示す。
【０３３４】
図１４で、ＦＩ１０７−１は、ＵＬ  ＮＲ−ＤＲＳを含む無線リソースを示す。端末が仮想セクター１を選択する場合に、ＦＩ１０７−１を利用してＵＬ  ＮＲ−ＤＲＳを伝送することができる。
【０３３５】
図１４で、ＦＩ１０７−２は、ＵＬ  ＮＲ−ＤＲＳを含む無線リソースを示す。端末が仮想セクター２を選択する場合に、ＦＩ１０７−２を利用してＵＬ  ＮＲ−ＤＲＳを伝送することができる。
【０３３６】
図１４で、ＦＩ１０８は、ＤＬ  ＮＲ−ＤＲＳリソースとＮＲ−ＰＢＣＨが割り当てられる帯域幅を示す。ＦＩ１０８は、規格に沿って定義された値を使用することができる。
【０３３７】
図１４で、ＦＩ１０９は、ＵＬ  ＮＲ−ＤＲＳリソースが割り当てられる帯域幅を示す。端末は、規格に沿って定義された値でＦＩ１０９を使用するか、あるいは基地局が伝送したＮＲ−ＰＢＣＨによって設定された値でＦＩ１０９を使用する。
【０３３８】
図１４で、ＦＩ１１０は、ＮＲ−ＰＤＣＣＨが割り当てられる時間リソースの量を示す。端末は、規格に沿って定義された値でＦＩ１１０を使用するか、あるいは基地局が伝送したＮＲ−ＰＢＣＨによって設定された値でＦＩ１１０を使用する。例えば、ＮＲ−ＰＤＣＣＨは、シンボルの数で定義され得る。他の例として、ＮＲ−ＰＤＣＣＨは、ＮＲ−サブフレーム／スロットの単位で定義され得る。
【０３３９】
図１４で、ＦＩ１１１は、ＮＲ−ＰＤＣＣＨが割り当てられた帯域幅を示す。端末は、規格に沿って定義された値でＦＩ１１１を使用するか、あるいは基地局が伝送したＮＲ−ＰＢＣＨによって設定された値でＦＩ１１１を使用する。
【０３４０】
図１４で、ＦＩ１１２−１は、基地局の仮想セクター１によって伝送されるＮＲ−ＰＤＣＣＨリソースの周波数位置を示す。基地局は、他の仮想セクターに対して別途のＮＲ−ＰＤＣＣＨリソースの周波数位置を設定することができる。または基地局が仮想セクターインデックスに関係なくＮＲ−ＰＤＣＣＨリソースの周波数位置を同一に設定することができる。またはＮＲ−ＰＤＣＣＨリソースの周波数位置が規格に沿って定義され得る。
【０３４１】
図１４で、ＦＩ１１３−１は、基地局の仮想セクター１によって伝送されるＮＲ−ＰＤＣＣＨリソースを示す。
【０３４２】
図１４で、ＦＩ１１４は、ＮＲ−ＰＤＣＣＨが伝送される周期を示す。ＮＲ−ＰＤＣＣＨがシンボル単位で伝送される場合に、ＮＲ−ＰＤＣＣＨは、ＮＲ−ＰＤＣＣＨが割り当てられた最初のシンボル間の差毎に現れる。ＮＲ−ＰＤＣＣＨがＮＲ−サブフレーム／スロット単位で伝送される場合に、ＮＲ−ＰＤＣＣＨは、ＮＲ−サブフレーム／スロットの間の差毎に現れる。
【０３４３】
図１５は、本発明の実施例に係る基地局の仮想セクターを示す図面である。基地局のセルは仮想的に多数の仮想セクターに細分化され得る。具体的には、図１５には４個の仮想セクター（ＦＩ２−１、ＦＩ２−２、ＦＩ２−３、ＦＩ２−４）が例示されている。
【０３４４】
図１６ａおよび図１６ｂは、本発明の実施例に係る基地局（またはサービングセル）が端末にＮＲ−ＳＩＢを伝送するための手続きを示す図面である。図１６ａで、ＮＲ−ＤＲＳＲＰはＮＲ−ＤＲＳに基づいたＲＳＲＰを意味する。図１６ａおよび図１６ｂに例示された手続き（ＳＴ１０〜ＳＴ２０）は、方法Ｒ２と方法Ｃ１（あるいは方法Ｃ２）が使用される場合に適用され得る。
【０３４５】
図１７は、本発明の実施例に係るコンピューティング装置を示す図面である。図１７のコンピューティング装置ＴＮ１００は、本明細書で記述された基地局または端末などであり得る。または図１７のコンピューティング装置ＴＮ１００は、無線機器、通信ノード、送信機、または受信機であり得る。
【０３４６】
図１７の実施例で、コンピューティング装置ＴＮ１００は、少なくとも一つのプロセッサＴＮ１１０、ネットワークに連結されて通信を行う送受信装置ＴＮ１２０、およびメモリーＴＮ１３０を含むことができる。また、コンピューティング装置ＴＮ１００は、保存装置ＴＮ１４０、入力インタフェース装置ＴＮ１５０、出力インタフェース装置ＴＮ１６０等をさらに含むことができる。コンピューティング装置ＴＮ１００に含まれた構成要素は、バス（ｂｕｓ）ＴＮ１７０により連結されて通信を行うことができる。
【０３４７】
プロセッサＴＮ１１０は、メモリーＴＮ１３０および保存装置ＴＮ１４０のうち少なくとも一つに保存されたプログラム命令（ｐｒｏｇｒａｍ  ｃｏｍｍａｎｄ）を行うことができる。プロセッサＴＮ１１０は、中央処理装置（ＣＰＵ：ｃｅｎｔｒａｌ  ｐｒｏｃｅｓｓｉｎｇ  ｕｎｉｔ）、グラフィック処理装置（ＧＰＵ：ｇｒａｐｈｉｃｓ  ｐｒｏｃｅｓｓｉｎｇ  ｕｎｉｔ）、または本発明の実施例に係る方法が行われる専用のプロセッサを意味し得る。プロセッサＴＮ１１０は、本発明の実施例と関連して記述された手続き、機能、および方法を具現するように構成され得る。プロセッサＴＮ１１０は、コンピューティング装置ＴＮ１００の各構成要素を制御することができる。
【０３４８】
メモリーＴＮ１３０および保存装置ＴＮ１４０のそれぞれはプロセッサＴＮ１１０の動作に関連した多様な情報を保存することができる。メモリーＴＮ１３０および保存装置ＴＮ１４０のそれぞれは、揮発性保存媒体および不揮発性保存媒体のうち少なくとも一つで構成され得る。例えば、メモリーＴＮ１３０は、読み取り専用メモリー（ＲＯＭ：ｒｅａｄ  ｏｎｌｙ  ｍｅｍｏｒｙ）およびランダムアクセスメモリー（ＲＡＭ：ｒａｎｄｏｍ  ａｃｃｅｓｓ  ｍｅｍｏｒｙ）のうち少なくとも一つで構成され得る。
【０３４９】
送受信装置ＴＮ１２０は、有線信号または無線信号を送信または受信することができる。そして、コンピューティング装置ＴＮ１００は、単一アンテナまたは多重アンテナを有することができる。
【０３５０】
一方、本発明の実施例はこれまで説明した装置および／または方法を通じてのみ具現されるものではなく、本発明の実施例の構成に対応する機能を具現するプログラムまたはそのプログラムが記録された記録媒体を通じて具現され得、このような具現は前述した実施例の記載から本発明が属する技術分野の当業者であれば容易に具現できるものである。
【０３５１】
以上、本発明の実施例について詳細に説明したが、本発明の権利範囲はこれに限定されるものではなく、下記の特許請求の範囲で定義している本発明の基本概念を利用した当業者の多様な変形および改良形態も本発明の権利範囲に属するものである。
【図１】
2019517201.tif 000050
【図２】
2019517201.tif 000051
【図３】
2019517201.tif 000052
【図４】
2019517201.tif 000053
【図５】
2019517201.tif 000054
【図６】
2019517201.tif 000055
【図７】
2019517201.tif 000056
【図８】
2019517201.tif 000057
【図９】
2019517201.tif 000058
【図１０】
2019517201.tif 000059
【図１１】
2019517201.tif 000060
【図１２】
2019517201.tif 000061
【図１３】
2019517201.tif 000062
【図１４】
2019517201.tif 000063
【図１５】
2019517201.tif 000064
【図１６ａ】
2019517201.tif 000065
【図１６ｂ】
2019517201.tif 000066
【図１７】
2019517201.tif 000067
【国際調査報告】
2019517201.tif 000068
2019517201.tif 000069
2019517201.tif 000070
2019517201.tif 000071
2019517201.tif 000072
2019517201.tif 000073
2019517201.tif 000074
2019517201.tif 000075
2019517201.tif 000076
2019517201.tif 000077
2019517201.tif 000078
2019517201.tif 000079
2019517201.tif 000080
2019517201.tif 000081
2019517201.tif 000082
2019517201.tif 000083
2019517201.tif 000084
2019517201.tif 000085